(57)【要約】【課題】  変動表示に対して遊技興趣を低下させることのない遊技機を提供する。【解決手段】  特別図柄表示器４１で実行される特別図柄の複数回の変動表示に対応して画像表示装置４２で実行される装飾図柄の変動表示に代えて一連の動画を特別図柄の複数回の変動表示に跨って再生し、宛も変動表示が１回だけ実行されたかの一括変動を実行するため、画像表示装置４２で実行される演出表示を単純化することができる一方で通常の装飾図柄の変動表示とは異なる一連の動画によって遊技者の興味を引き付けることができ、遊技興趣の低下を抑止できる。また、画像表示装置４２の演出表示が複雑であるために混乱してしまい、遊技を忌避していた遊技者にも演出表示を単純化することで遊技を促すことができ、遊技機の稼働率低下を抑止できる。【選択図】図３２
2010094242.tif 000002
【特許請求の範囲】
【請求項１】
複数種類の特別図柄情報を変動表示して表示結果を導出表示する特別可変表示装置を備え、
該特別可変表示装置の前記表示結果が特定表示結果となったことに基づいて遊技者に利益を付与する利益付与状態に制御する遊技機において、
所定範囲の数値を更新する数値更新手段と、
遊技球が始動入賞したときに前記数値更新手段が更新する前記所定範囲の数値のうちいずれかの数値を判定用数値として取得する判定用数値取得手段と、
該判定用数値取得手段が取得した前記判定用数値を取得した順序を特定可能に所定数まで記憶可能な判定用数値記憶手段と、
該判定用数値記憶手段に記憶される判定用数値のうち前記複数種類の特別図柄情報の変動表示の開始条件が成立した判定用数値が予め決められた当選判定値と合致するか否かを判定し、合致する場合には前記特別可変表示装置の表示結果を前記特定表示結果に決定する変動開始時判定手段と、
該変動開始時判定手段による判定がなされた場合に、前記複数種類の特別図柄情報を変動表示してから前記特別図柄情報の表示結果を導出表示するまでの変動時間を複数種類の変動時間の中からいずれかに決定する変動時間決定手段と、
該変動時間決定手段が前記変動時間を決定した場合に、前記特別可変表示装置を表示制御して前記複数種類の特別図柄情報の変動表示を開始し、該変動表示開始後の経過時間が前記変動時間決定手段によって決定された変動時間に達したときに前記変動開始時判定手段の判定結果に応じた前記特別図柄情報の表示結果を導出表示する特別表示制御手段と、
前記遊技球が始動入賞した後、当該始動入賞に応じて前記判定用数値取得手段が取得した前記判定用数値の前記開始条件が成立する以前に、当該判定用数値の前記開始条件が成立した場合に前記変動時間決定手段によって決定される前記変動時間を事前に判定する変動時間事前判定手段と、
該変動時間事前判定手段の判定結果に応じた前記変動時間を判定した順序を特定可能に記憶する判定時間記憶手段と、
所定の画像情報を表示可能な演出表示装置と、
該演出表示装置を表示制御する演出表示制御手段と、を備え、
該演出表示制御手段は、
前記特別表示制御手段による前記複数種類の特別図柄情報の変動表示に同期して前記複数種類の特別図柄情報とは別の複数種類の装飾図柄情報を変動表示し、当該変動表示の終了時に前記変動開始時判定手段の判定結果を通知する単独変動制御を実行する単独変動制御手段と、
少なくとも前記判定用記憶手段に２以上の前記変動時間が記憶されている場合に、前記判定時間記憶手段に記憶される複数の変動時間に対応する複数回の変動表示に亘って前記複数種類の装飾図柄情報とは別の一連の動画像を表示し、当該複数回の変動表示のうちの最後の変動表示を終了するときに当該最後の変動表示に対応する前記変動開始時判定手段の判定結果を通知する一括変動制御を実行する一括変動制御手段と、を備えることを特徴とする遊技機。
【発明の詳細な説明】
【技術分野】
【０００１】
本発明は、複数種類の特別図柄情報を変動表示して表示結果を導出表示する特別可変表示装置を備え、該特別可変表示装置の前記表示結果が特定表示結果となったことに基づいて遊技者に利益を付与する利益付与状態に制御する遊技機に関する。
【背景技術】
【０００２】
従来、一般に、図柄表示装置を備えた遊技機の一例としてのパチンコ機は、始動入賞口への遊技球の始動入賞に基づいて図柄表示装置で図柄の変動表示を行い、図柄の表示結果が大当り図柄となったときに、大当り遊技状態を発生して大入賞口装置を開閉制御し、大入賞口装置に遊技球が入賞したことに基づいて遊技者に賞球を払い出す。大当り遊技状態では大入賞口装置の開閉制御が所定回数実行され、多量の賞球獲得が可能である。
【０００３】
このような遊技機において、始動入賞口への１回の始動入賞に基づいて図柄を変動表示して仮導出表示する擬似変動を複数回実行した後に、当該始動入賞に基づく変動表示の表示結果を導出表示することで、複数回の変動表示が実行されたかのように遊技者に認識させ、遊技興趣の向上を図ったものが提案されている。（例えば、特許文献１参照）。
【特許文献１】特開２００５−２３０３３９
【発明の開示】
【発明が解決しようとする課題】
【０００４】
ところが、特許文献１に示すような遊技機では、図柄表示装置で実行される図柄の変動表示の実行回数が増加して全体の変動時間が長くなる。逆に、変動時間が長くならないように制限すると、１回の変動時間が短くなる。このように頻繁に表示結果が導出表示されることで遊技者を飽きさせたり、混乱させたりするおそれがあった。そのため、却って変動表示に対する遊技者の興味を失わせてしまい、遊技興趣の低下に繋がるおそれがあった。
【０００５】
本発明は、上記した事情に鑑みなされたものであり、その目的とするところは、変動表示に対して遊技興趣を低下させることのない遊技機を提供することにある。
【課題を解決するための手段】
【０００６】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
【０００７】
請求項１の発明においては、複数種類の特別図柄情報（特別図柄）を変動表示して表示結果を導出表示する特別可変表示装置（特別図柄表示器４１）を備え、
該特別可変表示装置の前記表示結果が特定表示結果（特別図柄表示器４１の４個のＬＥＤを特定の態様で点灯表示した状態）となったことに基づいて遊技者に利益（賞球）を付与する利益付与状態（大当り遊技状態）に制御する遊技機（パチンコ機１）において、
所定範囲の数値（この例では「０」〜「３９９」の範囲の当り判定用乱数）を更新する数値更新手段（主制御ＭＰＵ１０１ａがタイマ割込処理のステップＳ１３を実行する部分）と、
遊技球が始動入賞したときに前記数値更新手段が更新する前記所定範囲の数値のうちいずれかの数値を判定用数値（当り判定用乱数）として取得する判定用数値取得手段（主制御ＭＰＵ１０１ａが始動口通過処理のステップＳ４３で当り判定用乱数を取得する部分）と、
該判定用数値取得手段が取得した前記判定用数値を取得した順序を特定可能に所定数（この例では４つ）まで記憶可能な判定用数値記憶手段（主制御ＭＰＵ１０１ａに内蔵されるＲＡＭの乱数記憶領域）と、
該判定用数値記憶手段に記憶される判定用数値のうち前記複数種類の特別図柄情報の変動表示の開始条件が成立（前回の特別図柄の変動表示、大当り遊技状態、及び小当り遊技状態が終了して後述する特別図柄プロセスフラグが特別図柄通常処理を行うべき旨を示している状態）した判定用数値（開始条件成立時に最先の乱数記憶領域に記憶される当り判定用乱数）が予め決められた当選判定値（この例では、低確率時であれば「１１」、高確率時であれば「１１」、「２３」、「３１」、「１１７」、「１８７」、「２３３」、「２４１」、「２９１」、「３１３」、及び「３７３」）と合致するか否かを判定し、合致する場合には前記特別可変表示装置の表示結果を前記特定表示結果に決定する変動開始時判定手段（主制御ＭＰＵ１０１ａが当り判定処理を実行する部分；ステップＳ１０５）と、
該変動開始時判定手段による判定がなされた場合に、前記複数種類の特別図柄情報を変動表示してから前記特別図柄情報の表示結果を導出表示するまでの変動時間（変動時間）を複数種類の変動時間（この例では図１８に示す変動パターンテーブル（はずれ時変動パターンテーブル及び奥割合当選時変動パターンテーブル）に設定される変動時間）の中からいずれかに決定する変動時間決定手段（主制御ＭＰＵ１０１ａが変動パターン設定処理を実行して変動パターンを決定する部分；ステップＳ５２）と、
該変動時間決定手段が前記変動時間を決定した場合に、前記特別可変表示装置を表示制御して前記複数種類の特別図柄情報の変動表示を開始し、該変動表示開始後の経過時間が前記変動時間決定手段によって決定された変動時間に達したときに前記変動開始時判定手段の判定結果に応じた前記特別図柄情報の表示結果を導出表示する特別表示制御手段（主制御ＭＰＵ１０１ａが特別図柄変動処理及び特別図柄停止処理を実行する部分；ステップＳ５３，Ｓ５４）と、
前記遊技球が始動入賞した後、当該始動入賞に応じて前記判定用数値取得手段が取得した前記判定用数値の前記開始条件が成立する以前に、当該判定用数値の前記開始条件が成立した場合に前記変動時間決定手段によって決定される前記変動時間を事前に判定する変動時間事前判定手段（主制御ＭＰＵ１０１ａが演出事前判定処理のステップＳ６３〜Ｓ６５を実行する部分）と、
該変動時間事前判定手段の判定結果に応じた前記変動時間を判定した順序を特定可能に記憶する判定時間記憶手段（サブ統合ＭＰＵ１１１ａに内蔵されるＲＡＭの事前格納領域）と、
所定の画像情報を表示可能な演出表示装置（画像表示装置４２）と、
該演出表示装置を表示制御する演出表示制御手段（サブ統合ＭＰＵ１１１ａが演出制御処理を実行する部分；ステップＳ６０２）と、を備え、
該演出表示制御手段は、
前記特別表示制御手段による前記複数種類の特別図柄情報の変動表示に同期して前記複数種類の特別図柄情報とは別の複数種類の装飾図柄情報（装飾図柄）を変動表示し、当該変動表示の終了時に前記変動開始時判定手段の判定結果を通知する単独変動制御を実行する単独変動制御手段（サブ統合ＭＰＵ１１１ａが変動演出開始処理のステップＳ８１１で変動パターンに応じたプロセスデータを選択して画像表示装置４２を表示制御することにより、特別図柄の１回の変動表示に同期して装飾図柄の変動表示を１回実行する部分）と、
少なくとも前記判定用記憶手段に２以上の前記変動時間が記憶されている場合に、前記判定時間記憶手段に記憶される複数の変動時間（サブ統合ＭＰＵ１１１ａに内蔵されるＲＡＭの一括変動時間格納領域に格納される変動時間）に対応する複数回の変動表示に亘って前記複数種類の装飾図柄情報とは別の一連の動画像を表示し、当該複数回の変動表示のうちの最後の変動表示を終了するときに当該最後の変動表示に対応する前記変動開始時判定手段の判定結果を通知する一括変動制御を実行する一括変動制御手段（サブ統合ＭＰＵ１１１ａが変動演出開始処理のステップＳ８１１で一括変動時間格納領域に格納される変動時間に応じたプロセスデータを選択して画像表示装置４２を表示制御することにより、特別図柄の複数回の変動表示に同期して装飾図柄の変動表示の表示結果を１度だけ導出表示する部分）と、を備えることを特徴とする。
【０００８】
請求項１記載の遊技機によれば、判定用記憶手段に２以上の変動時間が記憶されている場合に複数の変動時間に対応する複数回の変動表示に亘って複数種類の装飾図柄情報とは別の一連の動画像を表示し、当該複数回の変動表示のうちの最後の変動表示を終了するときに当該最後の変動表示に対応する変動開始時判定手段の判定結果を通知する一括変動制御を実行する一括変動制御手段を備えるため、演出表示装置の表示内容を単純化することができる一方で、単独変動制御で表示制御される装飾図柄とは異なる一連の動画像によって遊技者の興味を引き付けることができ、遊技興趣の低下を抑止できる。また、複数回の変動表示に亘って一連の動画像を表示し、当該複数回の変動表示のうちの最後の変動表示を終了するときに当該最後の変動表示に対応する変動開始時判定手段の判定結果を通知する、すなわち未だ開始条件が成立していない判定用数値に応じた特別図柄情報の最後の変動表示に対して予告的に一括変動制御を実行することができるため、遊技者の興味を引き付け、遊技興趣の低下を抑止できる。
【発明の効果】
【０００９】
このように、本発明によれば、一括変動制御を実行することにより遊技者の興味を引き付けることができるため、変動表示に対する遊技興趣の低下を抑止可能である。
【発明を実施するための最良の形態】
【００１０】
以下、図面を参照して本発明の好適な実施形態について説明する。先ず、図１乃至図３を参照して実施形態に係るパチンコ機の全体構成について説明する。図１は、パチンコ機を示す正面図である。図２は、本体枠および前面枠を開放した状態のパチンコ機を示す斜視図である。図３は、パチンコ機の裏面構成を示す背面図である。
【００１１】
図１に示すように、パチンコ機１は、外枠２、本体枠３、遊技盤４、前面枠５等を備えて構成されている。外枠２は、上下左右の枠材によって縦長四角形の枠状に形成され、外枠２の前側下部には、本体枠３の下面を受ける下受板６を有している。外枠２の前面一側には、ヒンジ機構７によって本体枠３が前方に開閉可能に装着されている。なお、外枠２は、木製の枠材に代えて、樹脂やアルミニウム等の軽金属によって形成された部材であってもよい。
【００１２】
本体枠３は、前枠体８、遊技盤装着枠９、および機構装着枠１０を備えており、これらを合成樹脂材によって一体成形することで構成されている。本体枠３の前側に形成された前枠体８は、外枠２前側の下受板６を除く外郭形状に対応する大きさの矩形枠状に形成され、外枠２に対して開閉自在に構成されている。なお、外枠２に対する本体枠３の開閉は、内枠開放スイッチ３６（図５に符号のみ記載）によって検出されるようになっている。
【００１３】
また、本体枠３は、合成樹脂材によって一体に形成されるとともに、前面側に遊技盤装着枠９が後面側に機構装着枠１０がそれぞれ形成されている。これによって、合成樹脂製の本体枠３は、従来の前枠（内枠、前面枠等と呼ばれることがある）と、機構板（裏機構板、裏セット板等と呼ばれることがある）との機能を兼ね備えている。
【００１４】
前枠体８の後部に一体的に形成された遊技盤装着枠９には、遊技盤４が前方から着脱交換可能に装着されるようになっている。また、遊技盤装着枠９の左側部には、係合突部３３が上下に２つ形成され、遊技盤装着枠９の右側部には、係合凹部（図示しない）が上下に２つ形成されている。また、遊技盤４の盤面（前面）の左側部には係合突部３３と対応する係止凹部３４が上下に２つ形成され（図４参照）、遊技盤４の盤面の右側部には係合凹部と対応する係合フック３５が上下に２つ形成されている。係合フック３５は、遊技盤４と遊技盤装着枠９とを係脱可能に係止する。
【００１５】
また、遊技盤４の左下部には、係止フック３８が形成され（図４参照）、遊技盤装着枠９の左下部には、係止フック３８と対応する付勢ロック部３７が設けられている。遊技盤４を遊技盤装着枠９に装着した場合には、付勢ロック部３７が係止フック３８を下方に付勢して係止する。そして、付勢ロック部３７によって係止フック３８を下方に付勢することにより遊技盤４に下方への付勢力を作用しつつ係止することができる。これにより、遊技盤４が遊技盤装着枠９の下縁部と密着して下方に押圧固定される。
【００１６】
また、遊技盤４の盤面には、外レールと内レールとを備えた案内レール１１が設けられている。また、遊技盤装着枠９よりも下方に位置する前枠体８の前側下部の一側寄りには、重低音用スピーカ１４が装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着されている。下前面部材１６前面のほぼ中央には、下皿１７が設けられ、片側寄りには操作ハンドル１８が設けられている。
【００１７】
また、図２に示すように、本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３とを備えている。
【００１８】
しかして、シリンダー錠２４の鍵穴に鍵が挿入されて一方向に回動操作されることによって、本体枠施錠フック２１と外枠２の閉止具２０との係合が解除されて本体枠３が解錠され、これとは逆方向に鍵が回動操作されることによって、扉施錠フック２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８および下前面部材１６を貫通して下前面部材１６の前面に露出して配置されている。
【００１９】
本体枠３前面の一側には、ヒンジ機構２５によって前面枠５が前方に開閉可能に装着されている。前面枠５は、扉本体フレーム２６、および上皿２８を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、後述する遊技領域１２を前方から透視可能なほぼ円形状の開口窓３０が形成されている。また、扉本体フレーム２６の後側には、開口窓３０よりも大きい矩形枠状をなす窓枠３１が設けられている。この窓枠３１には、ガラスまたは透明樹脂板等の透明板３２が装着されている。なお、本体枠３に対する前面枠５の開閉は、扉開放スイッチ３９（図５に符号のみ記載）によって検出されるようになっている。
【００２０】
扉本体フレーム２６の前側には、開口窓３０の周囲において、左右両側部にパチンコ機１を光装飾する枠ランプ２７が、下部に上皿２８が、上部に中高音用スピーカ２９が装着されている。なお、枠ランプ２７は、後述する画像表示装置４２にて実行される演出の演出態様に応じて点灯・消灯制御され、中高音用スピーカ２９および上述した重低音用スピーカ１４は、画像表示装置４２にて実行される演出の演出態様に応じて複数種類の音出力態様の音出力制御が実行される。このように、画像表示装置４２にて実行される演出に同期して枠ランプ２７の点灯・消灯制御、中高音用スピーカ２９および重低音用スピーカ１４の音出力制御、を実行することにより演出効果を高め、遊技者の興趣を向上させるためのものである。また、中高音用スピーカ２９および重低音用スピーカ１４では、不正行為が実行されたことを報知する警告音、遊技に関するエラー状態が発生したことを報知する情報音、等の出力も行われる。
【００２１】
次に、本体枠３の裏面構成について説明すると、図３に示すように、本体枠３の裏面上側には、遊技島に設置される球揚送装置から供給される遊技球を貯留する球タンク１０５と、球タンク１０５と払出装置１０３とを接続し、球タンクに貯留される遊技球を流下せしめるタンクレール１０６と、が配置されている。なお、タンクレール１０６によって球タンク１０５と接続される払出装置１０３（球払出手段）は、ユニット状に形成され、タンクレール１０６からの遊技球を受け入れて遊技球の払い出しを指示する信号にもとづいて所定個数の遊技球を払い出す。
【００２２】
また、タンクレール１０６の下方には、基板等が内蔵される基板保護カバー１０７が設けられている。なお、基板保護カバー１０７は、タンクレール１０６から落下した球によってこれら基板類が損傷するのを防止するとともに、各基板への不正行為を防止する役割を担っている。また、基板保護カバー１０７は、パチンコ機１の後面側に張り出しており、その下方に主制御基板１０１が配置されている。また、主制御基板１０１の遊技盤４後面側には周辺制御基板１１１（図５に符号のみ記載）が配置されている。しかして、主制御基板１０１および周辺制御基板１１１の上方がパチンコ機１の後面側に張り出した基板保護カバー１０７によって覆われ、タンクレール１０６から落下した球によって主制御基板１０１および周辺制御基板１１１が損傷するのを防止している。
【００２３】
また、本体枠３の裏面下側一側に発射制御装置１０４（発射手段）が取り付けられている。この発射制御装置１０４は、発射位置に送られた球を発射する発射ハンマーと、発射ハンマーに往復回動動作を付与する発射モータ等を集約して設けることにより構成され、操作ハンドル１８と関連付けられている。また、発射制御装置１０４の右側方には、払出制御基板１０２が設けられている。払出制御基板１０２は、主制御基板１０１からの遊技球の払い出しを指示する信号を受信したことにもとづいて払出装置１０３を駆動制御する。
【００２４】
次に、遊技盤４に設けられる各種構成部材および装置について図４を参照して説明する。図４は、遊技盤４を示す正面図である。
【００２５】
遊技盤４の盤面には、案内レール１１が円形状に立設する。案内レール１１は、外レール１１ａと内レール１１ｂによって構成され、内レール１１ｂの先端部には、外レール１１ａと内レール１１ｂによって囲まれる領域への遊技球の進入を防止する逆流防止弁１１ｃが設けられている。また、内レール１１ｂおよび逆流防止弁１１ｃによって囲まれる領域に遊技領域１２を形成している。遊技領域１２は、種々の部材によって、遊技球を転動可能な領域と、その他の領域（遊技球を転動不可能な領域）と、に区画形成される。具体的には、遊技領域１２の中央部分に、遊技盤４の前面側の盤面から前方に所定の厚みを有し、中央が刳り貫かれた規制壁部材４０が立設し、遊技領域１２を区画している。すなわち、遊技領域１２を流下してきた遊技球が規制壁部材４０に接触すると、規制壁部材４０の左右両側の一方に誘導され、規制壁部材４０の内部に進入できないように規制壁部材４０が形成されている。
【００２６】
また、規制壁部材４０の一部には、遊技球が進入可能な開口（図示しない）が開設され、該開口から進入した遊技球は、規制壁部材４０の内壁に沿って設けられる誘導部材４０ｄにより規制壁部材４０の下部内側面に誘導される。誘導部材４０ｄは、透明な合成樹脂から形成される筒状の部材であり、内部を転動する遊技球を視認可能に構成される。また、規制壁部材４０の下部内側面には、遊技球が転動可能な棚形状を有する入賞補助ステージ４０ｅが形成されている。入賞補助ステージ４０ｅは、その中央部分に前方下方に傾斜した補助溝４０ｆが形成される。該補助溝４０ｆは、後述する上始動口７２の真上に位置し、入賞補助ステージ４０ｅ上を転動する遊技球を上始動口７２の真上に放出し、上始動口７２への入賞を補助するものである。
【００２７】
なお、この実施の形態では、誘導部材４０ｄを透明な合成樹脂から形成することによって内部を転動する遊技球を視認可能としたが、誘導部材４０ｄの内部を転動する遊技球が視認可能であれば誘導部材４０ｄを異なる構成としてもよい。例えば、誘導部材４０ｄの側面にスリット状の開口を複数形成することにより内部を転動する遊技球を視認可能となるようにしてもよい。
【００２８】
規制壁部材４０の内側領域には、複数種類の画像を表示制御可能な画像表示装置４２が配設される。遊技球の進入を阻止する規制壁部材４０内部に画像表示装置４２が設けられるため、画像表示装置４２の前方を遊技球が流下して表示内容を視認し難くなるという不具合を防止できる。また、この実施の形態の画像表示装置４２は、画像を表示可能な液晶表示装置（ＬＣＤ）によって構成され、左・中・右の３つの領域それぞれにて各々を識別可能な複数種類の装飾図柄（例えば、「０」〜「９」のアラビア数字を模した図柄）の変動表示を行う。
【００２９】
規制壁部材４０の右下部には、特別図柄表示器４１、特図保留記憶ＬＥＤ４７、および状態表示ＬＥＤ４３が設けられている。特別図柄表示器４１は、４個のＬＥＤによって構成され、所定の態様でＬＥＤを駆動制御することにより特別図柄を変動表示する。特図保留記憶ＬＥＤ４７は、４個のＬＥＤによって構成され、点灯するＬＥＤの個数を制御することにより後述する特図保留記憶数を表示する。状態表示ＬＥＤ４３は、１個のＬＥＤによって構成され、遊技状態に応じた態様でＬＥＤを駆動させる。
【００３０】
また、規制壁部材４０の右上方（後述する背面装飾部材５０）には、普通図柄表示器４４および普図保留記憶ＬＥＤ４８が設けられている。普通図柄表示器４４は、上下２個のＬＥＤによって構成され、所定の態様でＬＥＤを駆動制御することにより普通図柄を変動表示する。普図保留記憶ＬＥＤ４８は、上下２個のＬＥＤによって構成され、所定の態様でＬＥＤを駆動制御することにより後述する普図保留記憶数を表示する。
【００３１】
規制壁部材４０の左側方には、ゲート７４が設けられている。ゲート７４は、遊技領域１２に突設して遊技球が通過可能な通過領域を形成し、ゲート７４の通過領域を通過した遊技球を検出するゲートスイッチ７４ａが設けられている。なお、上述した普通図柄表示器４４における普通図柄の変動表示は、ゲート７４を遊技球が通過し、ゲートスイッチ７４ａにより遊技球が検出されたことにもとづいて開始される。すなわち、ゲートスイッチ７４ａによる遊技球の検出に応じて普通図柄表示器４４における普通図柄の変動表示が許可される。この例では、普通図柄表示器４４は、上下２つのＬＥＤによって構成され、上下のＬＥＤを交互に点灯させることによって普通図柄の変動表示を実行する。そして、普通図柄表示器４４の上側のＬＥＤを点灯させた状態で変動表示を停止した場合には、当りとなり、普通図柄表示器４４の下側のＬＥＤを点灯させた状態で変動表示を停止した場合には、はずれとなる。
【００３２】
また、規制壁部材４０の中央下方には、上始動口７２と下始動口７３とを備えた可変入賞球装置７１が配置する。可変入賞球装置７１において、上始動口７２は、上方から流下する遊技球を常に受け入れ可能な状態で設けられる。一方、下始動口７３は、上始動口７２の下方に設けられるとともにその両側に可動片７１ａが設けられ、上方および左右両側が塞がれた状態で設けられる。すなわち、可変入賞球装置７１において、下始動口７３は、遊技球を受け入れ不可能な状態で設けられている。可動片７１ａは、普通電動役物ソレノイド７１ｂにより下部を支点として回動し、可変入賞球装置７１の状態を下始動口７３に遊技球を受け入れ可能な開放状態と、下始動口７３に遊技球を受け入れ不可能な閉塞状態と、のいずれかの状態に制御する。また、上始動口７２に入賞した遊技球は上始動口スイッチ７２ａによって検出され、下始動口７３に入賞した遊技球は下始動口スイッチ７３ａによって検出される。
【００３３】
なお、上述した特別図柄表示器４１における特別図柄の変動表示は、上始動口７２に遊技球が入賞して上始動口スイッチ７２ａにより遊技球が検出されたこと（所謂始動入賞）、および、下始動口７３に遊技球が入賞して下始動口スイッチ７３ａにより遊技球が検出されたこと（所謂始動入賞）、にもとづいて開始される。すなわち、上始動口スイッチ７２ａ及び下始動口スイッチ７３ａによる遊技球の検出に応じて特別図柄表示器４１における特別図柄の変動表示が許可される。この例では、特別図柄表示器４１は、４つのＬＥＤによって構成され、４個のＬＥＤを所定の態様で駆動制御することにより特別図柄の変動表示を実行する。
【００３４】
規制壁部材４０の上部には、大入賞口開閉装置７５が配設されている。大入賞口開閉装置７５は、大入賞口の状態を、遊技球を受け入れ可能な開放状態と、遊技球を受け入れ不可能（開放状態よりも受け入れ難い状態でもよい）な閉塞状態と、のいずれかの状態に制御する装置である。具体的には、大入賞口開閉装置７５は、大入賞口の上方に突設する封鎖部材（図示しない）と、大入賞口の左右両側に配置する可動片（図示しない）と、により遊技球の進入を阻害するように構成され、大入賞口ソレノイド７６ａにより大入賞口の左右両側に配置する可動片を回動して遊技球を受け入れ可能な開放状態と遊技球を受け入れ不可能な閉塞状態とに制御する。大入賞口に入賞した遊技球は、カウントスイッチ７５ａによって検出される。また、大入賞口に遊技球が入賞し、カウントスイッチ７５ａによって検出されたことにもとづいて所定数（例えば、１３個）の遊技球の払い出しが行われる。
【００３５】
また、遊技領域１２の最下部には、遊技領域１２を流下していずれの入賞口や入賞装置にも入賞しなかった遊技球を遊技領域１２から排出するアウト口７７が設けられている。また、遊技領域１２には、上方から遊技球を受け入れ可能な複数の一般入賞口（左上・左中入賞口１３ａ、左下入賞口１３ｂ、右入賞口１３ｃ）も設けられ、いずれかの一般入賞口に遊技球が入賞したことにもとづいて所定数（例えば、１０個）の遊技球の払い出しが行われる。なお、左上・左中入賞口１３ａに入賞した遊技球は、左上・左中入賞口スイッチ１３ｄによって検出され、左下入賞口１３ｂに入賞した遊技球は、左下入賞口スイッチ１３ｅによって検出され、右入賞口１３ｃに入賞した遊技球は、右入賞口スイッチ１３ｆによって検出される。この例では、上述した可変入賞球装置７１、および一般入賞口１３ａ〜１３ｃは、板状パネル７０に突設して一体形成され、遊技球が入賞可能な入賞領域を形成する。
【００３６】
また、遊技盤４の前面（遊技領域１２が形成される側）には、遊技球の流下方向を変化させる複数の障害釘が植設する。また、以上説明した一般入賞口１３ａ〜１３ｃおよび各種入賞口（上始動口７２、下始動口７３、大入賞口）に入賞した遊技球は、各球検出スイッチによって検出された後、遊技盤４の裏面に排出されるが、これら全ての遊技球は、遊技盤４裏面に設けられた全入賞口入賞数計数スイッチ４５ａ（図５に符号のみ記載）によって検出されるようになっている。
【００３７】
次に、パチンコ機１の裏面側に設けられる主基板１００と周辺基板１１０とについて説明する。図５は主基板１００と周辺基板１１０とを示すブロック図である。
【００３８】
主基板１００は、図５に示すように、主制御基板１０１および払出制御基板１０２により構成されている。主制御基板１０１は、図５に示すように、マイクロプロセッサとしての主制御ＭＰＵ１０１ａと、入出力デバイス（Ｉ／Ｏデバイス）としての主制御Ｉ／Ｏポート１０１ｂと、を備えている。主制御ＭＰＵ１０１ａには、各種処理プログラムや各種コマンドを記憶するＲＯＭと、一時的にデータを記憶するＲＡＭと、が内蔵されている。また、不正を防止するための機能も内蔵されている。
【００３９】
主制御Ｉ／Ｏポート１０１ｂを介して、カウントスイッチ７５ａ、上始動口スイッチ７２ａ、下始動口スイッチ７３ａ、ゲートスイッチ７４ａ、左上・左中入賞口スイッチ１３ｄ、左下入賞口スイッチ１３ｅ、右入賞口スイッチ１３ｆ、全入賞口入賞数計数スイッチ４５ａ、磁気検知スイッチ４５ｂ、扉開放スイッチ３９、および内枠開放スイッチ３６からの検出信号がそれぞれ入力される。
【００４０】
なお、全入賞口入賞数計数スイッチ４５ａは、遊技領域１２に設けられた複数種類の入賞口（この例では、一般入賞口１３ａ〜１３ｃ、上始動口７２、下始動口７３、および大入賞口）に入賞した全ての遊技球を検出するスイッチであり、主制御ＭＰＵ１０１ａは、全入賞口入賞数計数スイッチ４５ａによって遊技球が検出されたことにもとづいて入賞球数を計数する。また、磁気検知スイッチ４５ｂは、遊技盤４の後面側であって、遊技領域１２における上始動口７２および下始動口７３の近傍に設けられ、磁気変化を検出するものである。すなわち、磁気検知スイッチ４５ｂは、磁石等を用いて遊技球を上始動口７２および下始動口７３に不正に入賞させる不正行為がなされたことを検出するスイッチであり、主制御ＭＰＵ１０１ａは、磁気検知スイッチ４５ｂによって磁気が変化したことを検出したときに不正がなされたことを報知する処理を行う。
【００４１】
また、主制御ＭＰＵ１０１ａは、上記した検出信号にもとづき、主制御Ｉ／Ｏポート１０１ｂを介して普通電動役物ソレノイド７１ｂ、大入賞口ソレノイド７６ａ、特別図柄表示ＬＥＤ基板４６（特別図柄表示器４１および特図保留記憶ＬＥＤ４７を搭載する基板）、普通図柄表示ＬＥＤ基板４９（普通図柄表示器４４および普図保留記憶ＬＥＤ４８を搭載する基板）、および状態表示ＬＥＤ基板（状態表示ＬＥＤ４３を搭載する基板；図示しない）を駆動する駆動信号を出力する。
【００４２】
主制御基板１０１と払出制御基板１０２との基板間では、互いに、つまり双方向に各種コマンドがやり取りされ、主制御基板１０１と周辺制御基板１１１との基板間では、主制御基板１０１から周辺制御基板１１１へ、つまり一方向に各種コマンドが出力されている。
【００４３】
払出制御基板１０２は、図５に示すように、マイクロプロセッサとしての払出制御ＭＰＵ１０２ａと、Ｉ／Ｏデバイスとしての払出制御Ｉ／Ｏポート１０２ｂと、を備えている。払出制御ＭＰＵ１０２ａには、各種処理プログラムや各種コマンドを記憶するＲＯＭと、一時的にデータを記憶するＲＡＭと、が内蔵されている。また、不正を防止するため機能も内蔵されている。
【００４４】
主制御基板１０１から出力された払出装置１０３（払出モータ）を駆動するコマンドは払出制御Ｉ／Ｏポート１０２ｂを介して入力され、払出制御ＭＰＵ１０２ａは、このコマンドにもとづき、払出制御Ｉ／Ｏポート１０２ｂを介して払出装置１０３（払出モータ）を駆動する駆動信号を出力する。これにより、払出装置１０３は賞球（景品球ともいう）を払い出す。なお、払出制御ＭＰＵ１０２ａは、図示しないプリペイドカードユニットから貸球要求信号が入力されると、貸球を払い出す。また、払出制御ＭＰＵ１０２ａは、主制御基板１０１から出力された異常発生時（例えば、磁気検知スイッチにより磁気変化を検出した）のコマンドが払出制御Ｉ／Ｏポート１０２ｂを介して入力されると、このコマンドにもとづいて発射制御装置１０４（発射モータ）の駆動を停止する駆動停止信号を、払出制御Ｉ／Ｏポート１０２ｂを介して出力する。これにより、発射制御装置１０４は異常発生時にその駆動が停止される。
【００４５】
周辺基板１１０は、図５に示すように、周辺制御基板１１１により構成されている。周辺制御基板１１１は、図５に示すように、一時的にデータを記憶するＲＡＭが内蔵され、マイクロプロセッサとしてのサブ統合ＭＰＵ１１１ａと、各種処理プログラムや各種コマンドを記憶するサブ統合ＲＯＭ１１１ｂと、高音質の演奏を行う音源ＩＣ１１１ｃと、この音源ＩＣ１１１ｃが参照する音楽および効果音等の音情報が記憶されている音ＲＯＭ１１１ｄ、を備えている。
【００４６】
サブ統合ＭＰＵ１１１ａは、主制御基板１０１からコマンド（演出コマンド）を受け取ると、このコマンドにもとづいて表示演出に関する表示コマンドを作成し、液晶表示基板１２０に出力する。液晶表示基板１２０は、サブ統合ＭＰＵ１１１ａから出力された表示コマンドに応じてＬＥＤモジュール（画像表示装置４２）を制御して装飾図柄の変動表示、キャラクタ等の画像表示等を行う。
【００４７】
また、サブ統合ＭＰＵ１１１ａは、パラレル入出力ポートやシリアル入出力ポート等を内蔵しており、主制御基板１０１からコマンドを受け取ると、このコマンドにもとづいて、演出に関するコマンドを作成し、このコマンドを、パラレル入出力ポートから音源ＩＣ１１１ｃに出力する。音源ＩＣ１１１ｃは、サブ統合ＭＰＵ１１１ａから出力されたコマンドに応じて、音ＲＯＭ１１１ｄから音情報を読み込み、上述した重低音用スピーカ１４および中高音用スピーカ２９から各種演出に合わせた音楽および効果音等が出るよう制御を行う。また、サブ統合ＭＰＵ１１１ａは、液晶表示基板１２０への表示コマンド出力及び音源ＩＣ１１１ｃへのコマンド出力に合わせて、枠ランプ２７（図５には、枠装飾基板２７ａと記載）を駆動する駆動データを出力する。
【００４８】
また、サブ統合ＭＰＵ１１１ａは、液晶表示基板１２０への表示コマンド出力及び音源ＩＣ１１１ｃへのコマンド出力に合わせて、シリアル入出力ポートからランプ駆動基板１１９に、パチンコ機１を光装飾する各種ＬＥＤ（例えば、遊技盤左上ＬＥＤ基板１１９ａ、遊技盤左中ＬＥＤ基板１１９ｂ、遊技盤左ＬＥＤ基板１１９ｃ、遊技盤左下ＬＥＤ基板１１９ｄ、遊技盤下ＬＥＤ基板１１９ｅ、右下飾りＬＥＤ基板１１９ｆ、右ワープＬＥＤ基板１１９ｇ、右上飾り上ＬＥＤ基板１１９ｈ、右上飾り中ＬＥＤ基板１１９ｉ、右上飾り下ＬＥＤ基板１１９ｊ、および大入賞口内ＬＥＤ基板１１９ｋ）に搭載されるＬＥＤを点灯／消灯（ＯＮ／ＯＦＦ）するＯＮ／ＯＦＦデータと、各種モータ（例えば、大入賞口内振分モータ５９ａ）を駆動する駆動データと、を出力する。
【００４９】
なお、右ワープＬＥＤ基板１１９ｇは、規制壁部材４０の右側方に設けられ、規制壁部材４０の右側方の遊技領域を光装飾するものである。また、右上飾り上ＬＥＤ基板１１９ｈ、右上飾り中ＬＥＤ基板１１９ｉ、および、右上飾り下ＬＥＤ基板１１９ｊは、後述する右上装飾部材４０ｃの後面側に設けられ、右上装飾部材４０ｃを光装飾するものである。また、大入賞口内ＬＥＤ基板１１９ｋは、大入賞口開閉装置７５の後面側に設けられ、大入賞口を光装飾するものである。
【００５０】
また、大入賞口内振分モータ５９ａの位置を検出する大入賞口内振分モータセンサ５９ｂ、振分装置進入スイッチ５９ｃ、振分装置進入スイッチ５８ｄ、特定演出スイッチ６２ｄ、特定演出排出スイッチ５５ｄからの検出信号は、ランプ駆動基板１１９を介して周辺制御基板１１１に入力される。サブ統合ＭＰＵ１１１ａは、大入賞口内振分モータセンサ５９ｂ、振分装置進入スイッチ５９ｃ、振分装置進入スイッチ５８ｄ、特定演出スイッチ６２ｄ、特定演出排出スイッチ５５ｄからの検出信号が入力されると、大入賞口内振分モータ５９ａ、液晶表示基板１２０等に制御信号を出力する。
【００５１】
このように本実施形態では、特別図柄を変動表示する特別図柄表示器４１を主基板１００に搭載される主制御ＭＰＵ１０１ａで制御する一方、規制壁部材４０および背面装飾部材５０に設けられている各種装置（画像表示装置４２等）を周辺基板１１０に搭載されるサブ統合ＭＰＵ１１１ａで制御するようになっている。このため、主基板１００（主制御ＭＰＵ１０１ａ）の制御負担を軽減することができるとともに、周辺基板１１０（サブ統合ＭＰＵ１１１ａ）の制御によって規制壁部材４０および背面装飾部材５０に設けられている各種装置によって多彩な演出を実行することができ、演出に対する興趣を低減しない構成にできる。
【００５２】
ここで、上述した各種構成部材および装置等が設けられた遊技盤４にて実現される遊技について説明する。遊技者が操作ハンドル１８を操作することによりパチンコ機１の裏面側に設けられる発射制御装置１０４によって遊技球が打ち出される。発射制御装置１０４から打ち出された遊技球は、発射レール１５および案内レール１１の外レール１１ａと内レール１１ｂとによって囲まれる領域を通って遊技領域１２の上部に放出され、遊技領域１２を障害釘等に衝突しながらアウト口７７に向かって流下する。そして、遊技領域１２を流下する遊技球がゲート７４を通過し、ゲートスイッチ７４ａによって検出されると、普通図柄表示器４４で普通図柄の変動表示が開始される。
【００５３】
なお、ゲートスイッチ７４ａにより遊技球が検出されると、所定範囲の普通図柄当り判定乱数を更新するカウンタから普通図柄当り判定乱数を抽出する。そして、普通図柄表示器４４にて普通図柄の変動表示を開始するときに、普通図柄当り判定乱数にもとづいて当りとするか否かの判定を行い、変動表示の結果、判定結果に応じた態様でＬＥＤを停止表示する。具体的には、当りと判定された場合には、普通図柄表示器４４の上側のＬＥＤを点灯した状態で普通図柄の変動表示を停止させ、はずれと判定された場合には、普通図柄表示器４４の下側のＬＥＤを点灯した状態で普通図柄の変動表示を停止させる。
【００５４】
また、普通図柄表示器４４にて普通図柄の変動表示を実行中、および、普通図柄表示器４４の表示結果が当りとなったことにもとづいて可変入賞球装置７１を開閉制御しているときに遊技球がゲート７４を通過し、ゲートスイッチ７４ａにより遊技球が検出されたことにもとづいて抽出された普通図柄当り判定乱数は、所定個数（この実施の形態では、４個）まで記憶可能とされ、記憶される普通図柄当り判定乱数の個数（普図保留記憶数）は普図保留記憶ＬＥＤ４８によって表示される。上述したように、普図保留記憶ＬＥＤ４８は、２個のＬＥＤによって構成される。この例では、上側のＬＥＤを点灯させることにより普図保留記憶数が１であることを示し、上下２個のＬＥＤを点灯させることにより普図保留記憶数が２であることを示し、上側のＬＥＤを点滅させて下側のＬＥＤを点灯させることにより普図保留記憶数が３であることを示し、上下２つのＬＥＤを点滅させることにより普図保留記憶数が４であることを示す。
【００５５】
また、普通図柄表示器４４における普通図柄の変動表示は、所定期間経過後に停止し、停止時の普通図柄の表示結果が「当り」となったときに可変入賞球装置７１を所定時間（例えば、５００ｍｓ（０．５秒））開放状態に制御する。一方、普通図柄表示器４４の表示結果が「はずれ」となった場合には、可変入賞球装置７１を開放状態に制御することなく下始動口７３に遊技球を受け入れ不可能な閉塞状態を維持するが、上始動口７２は遊技球を受け入れ可能な状態となっている。
【００５６】
すなわち、下始動口７３は、普通図柄表示器４４に当りとなる表示結果が停止表示されたときに所定時間（例えば、５００ｍｓ（０．５秒））開放状態に制御される。具体的には、普通図柄表示器４４に当りとなる表示結果が停止表示されたことにもとづいて普通電動役物ソレノイド７１ｂを可動して可動片７１ａを回動し、可変入賞球装置７１を開放状態に制御する。そして、所定期間経過したときに再び普通電動役物ソレノイド７１ｂを可動して可動片７１ａを回動し、可変入賞球装置７１を閉塞状態に制御する。可変入賞球装置７１を開放状態に制御することにより下始動口７３に遊技球を受け入れ可能な状態になり、可変入賞球装置７１を閉塞状態に制御することにより遊技球を受け入れ不可能な状態になる。
【００５７】
また、遊技領域１２を流下する遊技球が上始動口７２、または、下始動口７３に入賞すると、特別図柄表示器４１にて特別図柄の変動表示を開始可能な状態（特別図柄プロセスフラグが特別図柄通常処理を行うべき旨を示している状態であって、具体的には、大当り遊技及び小当り遊技状態中でない状態であり、且つ特別図柄及び装飾図柄の変動表示中でない状態）であれば、特別図柄表示器４１にて特別図柄の変動表示を開始するとともに、画像表示装置４２にて装飾図柄の変動表示を開始し、所定期間経過後に特別図柄表示器４１における特別図柄の変動表示、および、画像表示装置４２における装飾図柄の変動表示を停止して表示結果を導出する。
【００５８】
なお、本実施形態では、特別図柄の変動表示が許可される入賞口として、可変入賞球装置７１に設けられる上始動口７２および下始動口７３の２つの始動入賞口が設けられているが、可変入賞球装置７１に設けられる始動入賞口の設置個数はこれらに限られず、例えば、上始動口７２と、下始動口７３と、のいずれか一方のみ設ける構成であってもよい。また、上始動口７２に遊技球が入賞して上始動口スイッチ７２ａによって検出されたこと、および、下始動口７３に遊技球が入賞して下始動口スイッチ７３ａによって検出されたことにもとづいて所定数（例えば、３個）の遊技球の払い出しが行われる。また、上始動口７２に遊技球が入賞し、上始動口スイッチ７２ａによって遊技球が検出されたときと、下始動口７３に遊技球が入賞し、下始動口スイッチ７３ａによって遊技球が検出されたときと、で異なる個数の遊技球を払い出すようにしてもよい。例えば、上始動口７２に遊技球が入賞し、上始動口スイッチ７２ａによって遊技球が検出されたときに３個の遊技球を払い出し、下始動口７３に遊技球が入賞し、下始動口スイッチ７３ａによって遊技球が検出されたときに４個の遊技球を払い出すようにしてもよい。
【００５９】
また、上始動口スイッチ７２ａ及び下始動口スイッチ７３ａにより遊技球が検出されると、所定範囲（本例では「０」〜「３９９」の範囲）の当り判定用乱数を更新するカウンタから当り判定用乱数を抽出する。また、特別図柄表示器４１にて特別図柄の変動表示を開始するとき（および、画像表示装置４２にて装飾図柄の変動表示を開始するとき）に、当り判定用乱数にもとづいて当り（１５Ｒ大当り、２Ｒ大当り、小当り）とするか否かの判定を行い、変動表示の結果、判定結果に応じた態様で特別図柄表示器４１のＬＥＤを点灯制御するとともに、画像表示装置４２に判定結果に応じた装飾図柄を導出表示する。具体的には、当り（１５Ｒ大当り、２Ｒ大当り）とする判定がなされた場合には、特別図柄表示器４１の４個のＬＥＤを特定の態様（大当り図柄若しくは特定表示結果ともいう）で点灯表示するとともに、画像表示装置４２に装飾図柄の特定表示結果を導出表示し、小当り（小当り）とする判定がなされた場合には、特別図柄表示器４１の４個のＬＥＤを特殊態様（小当り図柄若しくは特殊表示結果ともいう）で点灯表示するとともに、画像表示装置４２に装飾図柄の特殊表示結果を導出表示する。一方、はずれと判定された場合には、特別図柄表示器４１の４個のＬＥＤを特定の態様及び特殊態様とは異なる態様（はずれ図柄若しくは非特定表示結果ともいう）で点灯表示するとともに、画像表示装置４２にはずれ状態となる表示結果（はずれ図柄：非特定表示結果、この実施の形態では、少なくとも２種類以上の識別情報（図柄）の組み合わせ）を導出表示する。このように、特別図柄表示器４１における特別図柄の表示結果と、画像表示装置４２における装飾図柄の表示結果と、は対応している。
【００６０】
また、画像表示装置４２にて変動表示される装飾図柄は特別図柄表示器４１にて変動表示される特別図柄とは異なる演出用の図柄であり、特別図柄表示器４１にて行われる変動表示の内容を、演出用の装飾図柄を用いてより演出効果を高めて遊技者に表示するものである。つまり、特別図柄表示器４１の４個のＬＥＤを特定の態様で点灯表示した場合には大当り遊技状態（１５Ｒ大当り遊技状態、２Ｒ大当り遊技状態）に移行制御するが、万が一、画像表示装置４２にて装飾図柄の表示結果が特定表示結果となっても特別図柄表示器４１の４個のＬＥＤを特定の態様とは異なる態様で点灯表示した場合には大当り遊技状態に移行制御されない。
【００６１】
さらに、この実施の形態では、特別図柄表示器４１の４個のＬＥＤによって点灯表示する特定の態様は、高利益特別態様（１５Ｒ確変大当り図柄）と、高利益特別態様とは異なる高利益非特別態様（１５Ｒ非確変図柄）と、低利益特別態様（２Ｒ大当り図柄）と、を含む。
【００６２】
そして、特別図柄表示器４１の４個のＬＥＤを特定の態様のうち高利益特別態様（１５Ｒ確変大当り図柄）で点灯表示する場合には、画像表示装置４２に装飾図柄の表示結果として特定表示結果のうち高利益特別表示結果（１５Ｒ確変大当り図柄：この実施の形態では、同一の奇数図柄の組み合わせ）を導出表示し、特別図柄表示器４１の４個のＬＥＤを特定の態様のうち低利益特別態様（２Ｒ大当り図柄）で点灯表示する場合には、画像表示装置４２に装飾図柄の表示結果として特定表示結果のうち低利益表示結果（２Ｒ大当り図柄（はずれ図柄のうち予め定められた装飾図柄の組み合わせ）：この実施の形態では、「１」と「２」と「３」を含む図柄の組み合わせ、例えば、「１２３」、「２１３」等、チャンス目ともいう）を導出表示する。
【００６３】
また、特別図柄表示器４１の４個のＬＥＤを特定の態様のうち高利益非特別態様（１５Ｒ非確変図柄）で点灯表示する場合には、画像表示装置４２に装飾図柄の表示結果として特定表示結果のうち高利益非特別表示結果（１５Ｒ非確変図柄：この実施の形態では、同一の偶数図柄の組み合わせ）を導出表示し、特別図柄表示器４１の４個のＬＥＤを特殊態様（小当り図柄）で点灯表示する場合には、画像表示装置４２に装飾図柄の表示結果として特定表示結果のうち特殊表示結果（小当り図柄（はずれ図柄のうち予め定められた装飾図柄の組み合わせ）：この実施の形態では、２Ｒ大当り図柄と同様に、「１」と「２」と「３」を含む図柄の組み合わせ、例えば、「１２３」、「２１３」等、チャンス目ともいう）を導出表示する。
【００６４】
また、この実施の形態では、特別図柄表示器４１に表示される低利益特別態様に対応して画像表示装置４２に表示される低利益表示結果と、特別図柄表示器４１に表示される特殊態様に対応して画像表示装置４２に表示される特殊表示結果と、を同一の図柄の組み合わせ（「１」と「２」と「３」を含む図柄の組み合わせ、例えば、「１２３」、「２１３」等）としている。そのため、画像表示装置４２を視認している遊技者にとっては、小当り遊技状態となったか、２Ｒ大当り遊技状態となったかを把握することが困難となる。また、本例では、特殊表示結果としてはずれ図柄のうち予め定められた装飾図柄の組み合わせとするため、特別図柄表示器４１の表示結果がはずれとなる場合にも画像表示装置４２に特殊表示結果が表示される。そのため、画像表示装置４２に特殊表示結果が導出されたときに２Ｒ大当りであるか、小当りであるか、はずれであるか、の判別が困難になる。なお、特別図柄表示器４１の表示結果がはずれとなる場合には画像表示装置４２に特殊表示結果を表示しないように構成してもよい。
【００６５】
特別図柄表示器４１の４個のＬＥＤを高利益特別態様及び低利益特別態様で点灯表示した場合には、大当り遊技状態に制御し、該大当り遊技状態終了後に通常状態および後述する時短状態よりも高い確率で大当り（１５Ｒ大当り、２Ｒ大当り）と判定される高確率状態（この実施の形態では、高確率状態では、１／８０の確率で大当り（１５Ｒ大当り、２Ｒ大当り）と判定、通常状態および時短状態では、１／４００の確率で大当り（１５Ｒ大当り、２Ｒ大当り）と判定）に制御する。
【００６６】
また、特別図柄表示器４１の４個のＬＥＤを高利益非特別態様で点灯表示した場合には、大当り遊技状態に制御し、該大当り遊技状態終了後に特別図柄表示器４１により特別図柄の変動表示を所定回数（例えば、１００回）実行するまで、特別図柄の変動表示を開始してから特別図柄を停止表示するまでの変動時間と、普通図柄表示器４４により普通図柄の変動表示を開始してから普通図柄を停止表示するまでの変動時間と、を通常状態よりも短縮する時短状態に制御する。なお、画像表示装置４２による装飾図柄の変動表示は特別図柄表示器４１による特別図柄の変動表示と同期している。具体的には、特別図柄表示器４１により特別図柄の変動表示を開始するときに画像表示装置４２により装飾図柄の変動表示を開始し、特別図柄表示器４１により特別図柄を停止表示するときに画像表示装置４２により装飾図柄を停止表示する。すなわち、特別図柄表示器４１による特別図柄の変動時間と、画像表示装置４２による装飾図柄の変動時間と、は同一の時間とされ、時短状態において特別図柄表示器４１による特別図柄の変動時間が短縮されることに伴って画像表示装置４２による装飾図柄の変動時間も短縮される。
【００６７】
また、時短状態では、さらに、下始動口７３が開放状態にされる開放時間を通常状態よりも延長する制御（この実施の形態では、通常状態では、５００ｍｓ（０．５秒）、時短状態では、５ｓ（５秒））と、普通図柄表示器４４における普通図柄の変動表示の結果が当り（この実施の形態では、普通図柄表示器４４の上側のＬＥＤを点灯表示）となる確率を高める制御と、が実行される。なお、通常状態とは、高確率状態および時短状態とは異なる遊技状態のことである。また、時短状態では、大当り（１５Ｒ大当り、２Ｒ大当り）と判定される確率は通常状態と同じ（低確率）であるため、通常状態と時短状態とを総称して低確率状態と呼ぶことがある。
【００６８】
また、この実施の形態では、特別図柄表示器４１の４個のＬＥＤを高利益特別態様（１５Ｒ確変大当り図柄）で点灯表示したことに基づく大当り遊技状態を実行して、大当り遊技状態の終了後に高確率状態に制御する場合には、時短状態の制御も並行して行われる。すなわち、特別図柄表示器４１の４個のＬＥＤを高利益特別態様で点灯表示した場合には、大当り遊技状態の終了後に特別図柄の変動表示を所定回数実行するまで時短状態の制御と高確率状態の制御との両方が並行して行われ、大当り遊技状態の終了後の特別図柄の変動表示の実行回数が所定回数に達したときに時短状態の制御を終了し、高確率状態の制御を単独で行うようになる。なお、時短状態の制御を終了するときに高確率状態の制御を終了するようにしてもよい。すなわち、大当り遊技状態の終了後に特別図柄の変動表示を所定回数（例えば、１００回）実行するまで通常状態および時短状態よりも高い確率で大当り（１５Ｒ大当り、２Ｒ大当り）と判定される高確率状態に制御するようにしてもよい。
【００６９】
一方、特別図柄表示器４１の４個のＬＥＤを低利益特別態様（２Ｒ大当り図柄）で点灯表示したことに基づく大当り遊技状態を終了して大当り遊技状態の終了後に高確率状態に制御する場合には、大当り遊技状態を終了するときの遊技状態に応じて時短状態の制御を並行して行う場合と時短状態の制御を並行して行わない場合とがある。具体的には、特別図柄表示器４１の４個のＬＥＤを低利益特別態様（２Ｒ大当り図柄）で点灯表示したことに基づく大当り遊技状態を終了するときに遊技状態を判別し、時短状態の制御が行われていれば大当り遊技状態の終了後に高確率状態の制御と並行して時短状態の制御を行い、時短状態の制御が行われていなければ大当り遊技状態の終了後に高確率状態の制御を単独で行う。
【００７０】
また、上述した例に限らず、時短状態では、特別図柄表示器４１および画像表示装置４２における特別図柄および装飾図柄の変動時間を通常状態よりも短縮する制御、普通図柄表示器４４における普通図柄の変動時間を通常状態よりも短縮する制御、普通図柄表示器４４における普通図柄の変動表示の結果が当りとなる確率を通常状態よりも高める制御、可変入賞球装置７１が開放状態にされる開放時間を通常状態よりも延長する制御、可変入賞球装置７１が開放状態にされる回数を通常状態よりも増加する制御、のうちいずれか１つ、または、任意の組み合わせ（全部でもよい）を実行するようにしてもよい。
【００７１】
また、特別図柄表示器４１の４個のＬＥＤを特殊態様で点灯表示した場合には、小当り遊技状態に制御する。なお、小当り遊技状態の終了後には、小当り遊技状態を開始する以前の遊技状態を継続させる。すなわち、遊技状態が上記高確率状態である場合に小当り遊技状態となった場合には、小当り遊技状態の終了後に継続して高確率状態に制御する。また、遊技状態が上記時短状態である場合に小当り遊技状態となった場合には、小当り遊技状態の終了後に時短状態の終了条件（特別図柄の変動表示の実行回数が所定回数に達していること）が成立していなければ継続して時短状態に制御し、小当り遊技状態の終了後に時短状態の終了条件が成立していれば通常状態に制御する。このように、小当り遊技状態は、大当り遊技状態とは異なり、遊技状態の変化に直接起因するものではなく、単に賞球の払い出しを得る機会を与えるものである。
【００７２】
また、この実施の形態では、画像表示装置４２の３つの表示領域に対応する左・中・右の装飾図柄は、左装飾図柄→右装飾図柄→中装飾図柄の順に停止するように制御される。装飾図柄の停止図柄とは、左・中・右の装飾図柄の変動表示を開始してから中装飾図柄が停止表示されることにより左・中・右の装飾図柄全てが停止表示された状態の図柄の組み合わせをいう。
【００７３】
また、特別図柄表示器４１にて特別図柄の変動表示を実行中、または、大当り遊技状態（１５Ｒ大当り遊技状態、２Ｒ大当り遊技状態）及び小当り遊技状態の実行中、に上始動口７２、または、下始動口７３に遊技球が入賞し、上始動口スイッチ７２ａ及び下始動口スイッチ７３ａにより遊技球が検出された（所定条件成立）ことにもとづいて抽出された当り判定用乱数は、所定個数（この実施の形態では、４個）まで記憶可能とされ、記憶される当り判定用乱数の個数（特図保留記憶数）は、特図保留記憶ＬＥＤ４７によって表示される。上述したように、特図保留記憶ＬＥＤ４７は、４つのＬＥＤによって構成される。この例では、１個のＬＥＤを点灯させることにより特図保留記憶数が１であることを示し、２個のＬＥＤを点灯させることにより特図保留記憶数が２であることを示し、３個のＬＥＤを点灯させることにより特図保留記憶数が３であることを示し、４個のＬＥＤを点灯させることにより特図保留記憶数が４であることを示す。すなわち、始動入賞が発生する毎に特別保留記憶ＬＥＤ４７の点灯するＬＥＤを１つ増やし、特別図柄の変動表示の開始条件（前回の特別図柄の変動表示、大当り遊技状態、及び小当り遊技状態が終了して後述する特別図柄プロセスフラグが特別図柄通常処理を行うべき旨を示している状態）が成立したことに基づいて特別保留記憶ＬＥＤ４７の点灯するＬＥＤを１つ減らす。このように、特図保留記憶ＬＥＤ４７は、所定条件が成立（上始動口７２、または、下始動口７３に遊技球が入賞）したが未だ特別図柄の変動表示が開始されていない記憶数（特図保留記憶数）を表示するものである。
【００７４】
この実施の形態では、大当り遊技状態及び小当り遊技状態では、大入賞口ソレノイド７６ａにより大入賞口の左右両側に配置する可動片を回動して大入賞口に遊技球を受け入れ可能な開放状態に制御する。なお、特別図柄表示器４１の４個のＬＥＤを特定の態様のうち高利益特別態様および高利益非特別態様で点灯表示したときには、１５Ｒ大当り遊技状態に制御し、大入賞口を開放状態に制御してから所定時間（例えば、３０ｓ（３０秒））が経過したとき、あるいは所定個数（例えば、１０個）の遊技球が大入賞口に入賞したとき、に大入賞口ソレノイド７６ａにより再び大入賞口の左右両側に配置する可動片を回動して大入賞口に遊技球を受け入れ不可能な閉塞状態に制御する。大入賞口に遊技球を受け入れ可能な開放状態に制御してから大入賞口に遊技球を受け入れ不可能な閉塞状態に制御するまでが大当り遊技状態における１ラウンド（１Ｒ）である。１５Ｒ大当り遊技状態は、１５ラウンド（１５Ｒ）を実行したときに終了する。
【００７５】
また、特別図柄表示器４１の４個のＬＥＤを特定の態様のうち低利益特別態様で点灯表示したときには、２Ｒ大当り遊技状態に制御し、大入賞口を開放状態に制御してから所定時間（例えば、３００ｍｓ（０．３秒））が経過したとき、あるいは所定個数（例えば、１０個）の遊技球が大入賞口に入賞したとき、に大入賞口ソレノイド７６ａにより再び大入賞口の左右両側に配置する可動片を回動して大入賞口に遊技球を受け入れ不可能な閉塞状態に制御する。２Ｒ大当り遊技状態は、２ラウンド（２Ｒ）を実行したときに終了する。
【００７６】
また、特別図柄表示器４１の４個のＬＥＤを特殊態様で点灯表示したときには、小当り遊技状態に制御し、大入賞口を開放状態に制御してから所定時間（例えば、３００ｍｓ（０．３秒））が経過したとき、あるいは所定個数（例えば、１０個）の遊技球が大入賞口に入賞したとき、に大入賞口ソレノイド７６ａにより再び大入賞口の左右両側に配置する可動片を回動して大入賞口に遊技球を受け入れ不可能な閉塞状態に制御する。この実施の形態における小当り遊技状態では、大入賞口を開放状態にしてから閉塞状態にする制御（ラウンド）を２回繰り返す。
【００７７】
なお、この実施の形態では、２Ｒ大当り遊技状態で大入賞口を開放状態にしてから閉塞状態にするまでの期間と、小当り遊技状態で大入賞口を開放状態にしてから閉塞状態にするまでの期間と、を同一（見分けが付かない程度（例えば、１００ｍｓ（０．１秒）以内の差）であれば同一とみなす）としている。また、２Ｒ大当り遊技状態で大入賞口を閉塞状態にしてから再び開放状態にするまでの待機時間と、小当り遊技状態で大入賞口を閉塞状態にしてから再び開放状態にするまでの待機時間と、を同一（見分けが付かない程度（例えば、１００ｍｓ（０．１秒）以内の差）であれば同一とみなす）としている。そのため、２Ｒ大当り遊技状態に制御されているのか小当り遊技状態に制御されているのかを把握することが困難になり、小当り遊技状態であると把握されたときに高確率状態に制御されないことにより遊技者の興趣を低下させることを防止できる。
【００７８】
また、２Ｒ大当り遊技状態及び小当り遊技状態では、大入賞口を開放状態にしてから閉塞状態にするまでの開放時間が極端に短いため、大入賞口内への遊技球の入球は殆ど期待できない（例えば、１〜２個）。そのため、２Ｒ大当り遊技状態及び小当り遊技状態となったことを遊技者に悟られ難くでき、２Ｒ確変大当りとなった場合には突如として高確率状態に制御されたかの印象を与えることができる。また、この実施の形態では、２Ｒ大当り及び小当りとなった場合に、２Ｒ大当りであるか小当りであるかを報知しない。そのため、２Ｒ大当り遊技状態及び小当り遊技状態となったことが悟られた場合であっても、小当り遊技状態が実行されているのか大当り遊技状態が実行されているのかの判別を困難となる。
【００７９】
上述したように、状態表示ＬＥＤ４３は、遊技状態に応じた態様でＬＥＤを駆動させるが、積極的に遊技者に遊技状態を報知するものではない。すなわち、この実施の形態では、遊技領域１２の右下部に状態表示ＬＥＤ４３が配置し、遊技盤４に形成される遊技領域１２の左側領域に遊技球を転動可能な領域が形成され、遊技領域１２の右側領域には遊技球を転動可能な領域が殆ど形成されていないため、画像表示装置４２及び遊技球の転動に注目している遊技者は状態表示ＬＥＤ４３の態様に気付き難い。また、遊技状態に応じた態様で状態表示ＬＥＤ４３を駆動していることを遊技者に知らせないため、状態表示ＬＥＤ４３が駆動していることに気付いたとしても遊技状態に応じた態様で駆動していることに気付き難い。また、この実施の形態では、大当り遊技状態（２Ｒ大当り遊技状態、１５Ｒ大当り遊技状態）の終了後に時短状態に制御するか、高確率状態に制御するかを報知しない。そのため、現在の遊技状態を把握することが困難となり、遊技をやめ難くなる。
【００８０】
なお、状態表示ＬＥＤ４３の具体的な態様として、例えば、１５Ｒ大当り遊技状態では、状態表示ＬＥＤ４３を赤色で点灯させ、２Ｒ大当り遊技状態では、状態表示ＬＥＤ４３を赤色で点滅させる。また、小当り遊技状態では、緑色で点滅させる。通常状態では、状態表示ＬＥＤ４３を消灯させ、時短状態では、状態表示ＬＥＤ４３を緑色で点灯させ、高確率状態では、青色で点灯させる。なお、当りの種類（１５Ｒ大当り、２Ｒ大当り、小当り）に応じて駆動されるＬＥＤと、遊技状態に応じて駆動されるＬＥＤと、を別個に設けるように構成してもよい。
【００８１】
次に、主制御基板１０１（特に主制御ＭＰＵ１０１ａ）で実行される制御処理の例について説明する。図６（ａ）は、当該パチンコ機１に電源が投入されるとき、上記主制御基板１０１の主制御ＭＰＵ１０１ａによって行われる制御についてその処理手順を示すフローチャートである。
【００８２】
同図６（ａ）に示されるように、この実施の形態にかかる主制御基板１０１はまず、図示しないクリアスイッチが操作されていることを条件にステップＳ１の処理として、各種のレジスタやＲＡＭに格納されているデータを初期化する。クリアスイッチはパチンコ機１の背面側に設けられ、本体枠３が開放されなければ操作できないようになっている。また、クリアスイッチは電源投入から所定期間（例えば１秒）が経過する以前の操作に応じてクリア信号を主制御基板１０１に出力し、電源投入時に主制御ＭＰＵ１０１ａがクリア信号を入力されていると判断した場合に初期化処理（ステップＳ１）を実行して各種のレジスタやＲＡＭに格納されているデータを初期化するようになっている
なお、図示していないがこの例では、パチンコ機１への電源を遮断するときには遊技の進行状況を示す情報（例えば各種フラグ等）を主制御ＭＰＵ１０１ａのＲＡＭに保存するバックアップ処理を実行する。そしてパチンコ機１への電源を投入したときに図示しないクリアスイッチが操作されていなければ、初期化処理（ステップＳ１）を実行することなくバックアップ処理で主制御ＭＰＵ１０１ａのＲＡＭに保存された情報を参照し、該情報に応じた状態に復旧させる復旧処理を実行する。また、パチンコ機１への電源投入時にクリアスイッチを操作した場合には、復旧処理を実行することなく初期化処理を実行してパチンコ機１を初期状態に設定するようになっている。
【００８３】
次いで、ステップＳ２の処理として、予め定められた数値範囲内で更新される数である乱数の更新を行う。すなわち、この実施の形態にかかる主制御基板１０１では、上記特別図柄の変動表示停止時における表示態様についての抽選処理に供される乱数（当り判定用乱数、付与価値決定用乱数）、上記特別図柄の変動表示制御に要する所定の時間（変動時間）についての抽選処理に供される（変動パターン決定用乱数）、上記可動片７１ａの動作契機となる当りの当落にかかる抽選処理に供される乱数（普通図柄当り判定乱数）等々、といった乱数を保持する乱数カウンタを備えている。そこで、このステップＳ２の処理では、これら乱数のうちの当落に関わらない乱数（変動パターン決定用乱数）のみが更新されるかたちで当該乱数カウンタのカウンタ操作が行われることとなる。
【００８４】
なお、こうしてステップＳ１及びＳ２の処理が行われた後は、上記ステップＳ２の処理のみが基本的に繰り返し行われる。ただし、この実施の形態では、例えば４ｍｓ毎に以下のタイマ割込制御が行われる。
【００８５】
図６（ｂ）は、上記主制御基板１０１の主制御ＭＰＵ１０１ａによって定期的に行われるタイマ割込制御についてその処理手順を示すフローチャートである。
【００８６】
同図６（ｂ）に示されるように、この割込制御ではまず、ステップＳ１１の処理として、レジスタの退避処理が行われる。次いで、ステップＳ１２の処理として、上記ゲートスイッチ７４ａ、上記上始動口スイッチ７２ａ、上記下始動口スイッチ７２ｂ、上記カウントスイッチ７５ａ、左下入賞口スイッチ１３ｅ、左上・左中入賞口スイッチ１３ｄ、全入賞口入賞数計数スイッチ４５ａなど、各種のスイッチからの検出信号が入力される。そして次に、ステップＳ１３の処理として、上記乱数カウンタの値を更新するための乱数更新処理が行われる。なお、このステップＳ１３の処理では、上述の乱数のうち、上記特別図柄及び上記普通図柄の変動表示停止時における表示態様に関わる乱数（当り判定用乱数、付与価値決定用乱数、普通図柄当り判定乱数）が更新されるかたちで上記乱数カウンタのカウンタ操作が行われる。
【００８７】
そして、こうして乱数の更新が行われた後、当該主制御基板１０１の主制御ＭＰＵ１０１ａは、ステップＳ１４の処理として、上記特別図柄の変動表示停止時における表示態様にかかる抽選処理を含む特別図柄プロセス処理を実行する。なお、この特別図柄プロセス処理については後述するが、ここでは、基本的に、上記主制御ＭＰＵ１０１ａのＲＡＭに格納されている遊技の進行状況を示す特別図柄プロセスフラグに基づいて該当する処理が選択的に実行されることとなる。
【００８８】
そして次に、同主制御基板１０１の主制御ＭＰＵ１０１ａは、ステップＳ１５の処理として、上記可動片７１ａの動作契機となる当りの当落にかかる抽選処理を含む普通図柄プロセス処理を実行する。なお、この普通図柄プロセス処理についても後述することとするが、ここでも、基本的に、遊技の進行状況を示す普通図柄プロセスフラグに従って該当する処理が選択的に実行されることとなる。また、上記主制御基板１０１の主制御ＭＰＵ１０１ａは、大当り遊技状態（２Ｒ大当り遊技状態の一部を除く）の終了後の所定期間内は、上記可動片７１ａの駆動頻度がより高くなるように当該抽選処理を実行する構成となっている（いわゆる時短状態）。なお、この実施の形態では、上記普通図柄の変動表示制御に要する時間を上記大当り遊技状態の終了後の所定期間だけ短縮するとともに、上記可動片７１ａの開放時間を延長することによって、こうした時短状態を実現するようにしている。
【００８９】
また、上記特別図柄プロセス処理（ステップＳ１４）及び普通図柄プロセス処理（ステップＳ１５）が行われると、上記主制御基板１０１の主制御ＭＰＵ１０１ａは、次にステップＳ１６の処理として、同特別図柄プロセス処理にてＲＡＭの所定の領域に設定されたコマンドを上記周辺基板１１０などに送信する処理を行う。次いで、ステップＳ１７の処理として、上記普通図柄プロセス処理にて同じくＲＡＭの所定の領域に設定されたコマンドを例えば上記周辺基板１１０などに送信する処理を行う。
【００９０】
また、同主制御基板１０１の主制御ＭＰＵ１０１ａは、次にステップＳ１８の処理として、例えばホール管理用コンピュータに供給される当り情報（１５Ｒ大当り、２Ｒ大当り、小当り）などのデータを出力する情報出力処理を行う。
【００９１】
そして次に、同主制御基板１０１の主制御ＭＰＵ１０１ａは、ステップＳ１９の処理として、上記上始動口スイッチ７２ａ、上記下始動口スイッチ７３ａ、上記カウントスイッチ７５ａ、左下入賞口スイッチ１３ｅ、左上・左中入賞口スイッチ１３ｄなどの検出信号がオン状態にあるときは、それら信号に応じた賞球が遊技者に払い出されるよう上記払出制御基板１０２に払出制御コマンドを出力する。これにより、上記払出制御基板１０２に搭載される払出制御ＭＰＵ１０２ａは、払出制御Ｉ／Ｏポート１０２ｂから払出装置１０３に駆動信号を出力し、遊技者に賞球を払い出すようになる。
【００９２】
また、同主制御基板１０１の主制御ＭＰＵ１０１ａは、次にステップＳ２０の処理として、保留記憶数の増減をチェックする記憶処理を実行する。次いで、ステップＳ２１の処理として、パチンコ機１の制御状態を遊技機外部で確認できるようにするための試験信号を出力する処理である試験端子処理を実行する。そしてその後、常時動作するアクチュエータの駆動制御を行うとともに（ステップＳ２２）、上記レジスタの内容を復帰させ（ステップＳ２３）、割込許可状態に設定した時点で（ステップＳ２４）、この制御が終了することとなる。
【００９３】
以上の制御によって、この実施の形態では、遊技制御処理は４ｍｓ毎に起動されることになる。なお、この実施の形態では、タイマによる割込処理によって遊技制御処理を実行することとしたが、当該割込処理では例えば割り込みが発生したことを示すフラグのセットのみを行うようにしてもよい。ただしこの場合、遊技制御処理をメイン処理にて実行することとなる。
【００９４】
図７は、上記特別図柄プロセス処理（ステップＳ１４）についてその手順を示すフローチャートである。
【００９５】
いま、各種の抽選処理に供される乱数が更新されたとすると（ステップＳ１３）、同図７に示されるように、この主制御基板１０１の主制御ＭＰＵ１０１ａはまず、上記上始動口スイッチ７２ａ又は上記下始動口スイッチ７３ａによる検出信号がオン状態（始動口への入球あり）にあることを条件に（ステップＳ３０）、例えば特別図柄の当り判定用乱数を上記乱数カウンタから取得してこれをＲＡＭに格納するなどの始動口通過処理を実行する（ステップＳ４０）。そしてその後は、上述の特別図柄プロセスフラグに応じて、以下の９つのプロセス処理の１つを選択的に実行することとなる。
【００９６】
１．主制御ＭＰＵ１０１ａのＲＡＭに格納されている特別図柄の当り判定用乱数、付与価値決定用乱数などを読み出し、読み出した当り判定用乱数に基づいて上記特別図柄の変動制御停止時における表示態様についての抽選処理などが行われる特別図柄通常処理（ステップＳ５０）
２．上記付与価値決定用乱数に基づく大当りの種類についての決定処理と、特別図柄の変動制御停止時における表示態様についての抽選処理の結果及び大当りの種類についての決定処理の結果に基づいて特別図柄の変動制御停止時の態様の決定処理などが行われる特別図柄停止図柄設定処理（ステップＳ５１）
３．上記変動パターン決定用乱数に基づいて上記特別図柄表示器４１に表示される特別図柄の変動態様や、上記画像表示装置４２に特別図柄に対応して実行される演出表示の変動態様についての抽選処理などが行われる変動パターン設定処理（ステップＳ５２）
４．特別図柄表示器４１における上記特別図柄の変動表示が停止されるまで待機する特別図柄変動処理（ステップＳ５３）
５．特別図柄の変動制御停止時における表示態様についての抽選処理の結果及び大当りの種類についての決定処理の結果に基づいて決定された特別図柄の変動制御停止時の態様が上記特別図柄表示器４１に表示されるように上記特別図柄の変動表示を停止させる特別図柄停止処理（ステップＳ５４）
６．特別図柄の変動表示停止時における表示態様についての抽選処理の結果が予め決められた特定の態様となったとき（１５Ｒ大当り、２Ｒ大当り）に上記大当り遊技状態に移行する旨などの遊技者への報知が上記周辺基板１１０によって行われるまで待機し、特別図柄の変動表示停止時における表示態様についての抽選処理の結果が予め決められた特殊態様となったとき（小当り）に上記小当り遊技状態に移行する旨などの遊技者への報知が上記周辺基板１１０によって行われるまで待機する大入賞口開放前処理（ステップＳ５５）
７．特別図柄の変動表示停止時における表示態様についての抽選処理の結果が予め決められた特定の態様となったとき（１５Ｒ大当り、２Ｒ大当り）及び特別図柄の変動表示停止時における表示態様についての抽選処理の結果が予め決められた特殊態様となったときに、大入賞口開閉装置７５により上記大入賞口が開放状態に制御される大入賞口開放中処理（ステップＳ５６）
８．大当り遊技状態及び小当り遊技状態が終了する旨の遊技者への報知が上記周辺基板１１０によって行われるまで待機する大入賞口開放後処理（ステップＳ５７）
なお、上記特別図柄プロセスフラグは、上述のステップＳ１の処理（図６参照）において、上記特別図柄通常処理（ステップＳ５０）を行うべき旨を示すよう操作されている。
【００９７】
次に、上記始動口通過処理（ステップＳ４０）、及びこうした９つのプロセス処理（ステップＳ５０〜Ｓ５７）の具体的態様についてそれら処理の別に詳述する。図８は、上記始動口通過処理（ステップＳ４０）についてその手順を示すフローチャートである。
【００９８】
いま、上記ステップＳ３０の処理において、上記上始動口スイッチ７２ａ又は下始動口スイッチ７３ａがオン状態にあり、上記上始動口７２又は上記下始動口７３への遊技球の入球があったと判断されたとすると、同図８に示されるように、上記主制御基板１０１の主制御ＭＰＵ１０１ａは、ステップＳ４１の処理として、まず、上記特別保留数カウンタによるカウンタ値を主制御ＭＰＵ１０１ａのＲＡＭから取得する。そして、このカウンタ値に基づいて上述の特別図柄の保留数がその最大値である「４」であるか否かの判断を行う。
【００９９】
このステップＳ４１の処理において、上記特別図柄の保留数がその最大値でないと判断された場合には、上記特別図柄の変動表示制御を新たに保留の状態とすべく、以下のステップＳ４２〜Ｓ４４の処理を行うこととなる。すなわち、まず、上記ステップＳ４２の処理として、上記特別保留数カウンタをカウントアップする。次いで、ステップＳ４３の処理として、上記当り判定用乱数、付与価値決定用乱数、及び変動パターン決定用乱数を上記乱数カウンタから取得する。そして次に、ステップＳ４４の処理として、こうして取得された各乱数を、上記主制御ＭＰＵ１０１ａのＲＡＭの記憶領域のうちの上記特別保留数カウンタによるカウンタ値に対応する乱数記憶領域に格納する。
【０１００】
ただし、上記ステップＳ４１の処理において、上記特別図柄の保留数がその最大値であると判断された場合には、上記特別図柄の変動表示制御は新たに保留されない。すなわち、上記特別図柄の変動表示制御を新たに保留の状態とすることなく、上記特別図柄の保留数がその最大値であると判断した時点で、この処理を終了する。
【０１０１】
また、主制御ＭＰＵ１０１ａは、ステップＳ４３で取得した当り判定用乱数に基づいて大当りとなる割合の高低を当該乱数に基づく変動表示を開始する以前に事前判定する演出事前判定処理を実行した後（ステップＳ４５）、処理を終了する。
【０１０２】
図９は、上記演出事前判定処理（ステップＳ４５）についてその手順を示すフローチャートである。
【０１０３】
上記主制御基板１０１の主制御ＭＰＵ１０１ａは、演出事前判定処理を開始すると、まず、ステップＳ４３で取得した当り判定用乱数と図１０に示す当選割合判定テーブルとを比較し（ステップＳ６１）、大当りとなる割合が高いか否か（若しくは、大当りとなる可能性を有するか否か）の判定を行う（ステップＳ６２）。
【０１０４】
図１０に示すように当選割合判定テーブルは、高割合当選時（大当りとなる割合が高い、若しくは大当たりとなる可能性を有する）と非当選時（大当りとならない）とに当り判定用乱数が関連付けされるかたちで記憶されている。この例では、「０」〜「３９９」の４００種類の当り判定用乱数のうち２０種類の当り判定用乱数が高割合当選時に関連付けされ、３８０種類の当り判定用乱数が非当選時に関連付けされている。主制御基板１０１の主制御ＭＰＵ１０１ａでは、取得した当り判定用乱数に対応して関連付けされている判定結果を特定することにより、大当りとなる割合が高いか否かを判別する。
【０１０５】
また、当選割合判定テーブルの高割合当選時に関連付けされる当り判定用乱数である高割合当選判定値（大当りとなる割合が高いと判定される当り判定用乱数）は、後述する当り判定テーブルの大当りに関連付けされる当り判定用乱数である大当り判定値（大当りと判定される当り判定用乱数）と同一の当り判定用乱数を含むように構成されている。
【０１０６】
具体的には、後述する当り判定テーブルには、低確率時の大当り判定値として当り判定用乱数が１種類だけ設定され（「１１」）、高確率時の大当り判定値として低確率時の大当り判定値を含む１０種類の当り判定用乱数が設定され（「１１」、「２３」、「３１」、「１１７」、「１８７」、「２３３」、「２４１」、「２９１」、「３１３」、「３７３」）、当り判定テーブルの低確率時の大当り判定値と高確率時の当り判定値との合計１０種類の大当り判定値と同一の当り判定用乱数を含むように当選割合判定テーブルの高割合当選判定値を構成している。
【０１０７】
しかして、当選割合判定テーブルの高割合当選時には２０種類の当り判定用乱数が関連付けされていることから当選割合判定テーブルと当り判定用乱数とに基づいて大当りとなる割合が高いと判定された場合には、低確率時では２０分の１の割合、高確率時では２０分の１０の割合で大当りとなる。
【０１０８】
上記主制御基板１０１の主制御ＭＰＵ１０１ａは、当選割合判定テーブルと始動口通過処理のステップＳ４３で取得した当り判定用乱数との比較の結果、大当りとなる割合が高いと判定した場合には（ステップＳ６２）、後述する高割合当選時の変動パターンテーブルを選択して（ステップＳ６３）、ステップＳ６５に進む。一方、当選割合判定テーブルと始動口通過処理のステップＳ４３で取得した当り判定用乱数との比較の結果、大当りとならないと判定した場合には（ステップＳ６２）、後述するはずれ時の変動パターンテーブルを選択して（ステップＳ６４）、ステップＳ６５に進む。
【０１０９】
次いで、主制御基板１０１の主制御ＭＰＵ１０１ａは、選択した変動パターンテーブルと始動口通過処理のステップＳ４３で取得した変動パターン決定用乱数とに基づいて変動パターンを決定し（ステップＳ６５）、決定した変動パターンに応じた変動パターン事前通知コマンドをセットする（ステップＳ６６）。これにより、発生した始動入賞に基づく特別図柄の変動表示の表示結果を大当りとする割合が高いか否かを周辺基板１１０に搭載されるサブ統合ＭＰＵ１１１ａが把握できるようになる。
【０１１０】
ここで変動パターン事前通知コマンドは、決定した変動パターンを通知するコマンドであって、当該変動パターンに基づく特別図柄の変動表示を開始する以前にサブ統合ＭＰＵ１１１ａに通知するコマンドであり、後述する変動パターン各々に対して設けられている。サブ統合ＭＰＵ１１１ａは、変動パターン事前通知コマンドによって通知された変動パターンを判別することにより、未だ開始されていない特別図柄の変動表示に対応する変動パターンを特定することが可能となる。なお、この例では図１８（Ａ）に示すはずれ時変動パターンテーブルに設定される変動パターン番号１の通常変動と変動パターン番号２の短縮変動とのいずれかに決定された場合には共通の変動パターン事前通知コマンドを周辺制御基板１１１に送信する。サブ統合ＭＰＵ１１１ａは、変動パターン番号１の通常変動と変動パターン番号２の短縮変動とに共通する変動パターン事前通知コマンドを受信した場合には、現在の遊技状態（時短状態の制御を実行しているか否か）を判別して現在の遊技状態に応じた（時短状態の制御が実行されていなければ変動パターン番号１の通常変動、時短状態の制御が実行されていれば変動パターン番号２の短縮変動）変動パターンに特定する。
【０１１１】
また、上記当選割合判定テーブルの高割合当選判定値は一例であり、上記したものに限られるものではない。例えば、大当りと判定される割合が高いことを判別できるように関連付けされた当り判定用乱数を含むものであれば、大当り判定値の一部を含まないように当選割合判定テーブルを構成してもよい。また、上記当選割合判定テーブルの高割合当選判定値は、当り判定テーブルの小当りに関連付けされる当り判定用乱数である小当り判定値（小当りと判定される当り判定用乱数；「１１３」、「２５９」）を全て含むように構成されているが、高割合当選判定値に小当り判定値を含まないようにしてもよい。また、当り判定テーブルと同様の当り判定用乱数が大当りに関連付けされた当選割合判定テーブルを用いて判定するようにしてもよい。すなわち、大当り判定値と同一の高割合当選判定値が設定される当選割合判定テーブルを用いて判定するようにしてもよい。
【０１１２】
図１１は、上記特別図柄通常処理（ステップＳ５０）についてその手順を示すフローチャートである。
【０１１３】
上記特別図柄プロセスフラグが当該特別図柄通常処理を行うべき旨を示しているときは、同図１１に示されるように、上記主制御基板１０１の主制御ＭＰＵ１０１ａは、まず、ステップＳ１０１の処理として、上記特別保留数カウンタによるカウンタ値に基づいて保留の状態にある特別図柄の変動表示制御があるか否かの判断を行う。この結果、保留の状態にある特別図柄の変動表示制御があると判断された場合には、次にステップＳ１０２の処理として、上記主制御ＭＰＵ１０１ａのＲＡＭの乱数記憶領域に格納されている特別図柄の表示態様に関わる乱数（例えば、当り判定用乱数、付与価値決定用乱数、変動パターン決定用乱数）のうちの最先の乱数記憶領域に格納された乱数を同ＲＡＭから読み出す。そして次に、ステップＳ１０３及びＳ１０４の処理として、上記特別保留数カウンタをカウントダウンするとともに、上記主制御ＭＰＵ１０１ａのＲＡＭの乱数記憶領域に格納されている上記特別図柄の変動表示停止時における表示態様に関わる乱数を先入れ先出し（Ｆｉｒｓｔ−Ｉｎ  Ｆｉｒｓｔ−Ｏｕｔ）の態様にてシフト操作する。具体的には、乱数記憶領域は１〜４の４つの領域を有し、始動入賞の発生に応じて抽出した乱数を１番目（最先）の領域から順に記憶する。そして、乱数記憶領域のｎ番目（ｎ＝１〜３）の領域に乱数が記憶されている場合に始動入賞が発生するとｎ＋１番目（ｎ＝１〜３）の領域に抽出した乱数を記憶し、１番目の領域に格納された乱数に基づく変動表示の開始条件が成立すると１番目の領域に記憶されている各種乱数を読み出すとともにＮ番目（Ｎ＝２〜４）の領域に記憶されている各種乱数をＮ−１番目（Ｎ＝２〜４）番目の領域に移動させる。これにより、上記特別図柄の変動表示制御の保留が発生した順序を特定可能に記憶されるとともに最先の保留（最も先に発生した保留）から順に変動表示制御の保留が解除されるようになる。
【０１１４】
そしてその後、ステップＳ１０５の処理として、上記読み出された特別図柄の当り判定用乱数に基づいて上記小当り及び上記大当りの当落についての抽選処理である当り判定処理を行う。その後、上記特別図柄停止図柄設定処理（ステップＳ５１）にプロセス移行されるよう上述の特別図柄プロセスフラグが更新された時点で（ステップＳ１０６）、この処理を終了する。
【０１１５】
図１２は、上記当り判定処理（ステップＳ１０５）についてその手順を示すフローチャートである。
【０１１６】
上記主制御基板１０１の主制御ＭＰＵ１０１ａは、現在の遊技状態が高確率状態であれば（ステップＳ１１１）、図１３（Ｂ）に示す高確率時の当り判定テーブルを選択し（ステップＳ１１２）、現在の遊技状態が低確率状態であれば（ステップＳ１１１）、図１３（Ａ）に示す低確率時の当り判定テーブルを選択し（ステップＳ１１３）、選択した当り判定テーブルと特別図柄通常処理のステップＳ１０２で読み出した当り判定用乱数とを比較する（ステップＳ１１４）。
【０１１７】
図１３に示すように当り判定テーブルは、判定結果毎（大当り、小当り、はずれ）に当り判定用乱数が関連付けされるかたちで記憶されている。主制御基板１０１の主制御ＭＰＵ１０１ａでは、取得した当り判定用乱数に対応して関連付けされている判定結果を特定することにより、大当り、小当り及びはずれのいずれかと判定する。
【０１１８】
また、上記当り判定テーブルは、上記主制御ＭＰＵ１０１ａのＲＯＭに記憶され、遊技状態が低確率時（通常状態及び時短状態）の場合に使用する当り判定テーブルと、遊技状態が高確率時（高確率状態）の場合に使用する当り判定処理と、を備えている。そして、低確率時（通常状態及び時短状態）の当り判定テーブルでは、２種類の当り判定用乱数が小当りに当選したことを示す小当り判定値（「１１３」、「２５９」）と一致し、１種類の当り判定用乱数が大当りに当選したことを示す大当り判定値（「１１」）と一致し、３９７種類の乱数値が上記はずれであることを示すはずれ判定値と一致するように上記当り判定用乱数がそれぞれ関連付けされている。
【０１１９】
また、高確率時（高確率状態）の当り判定テーブルでは、低確率時の当り判定テーブルに設定される当り判定用乱数と同一の２種類の当り判定用乱数が小当り判定値（「１１３」、「２５９」）と一致し、低確率時の当り判定テーブルに設定される当り判定用乱数と同一の当り判定用乱数を含む１０種類の当り判定用乱数が大当り判定値（「１１」、「２３」、「３１」、「１１７」、「１８７」、「２３３」、「２４１」、「２９１」、「３１３」、「３７３」）と一致し、３８８種類の乱数値がはずれ判定値と一致するように上記当り判定用乱数がそれぞれ関連付けされている。このように、この実施の形態では、高確率状態では、大当りに当選したことを示す大当り判定値が低確率時（通常状態及び時短状態）の１０倍に高められる。
【０１２０】
この実施の形態では、高確率時の小当り判定値と、低確率時の小当り判定値と、を同一に設定しているが、これに限らず、高確率時の小当り判定値を低確率時の小当り判定値よりも多く設定することにより高確率時の小当りの発生確率を低確率時の小当りの発生確率よりも高めるようにしてもよいし、高確率時の小当り判定値を低確率時の小当り判定値よりも少なく設定することにより高確率時の小当りの発生確率を低確率時の小当りの発生確率よりも低下させるようにしてもよい。
【０１２１】
上記主制御基板１０１の主制御ＭＰＵ１０１ａは、選択した当り判定テーブルと特別図柄通常処理のステップＳ１０２で読み出した当り判定用乱数との比較の結果、大当りとすると判定した場合には（ステップＳ１１５）、当該変動が大当りに当選していることを示す大当りフラグをセットして処理を終了し（ステップＳ１１６）、選択した当り判定テーブルと特別図柄通常処理のステップＳ１０２で読み出した当り判定用乱数との比較の結果、小当りとすると判定した場合には（ステップＳ１１７）、当該変動が小当りに当選していることを示す小当りフラグをセットして処理を終了する（ステップＳ１１８）。
【０１２２】
図１４は、上記特別図柄停止図柄設定処理（ステップＳ５１）についてその手順を示すフローチャートである。
【０１２３】
上記特別図柄プロセスフラグが当該特別図柄停止図柄設定処理を行うべき旨を示しているときは、同図１４に示されるように、上記主制御基板１０１の主制御ＭＰＵ１０１ａは、まず、特別図柄の変動表示停止時における表示態様の抽選処理の結果、すなわち上記当り判定処理（ステップＳ１０５）の結果を判別する。抽選処理結果の判別は、大当りフラグがセットされているか否か（ステップＳ１２１）、小当りフラグがセットされているか否か（ステップＳ１２４）、を判別することにより行う。
【０１２４】
主制御ＭＰＵ１０１ａは、大当りフラグがセットされていれば、付与価値決定用乱数と図１５（Ａ）に示す大当り種類決定テーブルとを比較する（ステップＳ１２２）。
【０１２５】
図１５に示すように大当り種類決定テーブルには、大当りの種類毎（１５Ｒ確変大当り、１５Ｒ非確変大当り、２Ｒ確変大当り）に付与価値決定用乱数が関連付けされるかたちで記憶されている。主制御基板１０１の主制御ＭＰＵ１０１ａでは、取得した付与価値決定用乱数に対応して関連付けされている大当りの種類を特定することにより、大当りの種類を決定する。
【０１２６】
具体的には、
１．１５Ｒ大当り遊技状態に制御し、該１５Ｒ大当り遊技状態の終了後に前記高確率状態に制御する１５Ｒ確変大当り
２．１５Ｒ大当り遊技状態に制御し、該１５Ｒ大当り遊技状態の終了後に前記時短状態に制御する１５Ｒ非確変大当り
３．１ラウンド毎の開放時間（大入賞口を開放状態に制御してから閉塞状態に制御するまでの時間）が３００ｍｓ（０．３秒）の２Ｒ大当り遊技状態に制御し、該２Ｒ大当り遊技状態の終了後に前記高確率状態に制御する２Ｒ確変大当り
の３種類の大当りの中からいずれかの大当りに決定する（ステップＳ１２２）。
【０１２７】
この実施の形態の大当り種類決定テーブルは、大当り遊技状態の終了後に高確率状態に制御する１５Ｒ確変大当り及び２Ｒ確変大当りに関連付けされている付与価値決定用乱数の総数（５０種類）と、大当り遊技状態の終了後に時短状態（低確率状態）に制御する１５Ｒ非確変大当りに関連付けされている付与家庭決定用乱数の総数（５０種類）と、が等しくなるように設定されている。すなわち、大当りとなった場合に大当り遊技状態の終了後に高確率状態に制御する大当りとする割合は２分の１に設定されている。
【０１２８】
また、大当り遊技状態の終了後に高確率状態に制御する大当りのうち１５ラウンドの大当り遊技状態を実行する大当り（１５Ｒ確変大当り）には「０」〜「２９」の３０種類の付与価値決定用乱数が対応付けされ、大当り遊技状態の終了後に高確率状態に制御する大当りのうち２ラウンドの大当り遊技状態を実行する大当り（２Ｒ確変大当り）には「８０」〜「９９」の２０種類の付与価値決定用乱数が対応付けされている。すなわち、大当り遊技状態の終了後に高確率状態に制御する大当りのうち、１５ラウンドの大当り遊技状態（１５Ｒ確変大当り）を実行する割合は５分の３に設定され、大当りとなった場合に２ラウンドの大当り遊技状態（２Ｒ確変大当り）を実行する割合は５分の２に設定されている。
【０１２９】
上述したように小当り遊技状態では２Ｒ大当り遊技状態と同様の条件（開放時間及び開放回数）で大入賞口開閉装置７５を開閉制御する。一方で、２Ｒ大当り遊技状態終了後と小当り遊技状態終了後とでは異なる制御がなされる。すなわち、２Ｒ大当り遊技状態の終了後には高確率状態に制御し、小当り遊技状態の終了後には小当り遊技状態の発生時の遊技状態に継続して制御する。そのため、２Ｒ大当り遊技状態の終了後には遊技者にとって有利な状態に移行制御するが、小当り遊技状態の前後で遊技状態の変化がなく、両者の有利度合いは異なるようになっている。通常、遊技者は小当りとなることよりも２Ｒ大当り又は１５Ｒ大当りとなることを望みつつ遊技を行う。
【０１３０】
この場合に、２Ｒ大当り遊技状態の終了後に常に時短状態の制御を実行してしまうと２Ｒ大当り遊技状態が実行されたか小当り遊技状態が実行されたかを容易に判別できてしまい、小当り遊技状態が実行されたことを判別されたときに遊技興趣を低下させるおそれがある。この実施の形態では、２Ｒ大当り遊技状態の発生時に時短状態の制御を実行していれば、２Ｒ大当り遊技状態の終了後に高確率状態の制御に並行して時短状態の制御を行い、２Ｒ大当り遊技状態の発生時に時短状態の制御を実行していなければ、２Ｒ大当り遊技状態の終了後に時短状態の制御を実行することなく高確率状態の制御を単独で行うことにより２Ｒ大当り遊技状態が実行されたか小当り遊技状態が実行されたかを判別困難にすることができる。
【０１３１】
主制御ＭＰＵ１０１ａは、大当りの種類を決定すると、決定した大当りの種類に応じた特別図柄の変動制御停止時の態様（特別図柄の停止図柄）に決定する（ステップＳ１２３）。
【０１３２】
また、主制御ＭＰＵ１０１ａは、小当りフラグがセットされていれば（ステップＳ１２４）、小当りに応じた特別図柄の変動制御停止時の態様（特別図柄の停止図柄）に決定する（ステップＳ１２５）。
【０１３３】
また、主制御ＭＰＵ１０１ａは、大当りフラグ及び小当りフラグがセットされていなければ、はずれに応じた特別図柄の変動制御停止時の態様（特別図柄の停止図柄）に決定する（ステップＳ１２７）。
【０１３４】
ここで、この特別図柄の変動制御停止時の態様（特別図柄の停止図柄）についての決定処理は、上記主制御ＭＰＵ１０１ａのＲＯＭに格納されている図１６に示される図柄決定テーブルに基づいて行われる。なお、この図柄決定テーブルにおいて、「１〜４」の数字は、上記特別図柄表示器４１を構成する４つのＬＥＤ（７セグメントＬＥＤ、ドットＬＥＤ）を各々示すものである。
【０１３５】
すなわち、この図柄決定テーブルには、上記特別図柄の変動表示停止時における表示態様（４つのＬＥＤの点灯、消灯）を示す表示態様情報が当り判定用乱数及び付与価値決定用乱数に基づく抽選結果（大当りの種類、小当り、はずれ）にそれぞれ対応して関連付けされるかたちで記憶されている。この点、この実施の形態にかかる主制御基板１０１の主制御ＭＰＵ１０１ａでは、前記抽選結果に対応して関連付けされている表示態様情報をこの図柄決定テーブルから取得することで、上記特別図柄の変動表示停止時における表示態様（４つのＬＥＤの点灯、消灯）を決定する。これにより、上記特別図柄の変動表示停止時における表示態様（停止図柄）についての決定処理が行われるようになる。
【０１３６】
なお、図柄決定テーブルに記憶されている特別図柄の変動制御停止時の態様は、抽選結果（大当りの種類、小当り、はずれ）それぞれに１対１対応とされているが、これに限らず、抽選結果（大当りの種類、小当り、はずれ）それぞれに対応して複数の態様を関連付けするようにしてもよい。例えば、１５Ｒ確変大当りに対応して特別図柄の変動制御停止時の態様を２つ関連付けし、１５Ｒ確変大当りとすることに決定された場合に抽選等により該２つの態様のうち一方に決定するようにしてもよい。
【０１３７】
そして、こうして停止図柄についての決定処理が行われた後は、ステップＳ１２８の処理として、これら抽選結果（大当りの種類（１５Ｒ確変大当り、１５Ｒ非確変大当り、２Ｒ確変大当り）、小当り、はずれのいずれかを指示）が上記周辺基板１１０に送信されるよう抽選結果それぞれに応じた判定結果通知コマンドをセットする。これにより、抽選結果に基づく演出が上記画像表示装置４２にて行われるようになる。そしてその後は、ステップＳ１２９の処理として、上記変動パターン設定処理（ステップＳ５２）にプロセス移行されるよう上述の特別図柄プロセスフラグを更新した時点で、この処理を終了する。
【０１３８】
なお、この実施の形態では、特別図柄通常処理のステップＳ１０５で当り判定用乱数に基づいて大当りとするか否かを判定し、大当りと判定したときに、特別図柄停止図柄設定処理のステップＳ１２２で付与価値決定用乱数に基づいて大当りの種類（１５Ｒ確変大当り、１５Ｒ非確変大当り、２Ｒ確変大当り）を決定するように構成されるが、大当りの当落と種類とを決定するタイミングや抽選方法は上記した例に限られるものではない。例えば、当り判定処理（ステップＳ１０５）を実行して当り判定用乱数に基づいて大当りとするか否かを判定するとともに大当りと判定された場合に付与価値決定用乱数に基づいて大当りの種類を決定するように構成してもよいし、付与価値決定用乱数を設けることなく、当り判定テーブルに大当りの種類に関連付けさせて複数種類の大当り判定値を設定することにより、当り判定用乱数に基づいて大当りとするか否か及び大当りの種類との両方を決定するように構成してもよい。
【０１３９】
図１７は、上記変動パターン設定処理（ステップＳ５２）についてその手順を示すフローチャートである。
【０１４０】
上記特別図柄プロセスフラグが当該変動パターン設定処理を行うべき旨を示しているときは、同図１７に示されるように、上記主制御基板１０１の主制御ＭＰＵ１０１ａは、まず、特別図柄通常処理のステップＳ１０２で主制御ＭＰＵ１０１ａのＲＡＭから読み出した当り判定用乱数と図１０に示す当選割合判定テーブルとを比較し（ステップＳ１４１）、大当りとなる割合が高いか否かの判定を行う（ステップＳ１４２）。
【０１４１】
当選割合判定テーブルと始動口通過処理のステップＳ４３で取得した当り判定用乱数との比較の結果、大当りとなる割合が高いと判定した場合には（ステップＳ１４２）、特別図柄通常処理のステップＳ１０２で主制御ＭＰＵ１０１ａのＲＡＭから読み出した変動パターン決定用乱数と図１８（Ｂ）に示す高割合当選時の変動パターンテーブルとに基づいて変動パターンを決定し（ステップＳ１４３）、ステップＳ１４６に進む。また、当選割合判定テーブルと始動口通過処理のステップＳ４３で取得した当り判定用乱数との比較の結果、大当りとならないと判定した場合には（ステップＳ１４２）、特別図柄通常処理のステップＳ１０２で主制御ＭＰＵ１０１ａのＲＡＭから読み出した変動パターン決定用乱数と図１８（Ａ）に示すはずれ時の変動パターンテーブルとに基づいて変動パターンを決定する（ステップＳ１４４）。
【０１４２】
図１８に示す変動パターンテーブルは、上記特別図柄の変動表示制御に要する所定の時間（変動時間）を示す複数の変動時間情報が上記変動パターン決定用乱数にそれぞれ対応して関連付けされるかたちで記憶されている。この点、この実施の形態にかかる主制御基板１０１の主制御ＭＰＵ１０１ａでは、上記取得された変動パターン決定用乱数に対応して関連付けされている変動時間情報をこのテーブルから取得することで、上記特別図柄の変動パターンを決定する。これにより、上記特別図柄の変動パターンについての抽選処理が行われるようになる。
【０１４３】
また、上記変動パターンテーブルは、上記主制御ＭＰＵ１０１ａのＲＯＭに記憶され、当選割合判定テーブルと当り判定用乱数との比較の結果、大当りとなる割合が高いと判定された場合に選択される高割合当選時の変動パターンテーブルと大当りとならないと判定された場合に選択されるはずれ時の変動パターンテーブルとを備えている。
【０１４４】
また、図１８（Ａ）に示すはずれ時の変動パターンテーブルには、画像表示装置４２にて変動表示する装飾図柄をリーチする変動パターンも変動パターン決定用乱数と対応付けされるかたちで記憶され、変動パターン決定用乱数とはずれ時の変動パターンテーブルとに基づいてリーチするか否かの決定も行うようになっている。さらにはずれ時の変動パターンテーブルでは、リーチしない変動パターンとして時短状態の制御を実行していない場合（非時短時）に選択され得る変動パターン番号１の通常変動と、時短状態の制御を実行している場合（時短時）に選択され得る変動パターン番号２の短縮変動と、を設定している。主制御ＭＰＵ１０１ａは、時短状態の制御を実行していない場合には、変動パターン番号１及び変動パターン番号３〜変動パターン番号７のうち取得している変動パターン決定用乱数に関連付けされている変動パターンに決定し、時短状態の制御を実行している場合には、変動パターン番号２〜変動パターン番号７のうち取得している変動パターン決定用乱数に関連付けされている変動パターンに決定する。なお、リーチするか否かの判定に使用するリーチ判定用乱数を変動パターン決定用乱数とは別に設けて始動入賞時（始動口通過処理のステップＳ４３が実行されたとき）にリーチ判定用乱数を取得し、取得したリーチ判定用乱数に基づいてリーチすると判定した場合にリーチする変動パターン（変動パターン番号３〜変動パターン番号７の変動パターン）のうち変動パターン決定用乱数に応じた変動パターンを選択し、リーチしないと判定した場合にリーチしない変動パターン（変動パターン番号１及び変動パターン番号２の変動パターン）を選択するようにしてもよい。
【０１４５】
そして、こうして特別図柄の変動パターンについての抽選処理が行われると、次にステップＳ１４５の処理として、上記特別図柄表示器４１における上記特別図柄の変動表示制御を開始するとともに、上記決定された特別図柄の変動パターンを上記周辺基板１１０へのコマンド（変動パターンコマンド）としてセットし、決定した変動パターンの変動時間を変動タイマに設定する（ステップＳ１４６）。これにより、こうして決定された変動時間だけ上記画像表示装置４２にて演出制御が行われるようになる。また、特別図柄の変動表示制御が開始されると、次にステップＳ１４７の処理として、時短状態の継続回数がセットされる時短回数カウンタのカウンタ値が「０」であるか否かを判断する。そして、このカウンタ値が「０」でなければ、該時短回数カウンタをカウントダウンした後（ステップＳ１４８）、同時短回数カウンタのカウンタ値が「０」であるか否かをさらに判断する（ステップＳ１４９）。そしてこの結果、同カウンタ値が「０」であれば、上記時短状態の制御を終了することを示す時短終了フラグをセットする（ステップＳ１５０）。
【０１４６】
上記ステップＳ１４７の処理にて時短回数カウンタのカウンタ値が「０」であると判断された場合や、ステップＳ１４９の処理にて時短回数カウンタが「０」でないと判断された場合には、その時点で上記ステップＳ１５１の処理に移行する。そして、上記特別図柄変動処理（ステップＳ５３）にプロセス移行されるよう上述の特別図柄プロセスフラグを更新した時点で（ステップＳ１５１）、この処理を終了する。
【０１４７】
図１９は、上記特別図柄変動処理（ステップＳ５３）についてその手順を示すフローチャートである。
【０１４８】
上記特別図柄プロセスフラグが当該特別図柄変動処理を行うべき旨を示しているときは、同図１９に示されるように、上記主制御基板１０１の主制御ＭＰＵ１０１ａは、まず、ステップＳ１７１の処理として、上記変動パターンについての抽選処理（ステップＳ５２）で決定した変動パターンに応じた変動時間が設定される変動タイマを１減算する。そして、変動時間タイマが０、すなわち、上記抽選された変動時間が経過したと判断されると（ステップＳ１７２）、次にステップＳ１７３の処理に移行する。すなわち、このステップＳ１７３の処理において、上記特別図柄停止処理（ステップＳ５４）にプロセス移行されるよう上述の特別図柄プロセスフラグを更新した時点で、この処理を終了する。
【０１４９】
図２０は、上記特別図柄停止処理（ステップＳ５４）についてその手順を示すフローチャートである。
【０１５０】
上記特別図柄プロセスフラグが当該特別図柄停止処理を行うべき旨を示しているときは、同図２０に示されるように、上記主制御基板１０１の主制御ＭＰＵ１０１ａは、まず、ステップＳ１８１の処理として、上記特別図柄停止図柄設定処理にて決定された停止図柄を上記特別図柄表示器４１に表示させるための表示制御を行うとともに、上記画像表示装置４２に特別図柄の停止図柄に応じた装飾図柄の表示結果の導出表示を指示する停止表示コマンドを上記周辺基板１１０へのコマンドとしてセットする（ステップＳ１８２）。
【０１５１】
次いで、主制御基板１０１の主制御ＭＰＵ１０１ａは、上記時短終了フラグがセットされているときには（ステップＳ１８３）、時短終了フラグをリセットするとともに（ステップＳ１８４）、時短状態フラグをリセットする（ステップＳ１８５）。これにより時短状態の制御を終了させる。
【０１５２】
また、上記主制御基板１０１の主制御ＭＰＵ１０１ａは、上記大当りフラグがセットされているときは（ステップＳ１８６）、大当り遊技状態を開始することを示す大当り開始コマンドをセットし（ステップＳ１８７）、大当り遊技状態の開始までの待機時間（大当り遊技状態を開始する旨の表示等を行う時間）をインターバルタイマにセットする（ステップＳ１８８）。そして、上記判定済みフラグがセットされていれば該判定済みフラグをリセットし（ステップＳ１８９）、上記大入賞口開放前処理（ステップＳ５５）にプロセス移行されるよう上述の特別図柄プロセスフラグを更新した時点で（ステップＳ１９０）、この処理を終了する。大当り開始コマンドは、周辺基板１１０に送信されるコマンドであり、大当りの種類（１５Ｒ確変大当り、１５Ｒ非確変大当り、２Ｒ確変大当り）に応じて個々に用意されている。ステップＳ１８７では、大当りの種類（１５Ｒ確変大当り、１５Ｒ非確変大当り、２Ｒ確変大当り）に応じた大当り開始コマンド（１５Ｒ確変大当り開始コマンド、１５Ｒ非確変大当り開始コマンド、２Ｒ確変大当り開始コマンド）をセットする。これにより、大当り開始コマンドによって指示された大当りの種類に応じた大当り遊技状態の演出が画像表示装置４２、ランプ・ＬＥＤ（１１９ａ〜１１９ｋに搭載されるＬＥＤ及び枠ランプ２７）及びスピーカ１４，２９等により実行される。
【０１５３】
また、上記大当りフラグがセットされていないときに小当りフラグがセットされていれば（ステップＳ１９１）、小当り遊技状態を開始することを示す小当り開始コマンドをセットし（ステップＳ１９２）、小当り遊技状態の開始までの待機時間（小当り遊技状態を開始する旨の表示等を行う時間）をインターバルタイマにセットし（ステップＳ１９３）、ステップＳ１８９に進む。これにより、画像表示装置４２、ランプ・ＬＥＤ（１１９ａ〜１１９ｋに搭載されるＬＥＤ及び枠ランプ２７）及びスピーカ１４，２９等により小当り遊技状態の演出が実行される。
【０１５４】
また、上記大当りフラグ及び上記小当りフラグがセットされていなければ（ステップＳ１９１）、特別図柄通常処理（ステップＳ５０）にプロセス移行されるよう上述の特別図柄プロセスフラグを更新した時点で（ステップＳ１９４）、この処理を終了する。
【０１５５】
図２１は、上記大入賞口開放前処理（ステップＳ５５）についてその手順を示すフローチャートである。
【０１５６】
上記特別図柄プロセスフラグが当該大入賞口開放前処理を行うべき旨を示しているときは、同図２１に示されるように、上記主制御基板１０１の主制御ＭＰＵ１０１ａは、まず、ステップＳ２０１の処理として、大入賞口開閉装置７５によって大入賞口を開放状態にするまでの待機時間を示すインターバルタイマを１減算し、インターバルタイマが０、すなわち、インターバルタイマにセットされた待機時間が経過したか否かを判別する（ステップＳ２０２）。
【０１５７】
インターバルタイマにセットされた待機時間が経過したら上記主制御基板１０１の主制御ＭＰＵ１０１ａは、大当りであれば（ステップＳ２０３）、大当り遊技状態のラウンドを開始することを示すラウンド開始コマンドをセットする（ステップＳ２０４）。ラウンド開始コマンドは、周辺基板１１０に送信されるコマンドであり、大当りの種類（１５Ｒ確変大当り、１５Ｒ非確変大当り、２Ｒ確変大当り）及び実行するラウンドに応じて個々に用意されている。ステップＳ２０４では、大当りの種類（１５Ｒ確変大当り、１５Ｒ非確変大当り、２Ｒ確変大当り）及び実行するラウンドとしての１ラウンド（１Ｒ）に応じたラウンド開始コマンドをセットする。これにより、ラウンド開始コマンドによって指示された大当りの種類及び１ラウンド（１Ｒ）に応じた大当り遊技状態の演出が画像表示装置４２、ランプ・ＬＥＤ（１１９ａ〜１１９ｋに搭載されるＬＥＤ及び枠ランプ２７）及びスピーカ１４，２９等により実行される。
【０１５８】
次いで、上記主制御基板１０１の主制御ＭＰＵ１０１ａは、大当りの種類に応じたラウンドの実行回数（１５Ｒ大当り（１５Ｒ確変大当り、１５Ｒ非確変大当り）であれば「１５回」、２Ｒ大当り（２Ｒ確変大当り）であれば「２回」）を開放カウンタにセットし（ステップＳ２０５）、大当りの種類に応じた開放時間（大入賞口開閉装置７５により大入賞口を開放状態に制御してから閉塞状態に制御するまでの時間：１５Ｒ大当りであれば「３０ｓ（３０秒）」、２Ｒ大当りであれば「３００ｍｓ（０．３秒）」）を開放タイマにセットする（ステップＳ２０６）。
【０１５９】
また、上記主制御基板１０１の主制御ＭＰＵ１０１ａは、インターバルタイマにセットされた待機時間が経過したときに大当りでなければ、すなわち、小当りであれば、小当り遊技状態のラウンドを開始することを示すラウンド開始コマンドをセットする（ステップＳ２０７）。ラウンド開始コマンドは、周辺基板１１０に送信されるコマンドであり、小当りの実行するラウンドに応じて個々に用意されている。ステップＳ２０７では、小当りの実行するラウンドとしての１ラウンド（１Ｒ）に応じたラウンド開始コマンドをセットする。これにより、１Ｒに応じた小当り遊技状態の演出が画像表示装置４２、ランプ・ＬＥＤ（１１９ａ〜１１９ｋに搭載されるＬＥＤ及び枠ランプ２７）及びスピーカ１４，２９等により実行される。
【０１６０】
次いで、上記主制御基板１０１の主制御ＭＰＵ１０１ａは、小当りに応じたラウンドの実行回数（この例では、２回）を開放カウンタにセットし（ステップＳ２０８）、小当りに応じた開放時間（この例では３００ｍｓ（０．３秒））を開放タイマにセットする（ステップＳ２０９）。
【０１６１】
以上の設定処理を終了すると、上記主制御基板１０１の主制御ＭＰＵ１０１ａは、開放カウンタを１減算し（ステップＳ２１０）、大入賞口への入球数を計数する入球カウンタを０にセットして（ステップＳ２１１）、大入賞口開閉装置７５を駆動して大入賞口を開放状態に制御する（ステップＳ２１２）。その後、上記大入賞口開放中処理（ステップＳ５６）にプロセス移行されるよう上述の特別図柄プロセスフラグを更新した時点で（ステップＳ２１３）、この処理を終了する。
【０１６２】
なお、インターバルタイマが０でない、すなわち、インターバルタイマにセットした待機時間が経過していないと判断したときには、その後の処理を実行することなく大入賞口開放前処理を終了する。
【０１６３】
図２２は、上記大入賞口開放中処理（ステップＳ５６）についてその手順を示すフローチャートである。なお上述の通り、この大入賞口開放中処理は、上記ラウンド遊技が繰り返し実行されることによって行われる。
【０１６４】
上記特別図柄プロセスフラグが当該大入賞口開放中処理を行うべき旨を示しているときは、同図２２に示されるように、上記主制御基板１０１の主制御ＭＰＵ１０１ａは、まず、ステップＳ２２１の処理として、カウントスイッチ７５ａによる検出信号に基づいて大入賞口への遊技球の入球があったか否かを判別する。そして、この入球があることを条件に、ステップＳ２２２の処理として、大入賞口内への遊技球の入球数をカウンタ値として得る入球カウンタをカウントアップし、入球カウンタの値が１０以上であれば（ステップＳ２２３）、ステップＳ２２６に進み、ラウンドを終了するための処理を行う。
【０１６５】
また、入球カウンタの値が１０未満であれば、開放タイマを１減算し（ステップＳ２２４）、開放タイマの値が０、すなわち、開放タイマにセットされた大入賞口の開放時間が経過した場合には（ステップＳ２２５）、大入賞口開閉装置７５を駆動して大入賞口を閉塞状態に制御する（ステップＳ２２６）。次いで、上記主制御基板１０１の主制御ＭＰＵ１０１ａは、開放カウンタが０、すなわち、大当り及び小当りを開始するときにセットされたラウンドの実行回数を終了したか否かを判別する（ステップＳ２２７）。
【０１６６】
開放カウンタが０である場合に、大当り遊技状態を実行していれば（ステップＳ２２８）、上記主制御基板１０１の主制御ＭＰＵ１０１ａは、大当り終了コマンドをセットする（ステップＳ２２９）。大当り終了コマンドは、周辺基板１１０に送信されるコマンドであり、大当りの種類（１５Ｒ確変大当り、１５Ｒ非確変大当り、２Ｒ確変大当り）に応じて個々に用意されている。
【０１６７】
ステップＳ２２９では、１５Ｒ大当り遊技状態を終了する場合には大当りの種類（１５Ｒ確変大当り、１５Ｒ非確変大当り）に応じた大当り終了コマンドをセットし、２Ｒ大当り遊技状態を終了する場合には２Ｒ確変大当りに応じた大当り終了コマンドをセットする。これにより、大当りの種類に応じた大当り遊技状態を終了するときの演出が画像表示装置４２、ランプ・ＬＥＤ（１１９ａ〜１１９ｋに搭載されるＬＥＤ及び枠ランプ２７）及びスピーカ１４，２９等により実行される。
【０１６８】
次いで、上記主制御基板１０１の主制御ＭＰＵ１０１ａは、大当りの種類に応じた終了待機時間をインターバルタイマにセットし（ステップＳ２３０）、上記大入賞口開放後処理（ステップＳ５７）にプロセス移行されるよう上述の特別図柄プロセスフラグを更新した時点で（ステップＳ２３１）、この処理を終了する。
【０１６９】
また、ステップＳ２２７で開閉カウンタが０である場合に、小当り遊技状態を実行していれば、上記主制御基板１０１の主制御ＭＰＵ１０１ａは、小当り終了コマンドをセットする（ステップＳ２３２）。小当り終了コマンドは、周辺基板１１０に送信されるコマンドである。これにより、小当り遊技状態を終了するときの演出が画像表示装置４２、ランプ・ＬＥＤ（１１９ａ〜１１９ｋに搭載されるＬＥＤ及び枠ランプ２７）及びスピーカ１４，２９等により実行される。
【０１７０】
次いで、上記主制御基板１０１の主制御ＭＰＵ１０１ａは、小当りに応じた終了待機時間をインターバルタイマにセットし（ステップＳ２３３）、上記大入賞口開放後処理（ステップＳ５７）にプロセス移行されるよう上述の特別図柄プロセスフラグを更新した時点で（ステップＳ２３１）、この処理を終了する。
【０１７１】
また、ステップＳ２２７で開閉カウンタが０でない場合に、大当り遊技状態を実行していれば（ステップＳ２３４）、ラウンド終了コマンドをセットする（ステップＳ２３５）。ラウンド終了コマンドは、周辺基板１１０に送信されるコマンドであり、大当りの種類（１５Ｒ確変大当り、１５Ｒ非確変大当り、２Ｒ確変大当り）及び終了するラウンドに応じて個々に用意されている。ステップＳ２３５では、大当りの種類（１５Ｒ確変大当り、１５Ｒ非確変大当り、２Ｒ確変大当り）及び実行するラウンドに応じたラウンド終了コマンドをセットする。これにより、ラウンド終了コマンドによって指示された大当りの種類及び終了するラウンドに応じた大当り遊技状態の演出が画像表示装置４２、ランプ・ＬＥＤ（１１９ａ〜１１９ｋに搭載されるＬＥＤ及び枠ランプ２７）及びスピーカ１４，２９等により実行される。
【０１７２】
次いで、上記主制御基板１０１の主制御ＭＰＵ１０１ａは、大当りの種類に応じたラウンド待機時間（大入賞口開閉装置７５によって大入賞口を閉塞状態に制御してから再び大入賞口を開放状態に制御するまでの時間）をインターバルタイマにセットし（ステップＳ２３６）、上記大入賞口開放後処理（ステップＳ５７）にプロセス移行されるよう上述の特別図柄プロセスフラグを更新した時点で（ステップＳ２３１）、この処理を終了する。
【０１７３】
また、ステップＳ２２７で開閉カウンタが０でない場合に、小当り遊技状態を実行していれば（ステップＳ２３４）、ラウンド終了コマンドをセットする（ステップＳ２３７）。ラウンド終了コマンドは、周辺基板１１０に送信されるコマンドであり、小当り遊技状態の終了するラウンドに応じて個々に用意されている。ステップＳ２３７では、終了するラウンドに応じたラウンド終了コマンドをセットする。これにより、終了するラウンドに応じた小当り遊技状態の演出が画像表示装置４２、ランプ・ＬＥＤ（１１９ａ〜１１９ｋに搭載されるＬＥＤ及び枠ランプ２７）及びスピーカ１４，２９等により実行される。
【０１７４】
次いで、上記主制御基板１０１の主制御ＭＰＵ１０１ａは、小当りに応じたラウンド待機時間（大入賞口開閉装置７５によって大入賞口を閉塞状態に制御してから再び大入賞口を開放状態に制御するまでの時間）をインターバルタイマにセットし（ステップＳ２３８）、上記大入賞口開放後処理（ステップＳ５７）にプロセス移行されるよう上述の特別図柄プロセスフラグを更新した時点で（ステップＳ２３１）、この処理を終了する。
【０１７５】
なお、ステップＳ２２５で開放タイマが０でない、すなわち、開放タイマにセットされた開放時間が経過していないと判断した場合には、以降の処理を実行することなく処理を終了する。これにより、次にタイマ割込が発生した場合に、再び大入賞口開放中処理が実行される。
【０１７６】
このように、この実施の形態では、大当り遊技状態及び小当り遊技状態において、開放タイマにセットされた開放時間が経過したこと及び大入賞口内への遊技球の入球数が所定数（この例では、１０個）に達したことの一方が成立した場合に実行中のラウンドを終了する。すなわち、開放タイマにセットされた開放時間が経過した場合及び大入賞口内への入球数が所定数（この例では、１０個）に達した場合にラウンドの終了条件が成立したと判断し、実行中のラウンドを終了する処理を行う。なお、小当り遊技状態及び２Ｒ大当り遊技状態では、大入賞口内への遊技球の入球数が所定数（この例では、１０個）に達したときにはラウンドの終了条件が成立したと判断せずに、開放タイマにセットされた開放時間が経過したときにだけラウンドの終了条件が成立したと判断して実行中のラウンドを終了するようにしてもよい。
【０１７７】
図２３は、上記大入賞口開放後処理（ステップＳ５７）についてその手順を示すフローチャートである。
【０１７８】
上記特別図柄プロセスフラグが当該大入賞口開放後処理を行うべき旨を示しているときは、同図２３に示されるように、上記主制御基板１０１の主制御ＭＰＵ１０１ａは、まず、ステップＳ２５１の処理として、大入賞口開閉装置７５によって大入賞口を開放状態にするまでの待機時間を示すインターバルタイマを１減算し、インターバルタイマが０、すなわち、インターバルタイマにセットされた待機時間が経過したか否かを判別する（ステップＳ２５２）。インターバルタイマが０でなければ、インターバルタイマにセットされた待機時間が経過していないと判断し、以降の処理を実行することなく処理を終了する。
【０１７９】
上記主制御基板１０１の主制御ＭＰＵ１０１ａは、インターバルタイマにセットされた待機時間が経過したと判断し、開放カウンタの値が０であることに基づいて（ステップＳ２５３）、大当り遊技状態を終了する場合には（ステップＳ２５４）、２Ｒ大当り遊技状態を終了するか否か判別する（ステップＳ２５５）。上述したようにこの実施の形態では、２Ｒ大当り遊技状態を終了するときの遊技状態に応じて２Ｒ大当り遊技状態の終了後に時短状態の制御を行う場合と時短状態の制御を行わない場合とがある。すなわち、２Ｒ大当り遊技状態を終了する場合には、時短回数カウンタの値が０以下でないことを条件に時短状態フラグ及び時短回数カウンタを更新する（ステップＳ２５７）。一方、２Ｒ大当り遊技状態を終了する場合に時短回数カウンタの値が０以下であれば時短状態フラグ及び時短回数カウンタを更新することなくステップＳ２５８に進む。ステップＳ２５７では、時短状態フラグをセットするとともに時短回数カウンタとして予め決められた回数（例えば、５０回）をセットする。ステップＳ２５７を実行することにより時短状態の制御が開始され、ステップＳ２５７の処理を実行しないことにより時短状態の制御が開始されない。また、１５Ｒ大当り遊技状態を終了する場合には、ステップＳ２５７の処理を実行して時短状態フラグ及び時短回数カウンタを更新し、１５Ｒ大当り遊技状態の終了後に時短状態の制御を開始する。その後、大当りフラグをリセットし（ステップＳ２５８）、ステップＳ２６０に進む。
【０１８０】
また、上記主制御基板１０１の主制御ＭＰＵ１０１ａは、インターバルタイマにセットされた待機時間が経過したと判断し、開放カウンタの値が０であることに基づいて（ステップＳ２５３）、小当り遊技状態を終了する場合には（ステップＳ２５４）、小当りフラグをリセットし（ステップＳ２５９）、上記特別図柄通常処理（ステップＳ５０）にプロセス移行されるよう上述の特別図柄プロセスフラグを更新した時点で（ステップＳ２６０）、この処理を終了する。
【０１８１】
また、ステップＳ２５３で開放カウンタが０でない場合に、大当り遊技状態を実行していれば（ステップＳ２６１）、大当りの種類（１５Ｒ確変大当り、１５Ｒ非確変大当り、２Ｒ確変大当り）及び実行するラウンドに応じたラウンド開始コマンドをセットする（ステップＳ２６２）。そして、大当りの種類に応じた開放時間（１５Ｒ大当りであれば「３０ｓ（３０秒）」、２Ｒ大当りであれば「３００ｍｓ（０．３秒）」）を開放タイマにセットし（ステップＳ２６３）、ステップＳ２６６に進む。
【０１８２】
また、ステップＳ２５３で開放カウンタが０でない場合に、小当り遊技状態を実行していれば（ステップＳ２６１）、小当り遊技状態の実行するラウンド（ステップＳ２６４の場合は２ラウンド（２Ｒ））に応じたラウンド開始コマンドをセットする（ステップＳ２６４）。そして、小当りに応じた開放時間（「３００ｍｓ（０．３秒）」）を開放タイマにセットし（ステップＳ２６５）、開放カウンタを１減算し（ステップＳ２６６）、大入賞口開閉装置７５を駆動して大入賞口を開放状態に制御する（ステップＳ２６７）。そして、上記大入賞口開放中処理（ステップＳ５６）にプロセス移行されるよう上述の特別図柄プロセスフラグを更新した時点で（ステップＳ２６８）、この処理を終了する。
【０１８３】
ステップＳ２６８で大入賞口開放中処理にプロセス移行されるように特別図柄プロセスフラグを更新することにより、次にタイマ割込が発生した場合に大入賞口開放中処理が実行される。また、大入賞口開放中処理では、ラウンドの終了条件が成立したことに基づいて大入賞口開放後処理にプロセス移行されるように特別図柄プロセスフラグを更新する。つまり、大当り遊技状態及び小当り遊技状態では、大入賞口開放前処理で設定した内容に基づいて大入賞口開放中処理を実行して最初のラウンド（１ラウンド）を実行した後、大入賞口開放後処理と大入賞口開放中処理とを繰り返し実行することにより大当り遊技状態及び小当り遊技状態のラウンドが実行される。
【０１８４】
なお、図示していないが、主制御ＭＰＵ１０１ａは、１５Ｒ確変大当り及び２Ｒ確変大当りを終了するときに、確変フラグをセットし、１５Ｒ非確変大当りを終了するときに、確変フラグをリセットする。そして、当り判定処理（ステップＳ１０５）のステップＳ１１１で確変フラグの状態を確認し、確変フラグがセットされていなければ、図１３（Ａ）に示す低確率時当り判定テーブルを用いて当りとするか否かの判定を行い、確変フラグがセットされていれば、図１３（Ｂ）に示す高確率時当り判定テーブルを用いて当りとするか否かの判定を行う。これにより、低確率状態の制御と高確率状態の制御とを切り替え、各遊技状態の制御が可能になる。
【０１８５】
また、主制御ＭＰＵ１０１ａは、小当りを終了するときには確変フラグを更新しない。すなわち、小当りを終了するときには、確変フラグのセット及びリセットを行わない。そのため、小当りを終了するときに高確率状態に制御していれば（確変フラグがセットされていれば確変フラグをリセットすることなく）小当り遊技状態の終了後に継続して高確率状態の制御を実行し、小当りを終了するときに高確率状態に制御していなければ（確変フラグがセットされていなければ確変フラグをセットすることなく）小当り遊技状態の終了後に高確率状態の制御を実行しない。
【０１８６】
次に、周辺基板１１０に搭載されるサブ統合ＭＰＵ１１１ａによって実行される処理について説明する。図２４は、当該パチンコ機１に電源が投入されるとき、上記周辺基板１１０に搭載されるサブ統合ＭＰＵ１１１ａによって行われる制御についてその処理手順を示すフローチャートである。
【０１８７】
図２４に示すように、パチンコ機１への電力供給が開始されると、サブ統合ＭＰＵ１１１ａは、初期設定処理を行う（ステップＳ５０１）。この初期設定処理は、周辺基板１１０に搭載されるサブ統合ＭＰＵ１１１ａのＲＡＭをクリアする処理等が行われる。なお、この初期設定処理中では割込禁止となっており、初期設定処理のあと割込許可となる。初期設定処理（ステップＳ５０１）が終了すると、１６ｍｓ経過フラグＴがセットされたか否かを監視するループ処理を開始する（ステップＳ５０２）。
【０１８８】
この実施の形態では、サブ統合ＭＰＵ１１１ａは、２ｍｓ経過毎に割込を発生させ、２ｍｓ定常処理を実行する。２ｍｓ定常処理では、１６ｍｓ経過監視カウンタをカウントアップする（１６ｍｓ経過監視カウンタを１加算する）処理が実行され、１６ｍｓ経過監視カウンタの値が８になったとき、すなわち、１６ｍｓ経過したときに１６ｍｓ経過フラグＴをセットするとともに、１６ｍｓ経過監視カウンタをリセット（０にする）処理が実行される。このように、１６ｍｓ経過フラグＴは、２ｍｓ定常処理にて１６ｍｓ毎に「１」に設定（セット）され、通常は「０」に設定（リセット）されている。ステップＳ５０２で１６ｍｓ経過フラグがセットされている（１６ｍｓ経過フラグＴが「１」）ときには、１６ｍｓ経過フラグをリセットした後（ステップＳ５０３）、１６ｍｓ定常処理を行う（ステップＳ５０４）。
【０１８９】
この１６ｍｓ定常処理では、主基板１００から受信した演出コマンドにもとづいて画像表示装置４２、ランプ・ＬＥＤ（１１９ａ〜１１９ｋに搭載されるＬＥＤ及び枠ランプ２７）、スピーカ１４，２９等を制御する処理が実行される。１６ｍｓ定常処理を終了すると、再びステップＳ５０２に戻り、１６ｍｓ経過フラグＴがセットされる毎に、つまり１６ｍｓ毎に上述したステップＳ５０３〜ステップＳ５０４を繰り返し行う。一方、ステップＳ５０２で１６ｍｓ経過フラグＴがセットされていない（１６ｍｓ経過フラグＴが「０」）ときには、１６ｍｓ経過フラグＴがセットされるまでループ処理を行う。
【０１９０】
図２５は、サブメイン処理にて１６ｍｓ毎に実行される１６ｍｓ定常処理の一例を示すフローチャートである。１６ｍｓ定常処理において、サブ統合ＭＰＵ１１１ａは、ステップＳ６０１〜ステップＳ６０６の処理を実行する。ステップＳ６０１のコマンド解析処理では、主基板１００から受信した演出コマンドを解析する。ステップＳ６０２の演出制御処理では、ステップＳ１４５でセットされて送信されたことにより受信した変動パターンコマンドにもとづいて画像表示装置４２に関わる制御処理を実行する。
【０１９１】
また、ステップＳ６０３の音制御処理では、スピーカ１４，２９に関わる制御処理を実行する。ステップＳ６０４のランプ制御処理では、パチンコ機１に設けられたランプ・ＬＥＤ（１１９ａ〜１１９ｋに搭載されるＬＥＤ及び枠ランプ２７）に関わる制御処理を実行する。ステップＳ６０５の情報出力処理では、ランプ駆動基板１１９にランプ・ＬＥＤ（１１９ａ〜１１９ｋに搭載されるＬＥＤ及び枠ランプ２７）の点灯信号を送信する処理などを実行する。ステップＳ６０６の乱数更新処理では、演出制御処理（ステップＳ６０２）で各種設定に用いられる乱数を更新する処理を実行する。
【０１９２】
なお、１６ｍｓ定常処理におけるステップＳ６０１〜ステップＳ６０６の処理は１６ｍｓ以内に終了する。仮に、１６ｍｓ定常処理を開始してから当該１６ｍｓ定常処理の終了までに１６ｍｓ以上かかったとしても、１６ｍｓ定常処理を開始してから１６ｍｓ経過したときに直ぐに１６ｍｓ定常処理を最初から（ステップＳ６０１のコマンド解析処理から）実行しない。すなわち、１６ｍｓ定常処理の実行中に１６ｍｓ経過したときには、１６ｍｓ経過フラグのセットのみを行い、当該１６ｍｓ定常処理の終了後にステップＳ５０２で１６ｍｓ経過フラグがセットされていると判定されたときに１６ｍｓ定常処理を開始する。
【０１９３】
また、この実施の形態では、１６ｍｓ定常処理にて乱数更新処理（ステップＳ６０６）を実行して各種乱数を更新するように構成しているが、各種乱数を更新する時期（タイミング）はこれに限られるものではない。例えば、サブメイン処理におけるループ処理および１６ｍｓ定常処理のいずれか一方または両方にて各種乱数を更新するように構成してもよい。
【０１９４】
図２６は、コマンド解析処理（ステップＳ６０１）の一例を示すフローチャートである。主制御基板１０１から受信した演出コマンドはサブ統合ＭＰＵ１１１ａに内蔵されるＲＡＭの受信コマンド格納領域に格納される。コマンド解析処理では、サブ統合ＭＰＵ１１１ａが受信コマンド格納領域に格納されているコマンドの内容を確認する処理を実行する。
【０１９５】
具体的には、サブ統合ＭＰＵ１１１ａは、変動パターン事前通知コマンドを受信していれば（ステップＳ６５１）、受信した変動パターン事前通知コマンドによって特定される変動パターンをサブ統合ＭＰＵ１１１ａに内蔵されるＲＡＭの事前格納領域に格納し（ステップＳ６５２）、受信した変動パターン事前通知コマンドによって特定された変動パターンが高割合当選時変動パターンであれば（ステップＳ６５３）、事前格納領域に高割合当選時変動パターンが２個以上格納されていないことを条件に（ステップＳ６５４）、後述する一括変動を実行するか否かの判定処理に用いられる一括変動判定乱数を取得して（ステップＳ６５５）、取得した一括変動判定乱数と該一括変動判定乱数と比較される一括変動判定値が設定された一括変動判定テーブルとを比較することにより一括変動を実行するか否かを判定する（ステップＳ６５６）。
【０１９６】
本実施形態のパチンコ機１では、特別図柄表示器４１で実行される特別図柄の複数回の変動表示に対応して画像表示装置４２で実行される装飾図柄の変動表示に代えて一連の動画（切れ目のない連続した演出表示がなされる動画；宝箱を探して発見した宝箱を開ける動画や自動車のレースを行ってゴールする動画等）を特別図柄の複数回の変動表示に跨って再生し、該特別図柄の複数回の変動表示のうち最後の変動表示を停止表示するときに装飾図柄を停止表示して表示結果を導出表示することで宛も変動表示が１回だけ実行されたかの一括変動を実行する。
【０１９７】
また、一括変動の実行中には画像表示装置４２における装飾図柄の表示は消去され、装飾図柄の変動表示に代えて一連の動画を表示して一括変動として実行される特別図柄の複数回の変動表示のうち最後の変動表示の表示結果を導出表示するときに動画の再生を終了して特別図柄の最後の変動表示の表示結果に応じた装飾図柄の停止図柄を導出表示する。これにより特別図柄の変動表示の開始及び停止に同期して変動表示が開始及び停止される装飾図柄を視認することで一括変動していること、すなわち一連の動画の再生中に複数回の変動表示が実行されていることを悟られ難くしている。
【０１９８】
なお、一括変動していることを悟られ難くするものであれば、動画の再生中に画像表示装置４２における装飾図柄の表示を消去するものに限られず、装飾図柄を縮小表示（例えば装飾図柄のフォントを小さくする）、移動表示（例えば画像表示装置４２の左上端部に移動して表示）、態様変化（例えばアラビア数字からなる左・中・右の装飾図柄の態様を所定数のカラーボールに変化させ、特別図柄の変動表示の開始に同期してカラーボールの色を変化させ、特別図柄の変動表示の停止に同期して特別図柄の表示結果に対応する色でカラーボールを停止表示する）、一連の動画の表示開始に同期して装飾図柄の変動表示を開始して一括変動として実行される特別図柄の複数回の変動表示のうち最後の変動表示の表示結果を導出表示するときにだけ特別図柄の停止表示に同期して装飾図柄を停止表示することにより一連の動画の再生中に１度だけ装飾図柄を停止表示する、等のうちいずれか１つ又は複数（縮小表示、移動表示、態様変化の全てを実行するものでもよい）の制御を実行するように構成してもよい。
【０１９９】
また、本例では受信した変動パターン事前通知コマンドによって特定された変動パターンが高割合当選時変動パターンである場合に一括変動を実行するか否かを判定するようにしているが、受信した変動パターン事前通知コマンドによって特定された変動パターンが高割合当選時変動パターンでない場合にも所定の割合で一括変動を実行するようにしてもよい。例えば、受信した変動パターン事前通知コマンドによって特定された変動パターンが高割合当選時変動パターンである場合には受信した変動パターン事前通知コマンドによって特定された変動パターンが高割合当選時変動パターンでない場合よりも高い割合で一括変動するように一括変動判定値が設定された一括変動判定テーブルを用いて一括変動するか否かを判定するようにしてもよい。
【０２００】
サブ統合ＭＰＵ１１１ａは、一括変動すると判定した場合には（ステップＳ６５７）、一括変動フラグをセットして（ステップＳ６５８）、事前格納領域に格納される変動パターンの変動時間を合算してサブ統合ＭＰＵ１１１ａに内蔵されるＲＡＭの一括変動時間格納領域に格納するとともに（ステップＳ６５９）、事前格納領域に格納される変動パターンの総数を一括変動カウンタにセットする（ステップＳ６６０）。一括変動フラグをセットすることにより、次に装飾図柄の変動表示を開始するときに、サブ統合ＭＰＵ１１１ａが一括変動時間格納領域に格納される時間で一括変動カウンタにセットされた回数の特別図柄の変動表示に跨る一括変動を開始させる。
【０２０１】
また、サブ統合ＭＰＵ１１１ａは、変動パターンコマンドを受信していれば（ステップＳ６６１）、受信した変動パターンをサブ統合ＭＰＵ１１１ａに内蔵されるＲＡＭの実行パターン格納領域に格納し（ステップＳ６６２）、ＲＡＭの事前格納領域に格納される変動パターンのうち最先の変動パターンを消去して事前格納領域の記憶内容をシフトする（ステップＳ６６３）。すなわち、サブ統合ＭＰＵ１１１ａのＲＡＭの事前格納領域に格納されている変動パターンを先入れ先出し（Ｆｉｒｓｔ−Ｉｎ  Ｆｉｒｓｔ−Ｏｕｔ）の態様にてシフト操作する。具体的には、事前格納領域は１〜４の４つの領域を有し、変動パターン事前通知コマンドの受信に応じて特定した変動パターンを１番目（最先）の領域から順に記憶する。そして、事前格納領域のｎ番目（ｎ＝１〜３）の領域に変動パターンが記憶されている場合に変動パターン事前通知コマンドを受信するとｎ＋１番目（ｎ＝１〜３）の領域に特定した変動パターンを記憶し、変動パターンコマンドを受信すると１番目の領域に記憶されている変動パターンを消去するとともにＮ番目（Ｎ＝２〜４）の領域に記憶されている変動パターンをＮ−１番目（Ｎ＝２〜４）番目の領域に移動させる。これにより、上記特別図柄の変動表示制御の保留が発生した順序を特定可能に変動パターンが記憶されるとともに最先の保留（最も先に発生した保留）に対応する変動パターンから順に消去されるようになる。なお、実行パターン格納領域に格納される変動パターンは、後述する変動演出開始処理を実行してプロセセウデータを選択してから変動演出終了処理を終了するまでにクリアされる。
【０２０２】
また、サブ統合ＭＰＵ１１１ａは、判定結果通知コマンドを受信していれば（ステップＳ６６４）、受信した判定結果通知コマンドが示す判定結果に応じた判定結果フラグ（１５Ｒ確変大当り事前判定フラグ、１５Ｒ非確変大当り事前判定フラグ、２Ｒ確変大当り事前判定フラグ、小当り事前判定フラグ等）をセットし（ステップＳ６６５）、その他の演出コマンドを受信していれば（ステップＳ６６６）、受信した演出コマンドに応じたフラグをセットして（ステップＳ６６７）、処理を終了する。ここで、判定結果フラグは判定結果通知コマンドが示す判定結果が大当り若しくは小当りとなる場合にセットされ、はずれの場合にはセットされない。そして、ステップＳ６６５でセットされた判定結果フラグは後述する変動演出開始処理を実行して停止図柄を決定してからラウンド演出処理（ステップＳ７０３）を終了するまでにリセットされる（本例ではラウンド演出処理でリセットされる）。なお、判定結果通知コマンドが示す判定結果がはずれとなる場合にもはずれに応じた判定結果フラグ（はずれ事前判定フラグ）をセットするようにしてもよく、この場合には変動演出開始処理を実行して停止図柄を決定してから変動演出終了処理を終了するまでにはずれに応じた判定結果フラグ（はずれ事前判定フラグ）をリセットするようにしてもよい。
【０２０３】
図２７は、演出制御処理（ステップＳ６０２）の一例を示すフローチャートである。演出制御処理において、サブ統合ＭＰＵ１１１ａは、内蔵されるＲＡＭに格納されている遊技の進行状況を示す演出制御プロセスフラグに応じて、以下の４つのプロセス処理の１つを選択的に実行することとなる。
【０２０４】
１．上記コマンド解析処理にて解析された変動パターンコマンドに基づいて画像表示装置４２、ランプ・ＬＥＤ（１１９ａ〜１１９ｋに搭載されるＬＥＤ及び枠ランプ２７）、スピーカ１４，２９等を制御する処理などが行われる変動演出開始処理（ステップＳ７００）
２．画像表示装置４２、ランプ・ＬＥＤ（１１９ａ〜１１９ｋに搭載されるＬＥＤ及び枠ランプ２７）、スピーカ１４，２９等の制御を開始してからの経過時間を計測し、経過時間に応じて画像表示装置４２、ランプ・ＬＥＤ（１１９ａ〜１１９ｋに搭載されるＬＥＤ及び枠ランプ２７）、スピーカ１４，２９等を制御する処理などが行われる変動演出中処理（ステップＳ７０１）
３．停止表示コマンドを受信したことに基づいて判定結果通知コマンドによって通知された抽選結果に応じた装飾図柄の表示結果を導出表示するとともに上記大当り開始コマンド及び小当り開始コマンドを受信したことに基づいてラウンド演出処理が開始されるように演出制御プロセスフラグを更新する処理を行う変動演出終了処理（ステップＳ７０２）。
【０２０５】
４．大当り遊技状態及び小当り遊技状態の演出を実行し、大当り遊技状態及び小当り遊技状態を終了するときに変動演出開始処理が開始されるように演出制御プロセスフラグを更新する処理を行うラウンド演出処理（ステップＳ７０３）。
【０２０６】
なお、パチンコ機１への電源投入時に実行される遊技制御メイン処理の初期化処理（ステップＳ１）でパチンコ機１への電源を遮断する以前の状態に復旧させる復旧処理を実行することなく、主制御ＭＰＵ１０１ａのＲＡＭの内容を初期化した場合には、上述のステップＳ５０１の処理（図２４参照）において、上記変動演出開始処理（ステップＳ７００）を行うべき旨を示すよう上記演出制御プロセスフラグが設定される。
【０２０７】
また、この実施の形態では、上記変動演出終了処理で１５Ｒ大当り（１５Ｒ確変大当り、１５Ｒ非確変大当り）に応じた大当り開始コマンドを受信したことに基づいてサブ統合ＭＰＵ１１１ａは、画像表示装置４２、ランプ・ＬＥＤ（１１９ａ〜１１９ｋに搭載されるＬＥＤ及び枠ランプ２７）、スピーカ１４，２９等を制御して１５Ｒ大当りを開始することを報知する。一方、上記変動演出終了処理で２Ｒ大当り（２Ｒ確変大当り）に応じた大当り開始コマンド及び小当りに応じた小当り開始コマンドを受信した場合には、サブ統合ＭＰＵ１１１ａは、２Ｒ大当りであるか小当りであるかを報知することなく画像表示装置４２、ランプ・ＬＥＤ（１１９ａ〜１１９ｋに搭載されるＬＥＤ及び枠ランプ２７）、スピーカ１４，２９等を制御して所定の演出を実行する。そのため、遊技者は２Ｒ大当りであるか小当りであるかを判別することが困難になる。
【０２０８】
また、この実施の形態では、上記時短状態の制御を実行しているとき（遊技状態が時短状態である場合及び遊技状態が高確率状態であって時短状態の制御が並行して行われている場合）には、サブ統合ＭＰＵ１１１ａは、画像表示装置４２、ランプ・ＬＥＤ（１１９ａ〜１１９ｋに搭載されるＬＥＤ及び枠ランプ２７）、スピーカ１４，２９を、上記時短状態の制御を実行していないとき（通常状態及び遊技状態が高確率状態であって高確率状態の制御が単独で行われている場合）とは異なる態様で制御する。具体的には、上記時短状態の制御を実行しているときには、画像表示装置４２の態様（背景色、画像の態様）、スピーカ１４，２９の音出力態様、ランプ・ＬＥＤ（１１９ａ〜１１９ｋに搭載されるＬＥＤ及び枠ランプ２７）の点灯態様（色、点灯パターン）等を、上記時短状態の制御を実行していないときとは異なる態様で制御する。これにより、時短状態の制御が実行されているか否かを判別することは可能になる。
【０２０９】
一方、高確率状態の制御が行われている場合に、時短状態の制御が並行して行われていない場合には、サブ統合ＭＰＵ１１１ａは、画像表示装置４２、ランプ・ＬＥＤ（１１９ａ〜１１９ｋに搭載されるＬＥＤ及び枠ランプ２７）、スピーカ１４，２９を、通常状態と同様に上記時短状態の制御を実行していないときの態様で駆動する。そのため、時短状態の制御を実行していないときの態様で画像表示装置４２、ランプ・ＬＥＤ（１１９ａ〜１１９ｋに搭載されるＬＥＤ及び枠ランプ２７）、スピーカ１４，２９が駆動されている場合には、高確率状態であるか時短状態であるかを判別することは困難になり、遊技者は遊技をやめ難くなる。また、本実施形態では、２Ｒ大当り遊技状態では、大入賞口開閉装置７５の開放時間がより長い大当りが実行される割合が高いのに対し、小当り遊技状態では、大入賞口開閉装置７５の開放時間がより短い小当りが実行される割合が高いため、大入賞口開閉装置７５の開放時間に注目させることができ、長い開放時間で２ラウンドの大入賞口の開閉制御が実行された場合に高確率状態に対する期待を高め、遊技興趣が向上する。
【０２１０】
なお、図示していないが、主制御基板１０１に搭載される主制御ＭＰＵ１０１ａは、遊技状態を通知するコマンドを周辺制御基板１１１に送信する。具体的には、主制御ＭＰＵ１０１ａは、大当り遊技状態を終了するとき、例えば大入賞口開放後処理のステップＳ２５８で大当りフラグをリセットにするときに、大当り遊技状態の終了後に前記時短状態の制御及び前記高確率状態の制御を実行しなければ通常状態に制御することを示すコマンドをセットして周辺制御基板１１１に送信し、大当り遊技状態の終了後に前記時短状態の制御を単独で実行すれば（時短状態に制御すれば）時短状態の制御を実行することを示すコマンドをセットして周辺制御基板１１１に送信し、大当り遊技状態の終了後に高確率状態の制御及び時短状態の制御を実行すれば時短状態の制御を実行することを示すコマンドと高確率状態の制御を実行することを示すコマンドとをセットして周辺制御基板１１１に送信し、大当り遊技状態の終了後に高確率状態の制御を単独で実行すれば高確率状態の制御を実行することを示すコマンドをセットして周辺制御基板１１１に送信する。サブ統合ＭＰＵ１１１ａは、これらのコマンドに基づき、遊技状態に応じた態様で画像表示装置４２、ランプ・ＬＥＤ（１１９ａ〜１１９ｋに搭載されるＬＥＤ及び枠ランプ２７）、スピーカ１４，２９を駆動する。
【０２１１】
また、主制御基板１０１に搭載される主制御ＭＰＵ１０１ａは特別図柄表示器４１で特別図柄の変動表示を開始する毎に遊技状態を通知するコマンドを周辺制御基板１１１に送信している。具体的には、変動パターン設定処理のステップＳ１４５でセットした変動パターンコマンドを周辺制御基板１１１に送信する以前に遊技状態を確認し、前記時短状態の制御及び前記高確率状態の制御を実行していなければ通常状態であることを示すコマンドをセットし、前記時短状態の制御を単独で実行していれば時短状態の制御を実行していることを示すコマンドをセットし、前記高確率状態の制御及び前記時短状態の制御を実行していれば高確率状態の制御を実行していることを示すコマンド及び時短状態の制御を実行していることを示すコマンドをセットし、前記高確率状態の制御を単独で実行していれば高確率状態の制御を実行しているコマンドをセットする。このようにしてセットされたコマンドは、変動パターンコマンドを周辺制御基板１１１に送信する以前（変動パターンコマンドの送信と同時でもよい（変動パターンコマンドを送信するときと同一のタイマ割り込み処理内で送信するものであってもよい））に周辺制御基板１１１に送信される。
【０２１２】
また、この例では、高確率状態の制御と時短状態の制御とが並行して実行されるときには、高確率状態の制御を実行していることを示すコマンドと時短状態の制御を実行していることを示すコマンドとを周辺制御基板１１１に送信するが、高確率状態の制御と時短状態の制御とが並行して実行されているときに高確率状態の制御と時短状態の制御とが実行されていることを示す１つのコマンドを周辺制御基板１１１に送信するようにしてもよい。
【０２１３】
なお、特別図柄表示器４１で特別図柄の変動表示を開始する毎に送信される遊技状態を通知するコマンドは、特別図柄停止図柄設定処理のステップＳ１２８でセットされる判定結果通知コマンド及び変動パターン設定処理のステップＳ１４５でセットされる変動パターンコマンドとは別個に設けるように構成してもよいし、特別図柄停止図柄設定処理のステップＳ１２８でセットされる判定結果通知コマンドを遊技状態毎に複数種類設け、遊技状態と抽選結果とを通知する判定結果通知コマンドを周辺制御基板１１１に送信することによりサブ統合ＭＰＵ１１１ａに遊技状態を通知するように構成してもよいし、変動パターン設定処理のステップＳ１４５でセットされる変動パターンコマンドを遊技状態毎に複数種類設け、遊技状態及び決定した変動パターンに応じた変動パターンコマンドを周辺制御基板１１１に送信することによりサブ統合ＭＰＵ１１１ａに遊技状態を通知するように構成してもよい。
【０２１４】
また、特別図柄表示器４１で特別図柄の変動表示を開始する毎に遊技状態を通知するコマンドを送信する構成としたが、これに限らず、特別図柄の変動表示を開始するときに遊技状態の変更があった場合にだけ遊技状態を通知するコマンドを送信するようにしてもよい。具体的には、変動パターン設定処理のステップＳ１４９で時短回数カウンタの値が０になったことにより時短状態の制御を終了する場合に、高確率状態の制御を実行していれば高確率状態の制御を実行していることを示すコマンドを周辺制御基板１１１に送信し、高確率状態の制御を実行していなければ通常状態であることを示すコマンドを周辺制御基板１１１に送信するように構成してもよい。
【０２１５】
図２８に示すように、プロセスデータには、画像表示装置４２の表示態様を示す表示制御実行データとランプ・ＬＥＤ（１１９ａ〜１１９ｋに搭載されるＬＥＤ及び枠ランプ２７）の発光態様を示す発光制御実行データとスピーカ１４，２９の音出力態様を示す音制御実行データとから構成される演出制御実行データと、該演出制御実行データに基づく制御の実行期間を示すプロセスタイマ設定値と、が複数記録されている。
【０２１６】
また、サブ統合ＲＯＭ１１１Ｂには主基板１００に搭載される主制御ＭＰＵ１０１ａから送信される変動パターンコマンドそれぞれに対応して複数種類のプロセスデータが記憶されている。周辺基板１１０に搭載されるサブ統合ＭＰＵ１１１ａは主基板１００に搭載される主制御ＭＰＵ１０１ａから変動パターンコマンドを受信したときに、該変動パターンコマンドに応じたプロセスデータを選択し、該選択したプロセスデータを参照してプロセスタイマ設定値に設定されている時間だけ演出制御実行データに設定されている態様で画像表示装置４２、ランプ・ＬＥＤ（１１９ａ〜１１９ｋに搭載されるＬＥＤ及び枠ランプ２７）、及びスピーカ１４，２９を制御する。
【０２１７】
また、プロセスタイマ設定値に設定されている時間が経過したときに演出制御実行データを切り替えて制御することにより装飾図柄６５１の変動表示を行う。例えば、プロセスデータの「Ｎ（Ｎ＝１〜ｎ）」番目に記憶されている演出制御実行データ（演出制御実行データ（Ｎ））を参照してプロセスタイマ設定値に設定されている時間だけ制御を実行した後、「Ｎ＋１」番目に記憶されている演出制御実行データ（演出制御実行データ（Ｎ＋１））に切り替え、切り替え後の演出制御実行データ（演出制御実行データ（Ｎ＋１））を参照してプロセスタイマ設定値に設定されている時間だけ制御を実行する制御を繰り返し実行することにより、装飾図柄の移動速度や方向、ランプ・ＬＥＤ（１１９ａ〜１１９ｋに搭載されるＬＥＤ及び枠ランプ２７）の発光態様、スピーカ１４，２９の音出力態様、を異ならせて制御する。これにより、画像表示装置４２、ランプ・ＬＥＤ（１１９ａ〜１１９ｋに搭載されるＬＥＤ及び枠ランプ２７）、及びスピーカ１４，２９を同期制御し、一体的な演出が可能となる。
【０２１８】
図２９は、上記変動演出開始処理（ステップＳ７００）についてその手順を示すフローチャートである。
【０２１９】
上記演出制御プロセスフラグが変動演出開始処理を行う旨を示しているときには、同図２９に示されるように、周辺基板１１０に搭載されるサブ統合ＭＰＵ１１１ａは、まず、変動パターンコマンドを受信したか否か、具体的には実行パターン格納領域に変動パターンが格納されているか否かを判別する（ステップＳ８０１）。実行パターン格納領域に変動パターンが格納されていれば、特別図柄停止図柄設定処理のステップＳ１２８でセットされて主基板１００に搭載される主制御ＭＰＵ１０１ａから送信された判定結果通知コマンドに基づいて、具体的にはステップＳ６６５でセットされた判定結果フラグに応じて受信した変動パターンコマンドの変動表示の結果として１５Ｒ確変大当りとなるか否かを判別し（ステップＳ８０２）、１５Ｒ確変大当りとなる場合（１５Ｒ確変大当り事前判定フラグがセットされている場合）には装飾図柄の停止図柄として１５Ｒ確変大当り図柄（左・中・右の装飾図柄の同一の奇数図柄の組み合わせ、例えば「７７７」）に決定し（ステップＳ８０３）、ステップＳ８０９に進む。
【０２２０】
また、特別図柄停止図柄設定処理のステップＳ１２８でセットされて主基板１００に搭載される主制御ＭＰＵ１０１ａから送信されたコマンドに基づいて、受信した変動パターンコマンドの変動表示の結果として１５Ｒ非確変大当りとなる場合（１５Ｒ非確変大当り事前判定フラグがセットされている場合）には（ステップＳ８０５）、装飾図柄の停止図柄として１５Ｒ非確変大当り図柄（左・中・右の装飾図柄の同一の偶数図柄の組み合わせ、例えば「２２２」）に決定し（ステップＳ８０４）、ステップＳ８０９に進む。
【０２２１】
また、特別図柄停止図柄設定処理のステップＳ１２８でセットされて主基板１００に搭載される主制御ＭＰＵ１０１ａから送信されたコマンドに基づいて、受信した変動パターンコマンドの変動表示の結果として２Ｒ確変大当り又は小当りとなるとなる場合（２Ｒ確変大当り事前判定フラグ又は小当り事前判定フラグがセットされている場合）には（ステップＳ８０６）、装飾図柄の停止図柄としてチャンス目（本例では「１」と「２」と「３」との全てを含む図柄の組み合わせ、例えば「１２３」、「２１３」等）に決定し（ステップＳ８０７）、特別図柄停止図柄設定処理のステップＳ１２８でセットされて主基板１００に搭載される主制御ＭＰＵ１０１ａから送信されたコマンドに基づいて受信した変動パターンコマンドの変動表示の結果として、１５Ｒ確変大当り、２Ｒ確変大当り、１５Ｒ非確変大当り及び小当りのいずれにもならない場合、すなわちはずれとなる場合には装飾図柄の停止図柄としてはずれ図柄（１５Ｒ確変大当り図柄、１５Ｒ非確変大当り図柄及びチャンス目とは異なる図柄であって、少なくとも２種類以上の図柄の組み合わせ）に決定する（ステップＳ８０８）。その後、ステップＳ８０９に進む。
【０２２２】
なお、受信した変動パターンコマンドの変動表示の結果として１５Ｒ確変大当り、２Ｒ確変大当り、１５Ｒ非確変大当り及び小当りのいずれにもならない場合（判定結果フラグがセットされていない場合）に、受信した変動パターンコマンドがリーチ（この例では、左装飾図柄と右装飾図柄とが同一図柄で停止表示し、中装飾図柄が未だ停止表示していない状態）を伴うはずれとなることを示すときには（変動パターン番号３〜７のいずれかの変動パターンを示すときには）、はずれ図柄として左装飾図柄と右装飾図柄とを同一の図柄に決定するとともに中装飾図柄を左装飾図柄及び右装飾図柄とは異なる図柄の組み合わせ（リーチはずれ図柄）に決定し（ステップＳ８０８）、受信した変動パターンコマンドがリーチを伴わないはずれとなることを示す場合には、はずれ図柄として少なくとも左装飾図柄と右装飾図柄とが異なる図柄の組み合わせ（通常はずれ図柄）に決定する（ステップＳ８０８）。
【０２２３】
停止表示する装飾図柄を決定するとサブ統合ＭＰＵ１１１ａは、上記一括変動の実行中であることを示す一括変動実行フラグがセットされているか否かを判別する（ステップＳ８０９）。そして、上記一括変動実行フラグがセットされていない場合に（ステップＳ８０９）、上記一括変動を開始することを示す一括変動フラグがセットされていれば（ステップＳ８１０）、上記一括変動時間格納領域に格納される変動時間に応じたプロセスデータを選択し（ステップＳ８１２）、一括変動フラグをリセットするとともに一括変動実行フラグをセットして（ステップＳ８１３）、ステップＳ８１４に進む。
【０２２４】
なお、ステップＳ８１２でサブ統合ＭＰＵ１１１ａによって選択されるプロセスデータは、一括変動の全期間（一括変動する複数回の特別図柄の変動表示を開始してから最終結果を導出表示するまでの期間）に亘る画像表示装置４２の表示態様を示している。そのため、ステップＳ８０９で一括変動実行フラグがセットされていると判別し、既にプロセスデータを選択している場合には、プロセスデータを再び選択することなく、選択しているプロセスデータに基づいて画像表示装置４２の表示制御を継続して実行する（ステップＳ８０９でＹＥＳであればプロセスデータを選択することなくステップＳ８１６に進む）。
【０２２５】
また、一括変動実行フラグと一括変動フラグとのいずれもセットされていない場合、すなわち一括変動を実行することなく特別図柄の１回の変動表示に対応して装飾図柄を１回変動表示する通常の変動表示を実行する場合には（ステップＳ８１０）、実行パターン格納領域に格納される変動パターンに応じたプロセスデータを選択し（ステップＳ８１１）、選択したプロセスデータの最初に記憶される演出制御実行データ１のプロセスタイマ設定値をプロセスタイマにセットするとともに（ステップＳ８１４）、演出制御実行データ１の内容を表示コマンドとしてセットする（ステップＳ８１５）。そして、サブ統合ＭＰＵ１１１ａは、変動演出中処理（ステップＳ７０１）にプロセス移行されるよう上述の演出制御プロセスフラグを更新した時点で（ステップＳ８１６）、この処理を終了する。
【０２２６】
また、ステップＳ８０１で変動パターンコマンドを受信していないと判別した場合に、一括変動実行フラグがセットされていれば（ステップＳ８１７）、言い変えると一括変動の実行中であれば、プロセスタイマを１減算し（ステップＳ８１８）、プロセスタイマがタイムアウトしたら（ステップＳ８１９）、実行中の演出制御実行データの次に記憶される演出制御実行データに切り替えるとともに（ステップＳ８２０）、切り替え後の演出制御実行データのプロセスタイマ設定値をプロセスタイマにセットし（ステップＳ８２１）、切り替え後の演出制御実行データの内容を表示コマンドとしてセットして処理を終了する（ステップＳ８２２）。これにより、一括変動の実行中の特別図柄の変動表示の待機状態中であっても一括変動の変動態様に応じて画像表示装置４２を連続して表示制御することができ、特別図柄の変動表示が待機状態となる度に画像表示装置４２の表示を中断させないため、一連の動画の再生中に複数回の変動表示が実行されていることを悟られ難くすることができる。
【０２２７】
また、ステップＳ８０１で変動パターンコマンドを受信していないと判別した場合に、一括変動実行フラグがセットされていない場合（ステップＳ８１７）、及びステップＳ８１９でプロセスタイマがタイムアウトしていない場合には、以降の処理を実行することなく処理を終了する。
【０２２８】
ここで、本実施形態の周辺制御基板１１１ではパチンコ機１への電源を遮断するときに遊技演出の進行状況を示す情報（例えばフラグ、実行中のプロセスデータ、タイマの値等）をサブ統合ＭＰＵ１１１ａに内蔵するＲＡＭに保存するバックアップ処理を実行しない。そして、主制御基板１０１で復旧処理を実行してパチンコ機１への電源を遮断する以前の状態に復旧させた場合には主制御基板１０１から表示に関するコマンド（例えば変動パターンコマンド、大当り開始コマンド等）が送信されるまで「停電復旧中」等の表示を行って待機状態となる。そのため、一括変動の実行中にパチンコ機１への電源が遮断され、その後、パチンコ機１への電源を投入したときに主制御基板１０１で上記復旧処理を実行してパチンコ機１への電源が遮断される以前の状態に復旧させた場合であっても、サブ統合ＭＰＵ１１１ａに内蔵されるＲＡＭの内容（例えば一括変動実行フラグ、一括変動時間格納領域、選択済みのプロセスデータ等）は電源の遮断時にクリアされているため、サブ統合ＭＰＵ１１１ａは一括変動を再開することなく、主制御基板１０１から受信した変動パターンコマンドに基づいてプロセスデータを選択し、選択したプロセスデータに応じた装飾図柄の通常の変動表示（一連の動画ではなく一括変動を実行していないときの通常の装飾図柄の変動表示）を実行する。
【０２２９】
なお、パチンコ機１への電源が遮断され、その後、パチンコ機１への電源を投入したときに主制御基板１０１で上記復旧処理を実行してパチンコ機１への電源が遮断される以前の状態に復旧させた場合には、主制御ＭＰＵ１０１ａのＲＡＭの乱数記憶領域に格納される各種乱数に応じて未だ開始されていない特別図柄の変動表示に対応する変動パターンを特定可能なコマンド（変動パターン事前通知コマンドに対応するコマンド）を主制御基板１０１から周辺制御基板１１１に送信するようにしてもよい。このように構成することにより、主制御ＭＰＵ１０１ａのＲＡＭの乱数記憶領域に格納される乱数の総数と、サブ統合ＭＰＵ１１１ａのＲＡＭの事前格納領域に格納される変動パターンの総数と、を一致させることができ、特別図柄の変動表示に対応して一括変動を実行することができる。すなわち、主制御ＭＰＵ１０１ａのＲＡＭの乱数記憶領域に格納される乱数の総数と、サブ統合ＭＰＵ１１１ａのＲＡＭの事前格納領域に格納される変動パターンの総数と、が一致していない状態でサブ統合ＭＰＵ１１１ａが一括変動すると判定した場合には、特別図柄の変動表示と画像表示装置４２の表示内容とにずれを生じるおそれがあるが、パチンコ機１への電源投入時にＭＰＵ１０１ａのＲＡＭの乱数記憶領域に格納される乱数の総数と、サブ統合ＭＰＵ１１１ａのＲＡＭの事前格納領域に格納される変動パターンの総数と、を一致させることにより上記不具合の発生を抑止できる。また、パチンコ機１への電源投入時に主制御ＭＰＵ１０１ａのＲＡＭの乱数記憶領域に格納される各種乱数に応じて未だ開始されていない特別図柄の変動表示に対応する変動パターンを特定可能なコマンド（変動パターン事前通知コマンドに対応するコマンド）を主制御基板１０１から周辺制御基板１１１に送信しない場合には、パチンコ機１への電源を投入してから一定期間内（例えば、変動パターンコマンドを特図保留記憶数の上限に対応する「４回」受信するまで）サブ統合ＭＰＵ１１１ａによる一括変動するか否かの判定を行わないようにすることにより、上記不具合の発生を抑止することができる。
【０２３０】
また、パチンコ機１への電源を遮断するときに周辺制御基板１１１においても遊技演出の進行状況を示す情報（例えばフラグ、実行中のプロセスデータ、タイマの値等）をサブ統合ＭＰＵ１１１ａのＲＡＭに保存するバックアップ処理を実行し、主制御基板１０１で復旧処理を実行することなく初期化処理を実行したときにその旨を示すコマンドを周辺制御基板１１１に送信し、該コマンドを受信したことに基づいてサブ統合ＭＰＵ１１１ａのＲＡＭに保存している情報を消去して初期設定処理（ステップＳ５０１）を実行し、主制御基板１０１で初期化処理を実行したことを示すコマンドを受信していなければ初期設定処理（ステップＳ５０１）を実行することなくバックアップ処理で保存された情報を参照し、該情報に応じた状態に復旧させる復旧処理を実行するように構成してもよい。このように構成することにより、一括変動として一連の動画を再生しているときにパチンコ機１への電源が遮断され、その後、パチンコ機１への電源を投入した場合に、主制御基板１０１で復旧処理を実行してパチンコ機１への電源が遮断される以前の状態に復旧させた場合には、パチンコ機１への電源が遮断される以前に実行していた一連の動画の再生を、中断された時点（電源が遮断された時点）から再開させることができる。
【０２３１】
図３０は、上記変動演出中処理（ステップＳ７０１）についてその手順を示すフローチャートである。
【０２３２】
上記演出制御プロセスフラグが変動演出中処理を行う旨を示しているときには、同図３０に示されるように、周辺基板１１０に搭載されるサブ統合ＭＰＵ１１１ａは、まず、上記演出制御実行データのプロセスタイマ設定値がセットされるプロセスタイマを１減算し（ステップＳ８３１）、プロセスタイマがタイムアウトすれば（ステップＳ８３２）、実行中の演出制御実行データの次に記憶される演出制御実行データに切り替えるとともに（ステップＳ８３３）、切り替え後の演出制御実行データのプロセスタイマ設定値をプロセスタイマにセットし（ステップＳ８３４）、切り替え後の演出制御実行データの内容を表示コマンドとしてセットする（ステップＳ８３５）。ステップＳ８３２でプロセスタイマがタイムアウトしていなければステップＳ８３３〜ステップＳ８３５の処理を実行することなくステップＳ８３６に進むことで、実行中の演出制御実行データに基づく画像表示装置４２の表示制御を継続させる。
【０２３３】
そして、主基板１００に搭載される主制御ＭＰＵ１０１ａから上記停止表示コマンドを受信したことに基づいて（ステップＳ８３６）、変動演出終了処理（ステップＳ７０２）にプロセス移行されるよう上述の演出制御プロセスフラグを更新した時点で（ステップＳ８３７）、この処理を終了する。
【０２３４】
なお、ステップＳ８３６で上記停止表示コマンドを受信していなければ、演出制御プロセスフラグを更新することなく処理を終了する。すなわち、このステップＳ８３６の処理において特別図柄の変動表示を停止することを通知する停止表示コマンドを受信していなければ、上記ステップＳ８１１，Ｓ８１２で選択したプロセスデータに基づいて画像表示装置４２、ランプ・ＬＥＤ（１１９ａ〜１１９ｋに搭載されるＬＥＤ及び枠ランプ２７）、及びスピーカ１４，２９の駆動制御を継続して実行することにより装飾図柄の変動表示や達成演出などの演出表示が実行される。
【０２３５】
図３１は、上記変動演出終了処理（ステップＳ７０２）についてその手順を示すフローチャートである。
【０２３６】
上記演出制御プロセスフラグが変動演出終了処理を行う旨を示しているときは、同図３１に示されるように、周辺基板１１０に搭載されるサブ統合ＭＰＵ１１１ａは、一括変動の実行中であることを示す一括変動実行フラグがセットされているか否かを判別し（ステップＳ８５１）、一括変動実行フラグがセットされていれば一括変動する特別図柄の変動表示の実行回数を示す一括変動カウンタを１減算する（ステップＳ８５２）。
【０２３７】
ステップＳ８５１で一括変動実行フラグがセットされていない場合にはステップＳ８５５に進み、変動演出開始処理（ステップＳ７００）のステップＳ８０３，Ｓ８０４，Ｓ８０７，Ｓ８０８で決定した停止図柄を確定表示（左・中・右の全ての装飾図柄を完全に停止表示した状態）する。
【０２３８】
また、周辺基板１１０に搭載されるサブ統合ＭＰＵ１１１ａは、一括変動する特別図柄の変動表示の実行回数を示す一括変動カウンタが０か否かを判別し（ステップＳ８５３）、一括変動カウンタが０となっている場合に一括変動実行フラグがセットされていれば該一括変動実行フラグをリセットし（ステップＳ８５４）、変動演出開始処理（ステップＳ７００）のステップＳ８０３，Ｓ８０４，Ｓ８０７，Ｓ８０８で決定した停止図柄を確定表示（左・中・右の全ての装飾図柄を完全に停止表示した状態）する（ステップＳ８５５）。ステップＳ８５３で一括変動カウンタが０でなければステップＳ８５５の処理を実行しないように構成することで、一括変動する特別図柄の変動表示が全て実行されるまでは画像表示装置４２に装飾図柄の停止図柄を導出表示されなくなり、一連の動画の再生中に複数回の変動表示が実行されていることを悟られ難くなる。
【０２３９】
上述したように本実施形態では一括変動の実行中には画像表示装置４２における装飾図柄の表示を消去して該装飾図柄の変動表示に代えて一連の動画を表示する。また、一連の動画は特別図柄の複数回の変動表示に亘って表示されるため、一連の動画の再生中には主制御基板１０１の主制御ＭＰＵ１０１ａから変動パターンコマンドや停止表示コマンド等が特別図柄の変動表示の開始及び停止に同期して複数回送信される。周辺基板１１０に搭載されるサブ統合ＭＰＵ１１１ａでは、一括変動として実行される特別図柄の最初の変動表示を開始するときに送信される変動パターンコマンドを受信したことに基づいて一連の動画の表示を開始し、その後一括変動として実行される特別図柄の複数回の変動表示のうち最後の変動表示の表示結果を導出表示するときに送信される停止表示コマンドを受信するまでは、主制御基板１０１の主制御ＭＰＵ１０１ａから送信される変動パターンコマンドや停止表示コマンドを無視することで装飾図柄の変動表示の開始及び停止をさせないようにしている。換言すると、一括変動を実行して一連の動画を再生しているときには、一括変動として実行される特別図柄の複数回の変動表示のうち最後の変動表示の表示結果を導出表示するまでは特別図柄の停止表示に同期して装飾図柄を停止表示しない。そして、一括変動する特別図柄の変動表示のうち最後の変動表示を実行して特別図柄を停止表示するときに当該変動表示に応じた装飾図柄の停止図柄を導出表示（確定表示ともいう）することで、宛も１回の変動表示だけが実行されたように認識させている。
【０２４０】
なお、本例では一括変動を実行する場合に画像表示装置４２に一連の動画を表示するように構成したが、特別図柄の複数回の変動表示に対して装飾図柄の表示結果を１度だけ導出表示（確定表示を意味し、所謂再変動を実行するときの仮停止表示（揺れ変動表示を行って完全には停止していない状態）を含まない）する等により、特別図柄の変動表示が複数回実行されたことを悟られ難くするという本技術思想を逸脱しないものであればこれに限定されるものではない。例えば、一括変動を実行する場合に、一連の動画を表示することなく一括変動として実行される特別図柄の最初の変動表示を開始するときに同期して装飾図柄の変動表示を開始し、一括変動として実行される特別図柄の複数回の変動表示のうち最後の変動表示の表示結果を導出表示するときにだけ特別図柄の停止表示に同期して特別図柄の最後の変動表示の表示結果に応じた装飾図柄の停止図柄を導出表示することにより、一括変動として実行される特別図柄の複数回の変動表示に対して１度だけ装飾図柄の表示結果を導出表示するように構成してもよい。
【０２４１】
次いで、周辺基板１１０に搭載されるサブ統合ＭＰＵ１１１ａは、主基板１００に搭載される主制御ＭＰＵ１０１ａから１５Ｒ確変大当りに応じた大当り遊技状態を開始することを通知する１５Ｒ確変大当り開始コマンドを受信していれば（ステップＳ８５６）、１５Ｒ確変大当りに応じた大当り遊技状態の実行中であることを示す１５Ｒ確変大当りフラグをセットしてステップＳ８６０に進み（ステップＳ８５７）、主基板１００に搭載される主制御ＭＰＵ１０１ａから１５Ｒ非確変大当りに応じた大当り遊技状態を開始することを通知する１５Ｒ非確変大当り開始コマンドを受信していれば（ステップＳ８５８）、１５Ｒ非確変大当りに応じた大当り遊技状態の実行中であることを示す１５Ｒ非確変大当りフラグをセットしてステップＳ８６０に進み（ステップＳ８５９）、１５Ｒ大当り遊技状態の制御を開始することを通知する表示を開始するとともに（ステップＳ８６０）、ラウンド演出処理（ステップＳ７０３）にプロセス移行されるよう上述の演出制御プロセスフラグを更新した時点で（ステップＳ８６１）、この処理を終了する。
【０２４２】
また、主基板１００に搭載される主制御ＭＰＵ１０１ａから２Ｒ確変大当りに応じた大当り遊技状態を開始することを通知する２Ｒ確変大当り開始コマンドを受信していれば（ステップＳ８６２）、２Ｒ確変大当りに応じた大当り遊技状態の実行中であることを示す２Ｒ確変大当りフラグをセットしてステップＳ８６１に進み（ステップＳ８６３）、小当り遊技状態を開始することを通知する小当り開始コマンドを受信していれば（ステップＳ８６４）、小当り遊技状態の実行中であることを示す小当り遊技フラグをセットしてステップＳ８６１に進む（ステップＳ８６５）。
【０２４３】
また、主基板１００に搭載される主制御ＭＰＵ１０１ａから１５Ｒ確変大当り開始コマンド、１５Ｒ非確変大当り開始コマンド、２Ｒ確変大当り開始コマンド、及び小当り開始コマンドのいずれも受信していなければ（ステップＳ８６４）、変動演出開始処理（ステップＳ７００）にプロセス移行されるよう上述の演出制御プロセスフラグを更新した時点で（ステップＳ８６６）、この処理を終了する。
【０２４４】
なお、上記表示コマンドは情報出力処理（ステップＳ６０５）で液晶表示基板１２０及びランプ駆動基板１１９に送信され、該表示コマンドに基づいて液晶表示基板１２０は画像表示装置４２を表示制御し、ランプ駆動基板１１９はランプ・ＬＥＤ（１１９ａ〜１１９ｋに搭載されるＬＥＤ及び枠ランプ２７）を発光制御する。
【０２４５】
次に、一括変動実行中の特別図柄表示器４１及び画像表示装置４２の表示内容について図３２を参照して説明する。図３２（Ａ）は、特別図柄の４回の変動表示に対応して実行される一括変動の一例を示すタイムチャートであり、図３２（Ｂ）は、特別図柄の２回の変動表示に対応して実行される一括変動の一例を示すタイムチャートである。
【０２４６】
主基板１００に搭載される主制御ＭＰＵ１０１ａは、始動入賞時に演出事前判定処理（ステップＳ４５）を実行して大当りとならないと判定した場合には、発生した始動入賞に基づく変動表示の表示態様がはずれ時の変動パターンのうちいずれであるかを事前に通知する変動パターン事前通知コマンドを周辺基板１１０に送信し、大当りとなる割合が高いと判定した場合には、発生した始動入賞に基づく変動表示の表示態様が高割合当選時の変動パターンであることを事前に通知する変動パターン事前通知コマンドを周辺基板１１０に送信する。また、始動入賞時に取得した各種乱数をＲＡＭの乱数記憶領域に発生した順序を特定可能に格納し、該乱数記憶領域に記憶される再選の乱数に応じた変動表示の開始条件が成立したとき（特別図柄プロセスフラグが特別図柄通常処理を行うべき旨を示している状態）に当該乱数に基づいて判定を行い、変動パターンコマンド等を周辺基板１１０に送信するとともに特別図柄表示器４１にて特別図柄の変動表示を開始する。
【０２４７】
周辺基板１１０に搭載されるサブ統合ＭＰＵ１１１ａは、受信した変動パターン事前通知コマンドによって特定された変動パターンをＲＡＭの事前格納領域に格納し、特定された変動パターンが高割合当選時の変動パターン（高割合当選時変動パターン）である場合に一括変動すると判定すれば、変動パターンコマンドを受信したことに応じて事前格納領域に格納されている変動パターンの変動時間を合算して合算後の変動時間に応じたプロセスデータを選択し、該選択したプロセスデータを参照して画像表示装置４２の表示制御を開始して一連の動画を再生する。
【０２４８】
その後、主基板１００に搭載される主制御ＭＰＵ１０１ａは、特別図柄変動処理（ステップＳ５３）で変動時間をセットした変動タイマを更新して変動タイマがタイムアウトしたことに基づいて、換言すると変動時間が経過したことに基づいて特別図柄を停止表示するとともに周辺基板１１０に装飾図柄の停止表示を指示する停止表示コマンドを送信する。
【０２４９】
周辺基板１１０に搭載されるサブ統合ＭＰＵ１１１ａは、停止表示コマンドを受信した場合に一括変動カウンタのカウンタ値を１減算し、減算後の一括変動カウンタのカウンタ値が０になるまで、換言すると一括変動する特別図柄の変動表示の実行回数を全て実行するまでは装飾図柄の停止図柄を導出表示することなく、動画の再生を継続させ、減算後の一括変動カウンタのカウンタ値が０である場合には動画の再生を終了して装飾図柄を停止表示することにより表示結果を導出表示（確定表示）する。
【０２５０】
このように、特別図柄表示器４１で実行される複数回の変動表示に対応して装飾図柄の変動表示を１回だけ実行されているかのように画像表示装置４２を表示制御するため、画像表示装置４２で実行される演出表示を単純化することができる一方で通常の装飾図柄の変動表示とは異なる一連の動画によって遊技者の興味を引き付けることができ、遊技興趣の低下を抑止できる。また、画像表示装置４２の演出表示が複雑であるために混乱してしまい、遊技を忌避していた遊技者にも演出表示を単純化することで遊技を促すことができ、遊技機の稼働率低下を抑止できる。
【０２５１】
なお、本例ではサブ統合ＭＰＵ１１１ａが複数の特別図柄の変動表示に対応して選択するプロセスデータは特別図柄の変動時間だけを合算した時間であり、特別図柄表示器４１において特別図柄の変動表示を行って表示結果を導出表示した後、再び特別図柄の変動表示を開始するまでのインターバル時間を考慮していないが、インターバル時間を考慮してプロセスデータを選択するように構成してもよいし、インターバル時間を考慮することなくプロセスデータを選択し、該選択したプロセスデータの実行時間（特別図柄の変動時間を合算した時間）が経過したときに動画の再生を終了して装飾図柄の停止図柄を導出表示し、装飾図柄の導出後の期間を調整することによって特別図柄表示器４１における特別図柄の変動時間と画像表示装置４２における装飾図柄の変動時間とを整合させるようにしてもよい（図３１（Ａ）において装飾図柄を確定表示する期間（具体的には動画の再生を終了してから停止表示コマンドを受信するまでの期間）を長くし、図３１（Ｂ）において装飾図柄を確定表示する期間（具体的には動画の再生を終了してから停止表示コマンドを受信するまでの期間）を短くすることによって特別図柄の変動時間と装飾図柄の変動時間とを整合させる）。
【０２５２】
また、本実施形態では、特図保留記憶数を表示する特図保留記憶ＬＥＤ４７及び特別図柄表示器４１を目立たない位置に配置している。具体的には、図４に示すように遊技領域１２の下端部に特図保留記憶ＬＥＤ４７及び特別図柄表示器４１を配置している。また、通常、遊技者は遊技領域１２の略中央に配置される画像表示装置４２の表示内容に注目して遊技を行うが、この例では画像表示装置４２の表示領域（表示画面）が大きく（１５インチ）、画像表示装置４２の遊技領域１２に占める割合が高くなるように構成しているため、画像表示装置４２に表示される迫力のある演出に注目している遊技者は遊技領域１２の下端部に配置される特図保留記憶ＬＥＤ４７及び特別図柄表示器４１の点灯及び消灯を気付き難い。このように特図保留記憶ＬＥＤ４７及び特別図柄表示器４１の点灯及び消灯を遊技者に気付かれ難くすることにより、特図保留記憶ＬＥＤ４７及び特別図柄表示器４１の点灯及び消灯を視認することで一括変動していること、すなわち一連の動画の再生中に複数回の変動表示が実行されていることを悟られ難くしている。なお、一括変動を実行することによって熟練した遊技者には始動入賞の回数に対して画像表示装置４２で実行される変動表示の回数が少ないことを悟られてしまうおそれがあるが、このような場合であっても特別図柄表示器４１で特図保留記憶数に１対１対応させて特別図柄を変動表示し、特別図柄の変動表示の開始及び停止に同期して特図保留記憶ＬＥＤ４７の点灯及び消灯を実行することにより、始動入賞の回数に対応した回数の変動表示が確実に実行されていることを認識させることができ、遊技店とのトラブル発生を抑止できる。
【０２５３】
また、上記した実施形態では、一括変動すると判定した場合には一括変動する複数回の特別図柄の変動表示の実行回数の全てに跨って実行される一連の動画に対応するプロセスデータを選択するように構成したが、一括変動する複数回の特別図柄の変動表示のうち最後の変動表示を除く特別図柄の変動表示の実行回数（例えば、一括変動する複数回の特別図柄の変動表示の実行回数が４回である場合に、３回の特別図柄の変動表示）に対応するプロセスデータを選択して一連の動画を再生し、該動画に続く一連の動画として一括変動する複数回の特別図柄の変動表示うち最後の変動表示の実行を指示する変動パターンコマンドを受信したことに基づいて該最後の変動表示に応じて再生する動画に対応するプロセスデータを選択するように構成してもよい。すなわち、上記した実施例は主制御ＭＰＵ１０１ａが大当りとなる可能性の有無を判別してその結果をサブ統合ＭＰＵ１１１ａに通知するものであるため、サブ統合ＭＰＵ１１１ａが一括変動を実行すると判定した場合に一括変動する複数回の特別図柄の変動表示うち最後の変動表示の表示結果が大当りとなるか否かを特定することはできない。そのため、一連の動画として実行される演出において大当りとなることを通知することなく、装飾図柄の表示結果を導出表示することによって大当りとなるか否かを通知することになる。一方、一括変動する特別図柄の複数回の変動表示のうち最後の変動表示を開始するときに変動パターンコマンドを受信した場合には、停止図柄についての抽選結果を特定することが可能であるため、最後の変動表示の表示結果が大当りとなるか否かを特定することができる。この場合には、一括変動する複数回の特別図柄の変動表示うち最後の変動表示の実行を指示する変動パターンコマンドを受信したことに基づいて最後の変動表示の表示結果に対応する動画を選択することにより、一連の動画として実行される演出において大当りとなるか否かを通知することが可能となる。
【０２５４】
例えば、特別図柄の４回の変動表示に対応して一括変動する場合に、少なくとも初めの３回の変動表示に亘って表示される一連の動画に対応するプロセスデータを選択して該プロセスデータに基づいて一連の動画を再生する。そして、このプロセスデータに基づく画像表示装置４２の表示制御が終了したときに一括変動する複数回の特別図柄の変動表示うち最後の変動表示を開始するときに受信した変動パターンコマンド及び停止図柄についての抽選結果に応じた一連の動画に対応するプロセスデータを選択して該選択したプロセスデータに基づいて画像表示装置４２を表示制御して一連の動画として実行される演出の結果を通知するようにしてもよい。この場合には演出結果の通知後に画像表示装置４２に装飾図柄の停止図柄を導出表示するようにしてもよいし、装飾図柄の停止図柄を導出表示することなく一連の動画の演出結果によって大当りとなるか否かを通知するようにしてもよい。
【０２５５】
このように、特別図柄の複数回の変動表示に対応して一連の動画を再生する場合に、特別図柄の複数回の変動表示のうち最後の変動表示を除く変動表示に対応する前半のプロセスデータと、特別図柄の複数回の変動表示のうち最後の変動表示に対応する後半のプロセスデータと、を選択するように構成した場合には、前半のプロセスデータによって演出結果を通知する直前までを表示し、後半のプロセスデータによって演出結果を通知することで前半のプロセスデータと後半のプロセスデータとで一連の動画を再生する（例えば、前半のプロセスデータで決闘シーンを表示制御して、後半のプロセスデータで決闘シーンの結果（大当りであれば決闘に勝利した態様、大当りでなければ決闘に敗北した態様）を表示制御する）ようにしてもよいし、前半のプロセスデータによって仮の演出結果（大当りとならないことを通知する演出結果）を通知し、後半のプロセスデータによって本来の演出結果を通知することで前半のプロセスデータと後半のプロセスデータとで一連の動画を再生する（例えば、前半のプロセスデータで決闘シーンを再生して敗北した態様を再生し、後半のプロセスデータで敗北状態から復活してさらに決闘させて本来の（一括変動する複数回の特別図柄の変動表示のうち最後の変動表示の表示結果に応じた）演出結果（大当たりであれば決闘に勝利した態様、大当りでなければ決闘に敗北した態様）を表示制御する）ようにしてもよい。なお、前半のプロセスデータによって仮の演出結果（大当りとならないことを通知する演出結果）を通知する場合には、一括変動する複数回の特別図柄の変動表示のうち最後の変動表示の表示結果が大当りである場合にのみ後半のプロセスデータを選択して本来の演出結果（大当りとなることを通知する演出結果）を通知するようにしてもよいし、一括変動する複数回の特別図柄の変動表示のうち最後の変動表示の表示結果が大当りでない場合に所定の割合で後半のプロセスデータを選択して本来の演出結果（大当りとならないことを通知する演出結果）を通知するようにしてもよい。即ち、一括変動する複数回の特別図柄の変動表示のうち最後の変動表示の表示結果が大当りとなる場合には常に後半のプロセスデータを選択して本来の演出結果（大当りとなることを通知する演出結果）を通知し、一括変動する複数回の特別図柄の変動表示のうち最後の変動表示の表示結果が大当りとならない場合には大当りとなる場合に比べて低い割合で後半のプロセスデータを選択して本来の演出結果（大当りとならないとなることを通知する演出結果）を通知するようにしてもよい。
【０２５６】
また、特別図柄の変動表示開始時における特図保留記憶数に応じて特別図柄の変動時間を通常よりも短縮する制御を実行する場合、具体的には、特図保留記憶数「１」及び「２」に応じた高割合当選時変動パターンテーブル及びはずれ時変動パターンテーブルと、該特図保留記憶数１及び２に応じた高割合当選時変動パターンテーブル及びはずれ時変動パターンテーブルそれぞれと変動時間だけが異なるように設定され、特図保留記憶数「１」及び「２」に応じた高割合当選時変動パターンテーブル及びはずれ時変動パターンテーブルそれぞれよりも短縮された変動時間が設定されて特図保留記憶数「３」に対応する高割合当選時変動パターンテーブル及びはずれ時変動パターンテーブルと、上記特図保留記憶数「１」乃至「３」に応じた高割合当選時変動パターンテーブル及びはずれ時変動パターンテーブルそれぞれと変動時間だけが短くなるように設定され、特図保留記憶数「３」に対応する高割合当選時変動パターンテーブル及びはずれ時変動パターンテーブルよりもさらに短縮された変動時間が設定されて特図保留記憶数「４」に対応する高割合当選時変動パターンテーブル及びはずれ時変動パターンテーブルと、を備えて、変動パターン設定処理のステップＳ１４３及びＳ１４４で変動パターンを決定するときに特図保留記憶数を確認し、特図保留記憶数に応じた変動パターンテーブルに基づいて変動時間を決定する場合には、コマンド解析処理のステップＳ６５２で事前通知コマンドによって事前に通知された変動パターンの変動時間とステップＳ６６２で受信した変動パターンコマンドによって通知された実際に実行する変動パターンの変動時間とが異なるおそれがあるが、一括変動の実行中に事前通知コマンドによって事前に通知された変動パターンの変動時間と受信した変動パターンコマンドによって通知された実際に実行する変動パターンの変動時間とが異なる場合（実際に実行する変動パターンの変動時間が事前通知コマンドによって事前に通知された変動パターンの変動時間よりも短縮された場合）には、短縮後の変動時間（実際に実行する変動パターンの変動時間）に対応するように変更した一連の動画の残り時間に応じたプロセスデータを選択して、該選択したプロセスデータに基づいて一連の動画の表示制御を実行するようにしてもよい。これにより、特別図柄の変動時間を特図保留記憶数に応じて変化させる場合であっても画像表示装置４２にて実行される一括変動と同期させることが可能である。
【０２５７】
上記実施形態から把握し得る請求項及び請求項以外の技術的思想について、以下にその効果と共に記載する。
【０２５８】
（解決手段１）
複数種類の特別図柄情報（特別図柄）を変動表示して表示結果を導出表示する特別可変表示装置（特別図柄表示器４１）を備え、
該特別可変表示装置の前記表示結果が特定表示結果（特別図柄表示器４１の４個のＬＥＤを特定の態様で点灯表示した状態）となったことに基づいて遊技者に利益（賞球）を付与する利益付与状態（大当り遊技状態）に制御する遊技機（パチンコ機１）において、
所定範囲の数値（この例では「０」〜「３９９」の範囲の当り判定用乱数）を更新する数値更新手段（主制御ＭＰＵ１０１ａがタイマ割込処理のステップＳ１３を実行する部分）と、
遊技球が始動入賞したときに前記数値更新手段が更新する前記所定範囲の数値のうちいずれかの数値を判定用数値（当り判定用乱数）として取得する判定用数値取得手段（主制御ＭＰＵ１０１ａが始動口通過処理のステップＳ４３で当り判定用乱数を取得する部分）と、
該判定用数値取得手段が取得した前記判定用数値を取得した順序を特定可能に所定数（この例では４つ）まで記憶可能な判定用数値記憶手段（主制御ＭＰＵ１０１ａに内蔵されるＲＡＭの乱数記憶領域）と、
該判定用数値記憶手段に記憶される判定用数値のうち前記複数種類の特別図柄情報の変動表示の開始条件が成立（前回の特別図柄の変動表示、大当り遊技状態、及び小当り遊技状態が終了して後述する特別図柄プロセスフラグが特別図柄通常処理を行うべき旨を示している状態）した判定用数値（開始条件成立時に最先の乱数記憶領域に記憶される当り判定用乱数）が予め決められた当選判定値（この例では、低確率時であれば「１１」、高確率時であれば「１１」、「２３」、「３１」、「１１７」、「１８７」、「２３３」、「２４１」、「２９１」、「３１３」、及び「３７３」）と合致するか否かを判定し、合致する場合には前記特別可変表示装置の表示結果を前記特定表示結果に決定する変動開始時判定手段（主制御ＭＰＵ１０１ａが当り判定処理を実行する部分；ステップＳ１０５）と、
該変動開始時判定手段による判定がなされた場合に、前記複数種類の特別図柄情報を変動表示してから前記特別図柄情報の表示結果を導出表示するまでの変動時間（変動時間）を複数種類の変動時間（この例では図１８に示す変動パターンテーブル（はずれ時変動パターンテーブル及び奥割合当選時変動パターンテーブル）に設定される変動時間）の中からいずれかに決定する変動時間決定手段（主制御ＭＰＵ１０１ａが変動パターン設定処理を実行して変動パターンを決定する部分；ステップＳ５２）と、
該変動時間決定手段が前記変動時間を決定した場合に、前記特別可変表示装置を表示制御して前記複数種類の特別図柄情報の変動表示を開始し、該変動表示開始後の経過時間が前記変動時間決定手段によって決定された変動時間に達したときに前記変動開始時判定手段の判定結果に応じた前記特別図柄情報の表示結果を導出表示する特別表示制御手段（主制御ＭＰＵ１０１ａが特別図柄変動処理及び特別図柄停止処理を実行する部分；ステップＳ５３，Ｓ５４）と、
前記遊技球が始動入賞した後、当該始動入賞に応じて前記判定用数値取得手段が取得した前記判定用数値の前記開始条件が成立する以前に、当該判定用数値の前記開始条件が成立した場合に前記変動時間決定手段によって決定される前記変動時間を事前に判定する変動時間事前判定手段（主制御ＭＰＵ１０１ａが演出事前判定処理のステップＳ６３〜Ｓ６５を実行する部分）と、
該変動時間事前判定手段の判定結果に応じた前記変動時間を判定した順序を特定可能に記憶する判定時間記憶手段（サブ統合ＭＰＵ１１１ａに内蔵されるＲＡＭの事前格納領域）と、
所定の画像情報を表示可能な演出表示装置（画像表示装置４２）と、
該演出表示装置を表示制御する演出表示制御手段（サブ統合ＭＰＵ１１１ａが演出制御処理を実行する部分；ステップＳ６０２）と、を備え、
該演出表示制御手段は、
前記特別表示制御手段による前記複数種類の特別図柄情報の変動表示に同期して前記複数種類の特別図柄情報とは別の複数種類の装飾図柄情報（装飾図柄）を変動表示し、当該変動表示の終了時に前記変動開始時判定手段の判定結果を通知する単独変動制御を実行する単独変動制御手段（サブ統合ＭＰＵ１１１ａが変動演出開始処理のステップＳ８１１で変動パターンに応じたプロセスデータを選択して画像表示装置４２を表示制御することにより、特別図柄の１回の変動表示に同期して装飾図柄の変動表示を１回実行する部分）と、
少なくとも前記判定用記憶手段に２以上の前記変動時間が記憶されている場合に、前記判定時間記憶手段に記憶される複数の変動時間（サブ統合ＭＰＵ１１１ａに内蔵されるＲＡＭの一括変動時間格納領域に格納される変動時間）に対応する複数回の変動表示に亘って前記複数種類の装飾図柄情報とは別の一連の動画像を表示し、当該複数回の変動表示のうちの最後の変動表示を終了するときに当該最後の変動表示に対応する前記変動開始時判定手段の判定結果を通知する一括変動制御を実行する一括変動制御手段（サブ統合ＭＰＵ１１１ａが変動演出開始処理のステップＳ８１１で一括変動時間格納領域に格納される変動時間に応じたプロセスデータを選択して画像表示装置４２を表示制御することにより、特別図柄の複数回の変動表示に同期して装飾図柄の変動表示の表示結果を１度だけ導出表示する部分）と、を備えることを特徴とする遊技機。
【０２５９】
解決手段１記載の遊技機によれば、判定用記憶手段に２以上の変動時間が記憶されている場合に複数の変動時間に対応する複数回の変動表示に亘って複数種類の装飾図柄情報とは別の一連の動画像を表示し、当該複数回の変動表示のうちの最後の変動表示を終了するときに当該最後の変動表示に対応する変動開始時判定手段の判定結果を通知する一括変動制御を実行する一括変動制御手段を備えるため、演出表示装置の表示内容を単純化することができる一方で、単独変動制御で表示制御される装飾図柄とは異なる一連の動画像によって遊技者の興味を引き付けることができ、遊技興趣の低下を抑止できる。また、複数回の変動表示に亘って一連の動画像を表示し、当該複数回の変動表示のうちの最後の変動表示を終了するときに当該最後の変動表示に対応する変動開始時判定手段の判定結果を通知する、すなわち未だ開始条件が成立していない判定用数値に応じた特別図柄情報の最後の変動表示に対して予告的に一括変動制御を実行することができるため、遊技者の興味を引き付け、遊技興趣の低下を抑止できる。
【０２６０】
（解決手段２）
前記遊技球が始動入賞したときに、当該始動入賞に応じて前記判定用数値取得手段が取得した前記判定用数値が前記当選判定値を含む複数種類の当選割合判定値（この例では、図１０に示す高割合当選判定値）と合致するか否かを判定し、合致する場合に前記利益付与状態となる可能性を有すると判定する当選可能性事前判定手段（主制御ＭＰＵ１０１ａが演出事前判定処理のステップＳ６１，Ｓ６２を実行する部分）をさらに備え、
前記判定用記憶手段に２以上の前記変動時間が記憶されている場合に、前記当選可能性事前判定手段が前記利益付与状態となる可能性を有しないと判定したときよりも前記利益付与状態となる可能性を有すると判定した方が前記一括変動制御を実行する割合が高くなるように設定した（サブ統合ＭＰＵ１１１ａが受信した変動パターン事前通知コマンドによって特定された変動パターンが高割合当選時変動パターンである場合に受信した変動パターン事前通知コマンドによって特定された変動パターンが高割合当選時変動パターンでない場合よりも高い割合で一括変動すると判定されるように一括変動判定値が設定された一括変動判定テーブルを用いて一括変動するか否かを判定する；ステップＳ６５６）ことを特徴とする請求項１記載の遊技機。
【０２６１】
解決手段２記載の遊技機によれば、利益付与状態となる可能性を有するときには利益付与状態となる可能性を有しないときよりも高い割合で一括変動制御を実行することで一括変動制御を実行したときの大当り信頼度を高く設定できるため、一括変動制御を実行して一連の動画像を表示したときに利益付与状態に対する期待を向上させることができ、ひいては遊技者の興味を引き付けることができるため、遊技興趣の低下を抑止できる。
【０２６２】
（解決手段３）
前記変動時間決定手段は、前記当選可能性事前判定手段が前記利益付与状態となる可能性を有すると判定した場合に前記複数種類の変動時間のうちいずれかを設定した高割合当選時テーブルを用いて前記変動時間を決定し、前記利益付与状態とならないと判定した場合に少なくとも前記高割合当選時テーブルとは設定される変動時間の一部が異なる落選時テーブルを用いて前記変動時間を決定することを特徴とする請求項２記載の遊技機。
【０２６３】
解決手段３記載の遊技機によれば、利益付与状態となる可能性の有無に応じて変動時間を決定するためのテーブルを異ならせるため、当選可能性事前判定手段を利益付与状態の可能性の有無を特定する一方で利益付与状態となるか否かを断定できないように構成した場合であっても当選可能性事前判定手段の判定結果に応じて事前に変動時間を判定することができる。これにより、一括変動制御における全ての変動時間と複数種類の特別図柄情報の複数回の変動表示の変動時間とを整合させることができる。
【０２６４】
（解決手段４）
前記単独変動制御手段は、前記変動表示開始後の経過時間が前記変動時間決定手段によって決定された変動時間に達したときに前記変動開始時判定手段の判定結果に応じた前記装飾図柄情報の表示結果を導出表示し、
前記一括変動制御手段は、前記複数回の変動表示を終了する以前に前記一連の動画像の表示を終了し、当該複数回の変動表示のうちの最後の変動表示を終了するときに当該最後の変動表示に対応する前記変動開始時判定手段の判定結果に応じた前記装飾図柄情報の表示結果を導出表示することを特徴とする請求項１乃至請求項３のいずれかに記載の遊技機。
【０２６５】
解決手段４記載の遊技機によれば、一括変動制御を実行した場合には複数回の変動表示を終了する以前に一連の動画像の表示を終了して、最後の変動表示を終了するときに当該最後の変動表示に対応する変動開始時判定手段の判定結果に応じた装飾図柄情報の表示結果を導出表示する。すなわち、一連の動画像によって変動開始時判定手段の判定結果を通知するのではなく、装飾図柄情報の表示結果によって判定結果を通知するため、一括変動制御を開始するときに最後の変動表示に対応する変動開始時判定手段の判定結果を特定できない場合であっても一連の動画像の表示を開始することができる。
【０２６６】
（解決手段５）
前記一括変動制御手段は、前記特別表示制御手段が前記複数種類の特別図柄情報の表示結果を導出表示する以前に前記一連の動画像の表示を終了した場合に、前記導出表示した前記装飾図柄情報の表示結果の表示期間を調整することにより、前記複数種類の特別図柄情報の変動時間と前記装飾図柄情報の変動表示の変動時間を整合させることを特徴とする請求項１乃至請求項４記載の遊技機。
【０２６７】
解決手段５記載の遊技機によれば、一括変動制御を実行した場合には装飾図柄情報の表示結果の表示期間を調整することによって複数種類の特別図柄情報の変動時間と装飾図柄情報の変動表示の変動時間を整合させるため、複数種類の特別図柄情報の変動時間と装飾図柄情報の変動表示の変動時間とにズレを生じることによって発生する不具合を抑止できる。
【０２６８】
（解決手段６）
前記一括変動制御手段は、前記一連の動画像の表示中に、前記複数種類の装飾図柄情報を縮小表示した状態で変動表示することを特徴とする請求項１乃至請求項５のいずれかに記載の遊技機。
【０２６９】
解決手段６記載の遊技機によれば、一連の動画像の表示中に複数種類の装飾図柄情報を縮小表示した状態で変動表示するため、複数種類の特別図柄情報の変動表示に同期して変動表示される複数種類の装飾図柄情報の変動表示に気付かれ難くすることができ、ひいては一連の動画像の表示中に特別図柄情報の複数回の変動表示が実行されていることを悟られ難くすることができるため、演出表示装置の表示内容を単純化することができる一方で、通常の装飾図柄情報の変動表示とは異なる一連の動画像の表示によって遊技者の興味を引き付けることができ、遊技興趣の低下を抑止できる。
【０２７０】
（解決手段７）
前記一括変動制御手段は、前記一連の動画像の表示中に、前記複数種類の装飾図柄情報を前記演出表示装置の端部に移動表示した状態で変動表示することを特徴とする請求項１乃至請求項６のいずれかに記載の遊技機。
【０２７１】
解決手段７記載の遊技機によれば、一連の動画像の表示中に複数種類の装飾図柄情報を演出表示装置の端部に移動表示した状態で変動表示するため、複数種類の特別図柄情報の変動表示に同期して変動表示される複数種類の装飾図柄情報の変動表示に気付かれ難くすることができ、ひいては一連の動画像の表示中に特別図柄情報の複数回の変動表示が実行されていることを悟られ難くすることができるため、演出表示装置の表示内容を単純化することができる一方で、通常の装飾図柄情報の変動表示とは異なる一連の動画像の表示によって遊技者の興味を引き付けることができ、遊技興趣の低下を抑止できる。
【０２７２】
（解決手段８）
前記一括変動制御手段は、前記一連の動画像の表示中に、前記複数種類の装飾図柄情報の表示を消去することを特徴とする請求項１乃至請求項５のいずれかに記載の遊技機。
【０２７３】
解決手段８記載の遊技機によれば、一連の動画像の表示中に複数種類の装飾図柄情報の表示を消去するため、一連の動画像の表示中に特別図柄情報の複数回の変動表示が実行されていることを悟られ難くすることができ、演出表示装置の表示内容を単純化することができる一方で、通常の装飾図柄情報の変動表示とは異なる一連の動画像の表示によって遊技者の興味を引き付けることができ、遊技興趣の低下を抑止できる。
【図面の簡単な説明】
【０２７４】
【図１】この発明にかかる遊技機の一実施の形態について、前面枠が開かれた状態を示す斜視図。
【図２】同実施の形態の遊技機の正面図。
【図３】同実施の形態の遊技機の遊技領域を拡大して示す正面図。
【図４】同実施の形態の遊技機の本体枠と遊技盤とを分離して示す斜視図。
【図５】パチンコ機の制御に関する構成を表すブロック図である。
【図６】（ａ）は、同実施の形態の主制御基板のＭＰＵによって実行されるメイン処理についてその手順を示すフローチャート。（ｂ）は、同実施の形態の主制御基板のＭＰＵによって定期的に行われる割り込み処理についてその手順を示すフローチャート。
【図７】同実施の形態の主制御基板のＭＰＵによって実行される特別図柄プロセス処理についてその手順を示すフローチャート。
【図８】同実施の形態の主制御基板のＭＰＵによって実行される始動口通過処理についてその手順を示すフローチャート。
【図９】同実施の形態の主制御ＭＰＵによって実行される演出事前判定処理についてその手順を示すフローチャートである。
【図１０】大当り可能性についての事前判定処理に用いられるテーブル。
【図１１】同実施の形態の主制御基板のＭＰＵによって実行される特別図柄通常処理についてその手順を示すフローチャート。
【図１２】同実施の形態の主制御基板のＭＰＵによって実行される当り判定処理についてその手順を示すフローチャート。
【図１３】表示態様についての抽選処理に用いられるテーブル。
【図１４】同実施の形態の主制御基板のＭＰＵによって実行される特別図柄停止図柄設定処理についてその手順を示すフローチャート。
【図１５】大当りの種類についての抽選処理に用いられるテーブル。
【図１６】停止図柄についての決定処理に用いられるテーブル。
【図１７】同実施の形態の主制御基板のＭＰＵによって実行される変動パターン設定処理についてその手順を示すフローチャートである。
【図１８】変動パターンについての決定処理に用いられるテーブル。
【図１９】同実施の形態の主制御基板のＭＰＵによって実行される特別図柄変動処理についてその手順を示すフローチャートである。
【図２０】同実施の形態の主制御基板のＭＰＵによって実行される特別図柄停止処理についてその手順を示すフローチャートである。
【図２１】同実施の形態の主制御基板のＭＰＵによって実行される大入賞口開放前処理についてその手順を示すフローチャートである。
【図２２】同実施の形態の主制御基板のＭＰＵによって実行される大入賞口開放中処理についてその手順を示すフローチャートである。
【図２３】同実施の形態の主制御基板のＭＰＵによって実行される大入賞口開放後処理についてその手順を示すフローチャートである。
【図２４】同実施の形態の周辺制御基板のＭＰＵによって実行されるサブメイン処理についてその手順を示すフローチャートである。
【図２５】同実施の形態の周辺制御基板のＭＰＵによって実行される１６ｍｓ定常処理についてその手順を示すフローチャートである。
【図２６】同実施の形態の周辺制御基板のＭＰＵによって実行されるコマンド解析処理についてその手順を示すフローチャートである。
【図２７】同実施の形態の周辺制御基板のＭＰＵによって実行される演出制御処理についてその手順を示すフローチャートである。
【図２８】プロセスデータの構成例を示す説明図である。
【図２９】同実施の形態の周辺制御基板のＭＰＵによって実行される変動演出開始処理についてその手順を示すフローチャートである。
【図３０】同実施の形態の周辺制御基板のＭＰＵによって実行される変動演出中処理についてその手順を示すフローチャートである。
【図３１】同実施の形態の周辺制御基板のＭＰＵによって実行される変動演出終了処理についてその手順を示すフローチャートである。
【図３２】特別図柄表示器及び画像表示装置の表示状態を示すタイミングチャートである。
【符号の説明】
【０２７５】
１            パチンコ機
２            外枠
３            本体枠
４            遊技盤
５            前面枠
８            前枠体
９            遊技盤装着枠
１０          機構装着枠
１１          案内レール
１２          遊技領域
１４          低音用スピーカ
１８          操作ハンドル
２７          枠ランプ
２７ａ        枠装飾基板
２９          中高音用スピーカ
４０          規制壁部材
４１          特別図柄表示器
４４          普通図柄表示器
４６          特別図柄表示ＬＥＤ基板
４７          特図保留記憶ＬＥＤ
４８          普図保留記憶ＬＥＤ
４９          普通図柄表示ＬＥＤ基板
７１          可変入賞球装置
７１ａ        可動片
７１ｂ        普通電動役物ソレノイド
７２          上始動口
７２ａ        上始動口スイッチ
７３          下始動口
７３ａ        下始動口スイッチ
７４          ゲート
７４ａ        ゲートスイッチ
７５          大入賞口開閉装置
７５ａ        カウントスイッチ
７６ａ        大入賞口ソレノイド
１００        主基板
１０１        主制御基板
１０１ａ      主制御ＭＰＵ
１０１ｂ      主制御Ｉ／Ｏポート
１０２        払出制御基板
１０３        払出装置
１０４        発射制御装置
１１０        周辺基板
１１１        周辺制御基板
１１１ａ      サブ統合ＭＰＵ
１１１ｂ      サブ統合ＲＯＭ
１１１ｃ      音源ＩＣ
１１１ｄ      音ＲＯＭ
１１９        ランプ駆動基板
１１９ａ      遊技盤左上ＬＥＤ基板
１１９ｂ      遊技盤左中ＬＥＤ基板
１１９ｃ      遊技盤左ＬＥＤ基板
１１９ｄ      遊技盤左下ＬＥＤ基板
１１９ｅ      遊技盤下ＬＥＤ基板
１１９ｆ      右下飾りＬＥＤ基板
１１９ｇ      右ワープＬＥＤ基板
１１９ｈ      右上飾り上ＬＥＤ基板
１１９ｉ      右上飾り中ＬＥＤ基板
１１９ｊ      右上飾り下ＬＥＤ基板
１１９ｋ      大入賞口内ＬＥＤ基板
１２０        液晶表示基板
【図１】
2010094242.tif 000003
【図２】
2010094242.tif 000004
【図３】
2010094242.tif 000005
【図４】
2010094242.tif 000006
【図５】
2010094242.tif 000007
【図６】
2010094242.tif 000008
【図７】
2010094242.tif 000009
【図８】
2010094242.tif 000010
【図９】
2010094242.tif 000011
【図１０】
2010094242.tif 000012
【図１１】
2010094242.tif 000013
【図１２】
2010094242.tif 000014
【図１３】
2010094242.tif 000015
【図１４】
2010094242.tif 000016
【図１５】
2010094242.tif 000017
【図１６】
2010094242.tif 000018
【図１７】
2010094242.tif 000019
【図１８】
2010094242.tif 000020
【図１９】
2010094242.tif 000021
【図２０】
2010094242.tif 000022
【図２１】
2010094242.tif 000023
【図２２】
2010094242.tif 000024
【図２３】
2010094242.tif 000025
【図２４】
2010094242.tif 000026
【図２５】
2010094242.tif 000027
【図２６】
2010094242.tif 000028
【図２７】
2010094242.tif 000029
【図２８】
2010094242.tif 000030
【図２９】
2010094242.tif 000031
【図３０】
2010094242.tif 000032
【図３１】
2010094242.tif 000033
【図３２】
2010094242.tif 000034